(57)【要約】【課題】互いに通信する基地局またはユーザ装置（ＵＥ）の方法及び装置が提供される。【解決手段】ＵＥは適応された時間分割デュプレックス（ＴＤＤ）アップリンク−ダウンリンク（ＤＬ−ＵＬ）構成で動作するために基地局によって構成される。ＤＬ伝送時間間隔(ＴＴＩ)の二つの相違するセットの通信のために、ＵＥから肯定応答情報の伝送を可能にするプロセスが提供される。【選択図】図４
2019050626.tif 000002
【特許請求の範囲】
【請求項１】
無線通信システムにおける肯定応答情報（ａｃｋｎｏｗｌｅｄｇｅｍｅｎｔ  ｉｎｆｏｒｍａｔｉｏｎ）を受信する方法であって、
第１アップリンク−ダウンリンク（ｕｐｌｉｎｋ−ｄｏｗｎｌｉｎｋ、ＵＬ−ＤＬ）設定、第２ＵＬ−ＤＬ設定及び第３ＵＬ−ＤＬ設定を確認する段階と、
前記第３ＵＬ−ＤＬ設定によるＤＬサブフレーム又はスペシャルサブフレームでダウンリンク制御情報を伝送する段階と、
前記ダウンリンク制御情報によって、スケジューリングされたダウンリンクデータを伝送する段階と、
前記ダウンリンクデータに対する肯定応答情報を前記第２ＵＬ−ＤＬ設定により決定されたＵＬサブフレームの資源で受信する段階を含み、
前記ＤＬサブフレーム又はスペシャルサブフレームが前記第１ＵＬ−ＤＬ設定によるＤＬサブフレーム、又はスペシャルサブフレームに含まれると、前記資源は、システム情報ブロックのシグナリングによる第１オフセットに基づいて決定され、
前記ＤＬサブフレーム又は、スペシャルサブフレームが前記第１ＵＬ−ＤＬ設定によるＤＬサブフレーム、又はスペシャルサブフレームに含まれないと、前記資源は、ＲＲＣ（ｒａｄｉｏ  ｒｅｓｏｕｒｃｅ  ｃｏｎｔｒｏｌ）シグナリングによる第２オフセットに基づいて決定されることを特徴とする、肯定応答情報受信方法。
【発明の詳細な説明】
【技術分野】
【０００１】
本出願は、無線通信に関し、特に、適応的に構成された時間分割デュプレックス(ｔｉｍｅ ｄｉｖｉｓｉｏｎ ｄｕｐｌｅｘ;ＴＤＤ)通信システムで肯定応答情報(ａｃｋｎｏｗｌｅｄｇｅｍｅｎｔ ｉｎｆｏｒｍａｔｉｏｎ)を伝送することに関するものである。
【背景技術】
【０００２】
本出願は、２０１３年３月１３日に出願され、発明の名称が「適応的に構成されたＴＤＤ通信システムにおける肯定応答信号の伝送」である米国特許仮出願一連番号６１／７８０,２２７、２０１３年５月１８日に出願され、発明の名称が「適応的に構成されたＴＤＤ通信システムにおけるアップリンク制御情報の伝送」である米国特許仮出願一連番号６１／８２４,８５５、２０１３年９月１２日に出願され、発明の名称が「適応型ＴＤＤ通信システムにおけるアップリンク制御情報の伝送及び符号化」である米国特許仮出願一連番号６１／８７７,１２１、及び２０１３年１０月３１日に出願され、発明の名称が「適応型ＴＤＤ通信システムにおけるアップリンク制御情報の伝送及び符号化」である米国特許仮出願一連番号６１／８９８,２６９に対して優先権を主張する。上記の特許仮出願は本明細書において全面的に統合される。
【０００３】
無線通信は、現代の歴史上、最も成功的な革新の一つとなった。最近、無線通信サービスの加入者数は５０億を超え、急速に成長を続けている。無線データトラフィックの需要は、スマートフォン、タブレットＰＣ、ノートパッドコンピュータ、ネットブック、及び電子本リーダーのようなモバイルデータ装置の人気により、急速に増加している。
【先行技術文献】
【特許文献】
【０００４】
【特許文献１】国際公開第２０１２／１０６８４０号
【非特許文献】
【０００５】
【非特許文献１】Ericsson, ST-Ericsson，On support of different TDD UL-DL configurations on different bands[online]，3GPP TSG-RAN WG1#67，3GPP，２０１１年１１月１８日，R1-114414，検索日[2018.07.03],インターネット＜URL:http://www.3gpp.org/ftp/tsg_ran/WG1_RL1/TSGR1_67/Docs/R1-114414.zip＞
【非特許文献２】Research In Motion, UK Limited，Signalling methods for TDD UL/DL reconfiguration with different time scales[online]，3GPP TSG-RAN WG1#72，3GPP，２０１３年  ２月  １日，R1-130701，検索日[2018.07.03],インターネット＜URL:http://www.3gpp.org/ftp/tsg_ran/WG1_RL1/TSGR1_72/Docs/R1-130701.zip＞
【非特許文献３】Now Postcom，Remaining aspects of PUCCH resource allocation for TDD[online]，3GPP TSG-RAN WG1#72，3GPP，２０１３年  ２月  １日，R1-130683，検索日[2018.07.03],インターネット＜URL:http://www.3gpp.org/ftp/tsg_ran/WG1_RL1/TSGR1_72/Docs/R1-130683.zip＞
【発明の概要】
【課題を解決するための手段】
【０００６】
モバイルデータトラフィックの需要を満たすためには、無線インターフェースの効率改善及び、新たなスペクトルの割り当てが重要である。
【０００７】
本発明は、適応的に構成された時間分割デュプレックス（ＴＤＤ）通信システムにおいて、肯定応答情報シグナリングを伝送するための方法及び装置を提供する。
【０００８】
第１実施形態において、方法が提供される。方法は、第１時間分割デュプレックス（ＴＤＤ）アップリンク−ダウンリンク(ＵｐＬｉｎｋ−ＤｏｗｎＬｉｎｋ;ＵＬ−ＤＬ)構成、第２ＴＤＤ ＵＬ−ＤＬ構成、及び第３ＴＤＤ ＵＬ−ＤＬ構成に関する構成情報を、基地局によってユーザ装置(Ｕｓｅｒ Ｅｑｕｉｐｍｅｎｔ;ＵＥ)に伝送する段階を含む。方法は、また物理的ＤＬ共有チャンネル(Ｐｈｙｓｉｃａｌ ＤＬ Ｓｈａｒｅｄ Ｃｈａｎｎｅｌ;ＰＤＳＣＨ)の受信やＤＬまたは特定のＳＦ(ＳｕｂＦｒａｍｅ)の半永久的にスケジューリングされた(Ｓｅｍｉ−Ｐｅｒｓｉｓｔｅｎｔｌｙ Ｓｃｈｅｄｕｌｅｄ;ＳＰＳ)ＰＤＳＣＨの解除(ｒｅｌｅａｓｅ)のうちいずれか一つをＵＥにスケジューリングするＤＬ制御情報(ＤＣＩ)フォーマットを搬送する物理的ＤＬ制御チャンネル(Ｐｈｙｓｉｃａｌ ＤＬ Ｃｏｎｔｒｏｌ Ｃｈａｎｎｅｌ;ＰＤＣＣＨ)、または向上された(Ｅｎｈａｎｃｅｄ)ＰＤＣＣＨ(ＥＰＤＣＣＨ)のうちいずれか一つを、基地局によって第３ＴＤＤ ＵＬ−ＤＬ構成のＤＬまたは特定のサブフレーム(ＳＦ)におけるＵＥに伝送する段階を含む。ＤＣＩフォーマットがＥＰＤＣＣＨによって搬送される場合、それは肯定応答資源オフセット(Ａｃｋｎｏｗｌｅｄｇｅｍｅｎｔ Ｒｅｓｏｕｒｃｅ Ｏｆｆｓｅｔ;ＡＲＯ)フィールドを含む。ＵＥにより、第１ＴＤＤ ＵＬ−ＤＬ構成、第２ＴＤＤ ＵＬ−ＤＬ構成、及び第３ＴＤＤ ＵＬ−ＤＬ構成を受信することに応答し、ＵＥは、第２ＴＤＤ ＵＬ−ＤＬ構成によって、第３ＴＤＤ ＵＬ−ＤＬ構成のＤＬまたは特定のＳＦのセットでＰＤＳＣＨの少なくとも一つの受信またはＳＰＳ ＰＤＳＣＨ解除に応答し、肯定応答情報を伝送するためにＵＬ ＳＦを決定する。ＵＥは、またＤＬまたは特定のＳＦのサブセットでＰＤＳＣＨの数及びＳＰＳ ＰＤＳＣＨ解除を受信する。ＵＥは、またＤＬまたは特定のＳＦのセットのサブセットでＰＤＳＣＨの数及びＳＰＳ ＰＤＳＣＨ解除の少なくとも受信に応答し、ＤＬまたは特定のＳＦのセットに関する肯定応答情報を決定する。ＵＥは、肯定応答情報が、ＵＬ ＳＦで伝送される第１ＴＤＤ ＵＬ−ＤＬ構成におけるＤＬまたは特定のＳＦであるＤＬまたは特定のＳＦのセットの第１サブセット、及び第１サブセットにないＤＬまたは特定のＳＦを含むＤＬまたは特定のＳＦのセットの第２サブセットをさらに決定する。ＵＥは、またＵＬ ＳＦで資源の第１セット及び資源の第２セットを決定する。資源の第１セットの資源は第１サブセットにあるサブセットのＳＦに対応する。資源は、受信がＰＤＣＣＨによってスケジューリングされたり、ＡＲＯフィールドを用いてスケジューリングされる場合には第１オフセット、及び受信がＥＰＤＣＣＨによってスケジューリングされる場合には第２オフセットのうちいずれか一つを用いて決定される。資源の第２セットの資源は第２サブセットにあるサブセットのＳＦに対応する。資源は、受信がＰＤＣＣＨによってスケジューリングされたり、ＡＲＯフィールドを用いてスケジューリングされる場合には第３オフセット、及び受信がＥＰＤＣＣＨによってスケジューリングされる場合には第２オフセットを用いて決定される。ＵＥは、また資源の第１セットまたは資源の第２セットから、肯定応答情報の��に基づいて肯定応答情報を伝送するために物理的ＵＬ制御チャンネルの資源を選択する。ＵＥは、選択された資源における肯定応答情報を基地局にさらに伝送する。
【０００９】
第２実施形態において、方法が提供される。方法は、第１時間分割デュプレックス（ＴＤＤ）アップリンク−ダウンリンク(ＵＬ−ＤＬ)構成及び第２ＴＤＤ ＵＬ−ＤＬ構成に関する構成情報を基地局によってユーザ装置(ＵＥ)に伝送する段階を含む。第２ＴＤＤ ＵＬ−ＤＬ構成の各ＵＬサブフレーム(ＳＦ)は、また第１ＴＤＤ ＵＬ−ＤＬ構成のＵＬ ＳＦである。方法は、また第１ＴＤＤ ＵＬ−ＤＬ構成のＵＬ ＳＦで物理的ＵＬ共有チャンネル(ＰＵＳＣＨ)のＵＥによる伝送をスケジューリングし、少なくともバイナリ要素のフィールドを含むＤＬ制御情報(ＤＣＩ)フォーマットを搬送する制御チャンネルを基地局によって第１ＴＤＤ ＵＬ−ＤＬ構成のＤＬ ＳＦにおけるＵＥに伝送する段階を含む。ＵＥは、ＵＬ ＳＦが、また第２ＴＤＤ ＵＬ−ＤＬ構成のＵＬ ＳＦである場合、ＰＵＳＣＨで肯定応答情報を伝送することができる。ＵＥが、ＵＬ ＳＦで肯定応答情報を伝送できる場合、フィールドは、ＵＥが肯定応答情報を伝送するために、ＤＬまたは特定のＳＦの数をＵＥに知らせるＤＬ割り当てインデックス(ＤＡＩ)の役割をする。ＵＥがＵＬ ＳＦで肯定応答情報を伝送することができず、ＵＥがＤＬまたは特定のＳＦより多くのＵＬ ＳＦを有さないＴＤＤ ＵＬ−ＤＬ構成で動作する場合、フィールド値は常に０に設定される。
【００１０】
第３実施形態において、方法が提供される。方法は、第１時間分割デュプレックス（ＴＤＤ）アップリンク−ダウンリンク(ＵＬ−ＤＬ)構成、第２ＴＤＤ ＵＬ−ＤＬ構成、及び第３ＴＤＤ ＵＬ−ＤＬ構成に関する構成情報を基地局によってユーザ装置(ＵＥ)に伝送する段階を含む。方法は、また物理的ＤＬ制御チャンネル(ＰＤＣＣＨ)を基地局によって第３ＴＤＤ ＵＬ−ＤＬ構成のＤＬまたは特定のサブフレーム(ＳＦ)におけるＵＥに伝送する段階を含む。ＰＤＣＣＨは、第１タイプまたは第２タイプであり、物理的ＤＬ共有チャンネル(ＰＤＳＣＨ)の受信または半永久的にスケジューリングされた(ＳＰＳ)ＰＤＳＣＨの解除のうちいずれか一つをＤＬまたは特定のＳＦにおけるＵＥにスケジューリングするＤＬ制御情報(ＤＣＩ)フォーマットを搬送する。ＵＥにより、第１ＴＤＤ ＵＬ−ＤＬ構成、第２ＴＤＤ ＵＬ−ＤＬ構成、及び第３ＴＤＤ ＵＬ−ＤＬ構成を受信することに応答し、ＵＥは、第２ＴＤＤ ＵＬ−ＤＬ構成によって、第３ＴＤＤ ＵＬ−ＤＬ構成のＤＬまたは特定のＳＦのセットでＰＤＳＣＨまたはＳＰＳ ＰＤＳＣＨ解除のうち少なくとも一つの受信に応答し、肯定応答情報を伝送するためにＵＬ ＳＦを決定する。ＵＥは、ＤＬまたは特定のＳＦのセットのサブセットでＰＤＳＣＨ及びＳＰＳ ＰＤＳＣＨ解除の数を受信する。ＵＥは、またＤＬまたは特定のＳＦのセットのサブセットでＰＤＳＣＨ及びＳＰＳ ＰＤＳＣＨ解除の数の少なくとも受信に応答し、ＤＬまたは特定のＳＦのセットに関する肯定応答情報を決定する。ＵＥは、肯定応答情報がＵＬ ＳＦで伝送される第１ＴＤＤ ＵＬ−ＤＬ構成におけるＤＬまたは特定のＳＦであるＤＬまたは特定のＳＦのセットの第１サブセット、及び第１サブセットにないＤＬまたは特定のＳＦを含むＤＬまたは特定のＳＦのセットの第２サブセットをさらに決定する。ＵＥは肯定応答情報を基地局に伝送する。ＤＬまたは特定のＳＦの第１セット及びＤＬまたは特定のＳＦの第２セットに対応する肯定応答情報はＵＬ ＳＦで伝送される。一つ以上のＤＬまたは特定のＳＦのサブセットの各ＳＦは第１セットまたは第２セットのうちいずれか一方にある。ＵＥは肯定応答情報を基地局に追加で伝送する。第１サブセットのＤＬまたは特定のＳＦに対応する肯定応答情報は、伝送が物理的ＵＬ制御チャンネル(ＰＵＣＣＨ)にある場合に第２サブセットのＤＬ ＳＦに対応する肯定応答情報より先に整列され、肯定応答情報は、伝送が物理的ＵＬ共有チャンネル(ＰＵＳＣＨ)にある場合に第２ＴＤＤ ＵＬ−ＤＬ構成のＤＬまたは特定のＳＦのインデックスによって整列される。
【００１１】
第４実施形態において、基地局が提供される。基地局は、第１時間分割デュプレックス（ＴＤＤ）アップリンク−ダウンリンク(ＵＬ−ＤＬ)構成を表すシグナリング、第２ＴＤＤ ＵＬ−ＤＬ構成を表すシグナリング、及び第３ＴＤＤ ＵＬ−ＤＬ構成を表すシグナリングをユーザ装置(ＵＥ)に伝送するように構成された送信機を含む。基地局は、また第３ＴＤＤ ＵＬ−ＤＬ構成のＤＬまたは特定のサブフレーム(ＳＦ)において、物理的ＤＬ共有チャンネル(ＰＤＳＣＨ)の受信や、ＤＬまたは特定のＳＦの半永久的にスケジューリングされた(ＳＰＳ)ＰＤＳＣＨの解除のうちいずれか一つをＵＥにスケジューリングするＤＬ制御情報(ＤＣＩ)フォーマットを搬送する物理的ＤＬ制御チャンネル(ＰＤＣＣＨ)または向上されたＰＤＣＣＨ(ＥＰＤＣＣＨ)のうちいずれか一つをＵＥに伝送するように構成された送信機を含む。ＤＣＩフォーマットがＥＰＤＣＣＨによって搬送される場合、それは肯定応答資源オフセット(ＡＲＯ)フィールドを含む。基地局は、資源の第１セットまたは資源の第２セットから物理的ＵＬ制御チャンネルの資源における肯定応答情報をＵＥから受信するように構成される受信機を含む。基地局は、第２ＴＤＤ ＵＬ−ＤＬ構成により、第３ＴＤＤ ＵＬ−ＤＬ構成のＤＬまたは特定のＳＦのセットに関する肯定応答情報を受信するためにＵＬ ＳＦを決定するように構成されるプロセッサを含む。肯定応答情報は、ＤＬまたは特定のＳＦのセットでＰＤＳＣＨまたはＳＰＳ ＰＤＳＣＨ解除のうち少なくとも一つの伝送に応答する。基地局は、また肯定応答情報がＵＬ ＳＦで伝送される第１ＴＤＤ ＵＬ−ＤＬ構成におけるＤＬまたは特定のＳＦであるＤＬまたは特定のＳＦのセットの第１サブセット、及び第１サブセットにないＤＬまたは特定のＳＦを含むＤＬまたは特定のＳＦのセットの第２サブセットを決定するように構成されるプロセッサを含む。基地局は、さらにＵＬ ＳＦにおいて、資源の第１セット及び資源の第２セットを決定するように構成されるプロセッサを含む。資源の第１セットの資源は第１セットのＳＦに対応し、伝送がＰＤＣＣＨによってスケジューリングされたり、ＡＲＯフィールドを用いてスケジューリングされる場合には第１オフセット、及び伝送がＥＰＤＣＣＨによってスケジューリングされる場合には第２オフセットのうちいずれか一つを用いて決定される。資源の第２セットの資源は第２セットにあるＳＦに対応し、伝送がＰＤＣＣＨによってスケジューリングされたり、ＡＲＯフィールドを用いてスケジューリングされる場合には第３オフセット、及び伝送がＥＰＤＣＣＨによってスケジューリングされる場合には第２オフセットを用いて決定される。
【００１２】
第５実施形態において、ユーザ装置(ＵＥ)が提供される。ＵＥは、第１時間分割デュプレックス（ＴＤＤ）アップリンク−ダウンリンク(ＵＬ−ＤＬ)構成を表すシグナリング、第２ＴＤＤ ＵＬ−ＤＬ構成を表すシグナリング、及び第３ＴＤＤ ＵＬ−ＤＬ構成を表すシグナリングを基地局から受信するように構成された受信機を含む。ＵＥは、また第３ＴＤＤ ＵＬ−ＤＬ構成のＤＬまたは特定のサブフレーム(ＳＦ)において、物理的ＤＬ共有チャンネル(ＰＤＳＣＨ)の受信や、ＤＬまたは特定のＳＦの半永久的にスケジューリングされた(ＳＰＳ)ＰＤＳＣＨの解除のうちいずれか一つをＵＥにスケジューリングするＤＬ制御情報(ＤＣＩ)フォーマットを搬送する物理的ＤＬ制御チャンネル(ＰＤＣＣＨ)または向上されたＰＤＣＣＨ(ＥＰＤＣＣＨ)のうちいずれか一つを基地局から受信するように構成された受信機を含む。ＤＣＩフォーマットがＥＰＤＣＣＨによって搬送される場合、それは肯定応答資源オフセット(ＡＲＯ)フィールドを含む。ＵＥは、資源の第１セットまたは資源の第２セットから物理的ＵＬ制御チャンネルの資源における肯定応答情報を基地局に伝送するように構成される伝送機を含む。ＵＥは、第２ＴＤＤ ＵＬ−ＤＬ構成により、第３ＴＤＤ ＵＬ−ＤＬ構成のＤＬまたは特定のＳＦのセットに関する肯定応答情報を伝送するためにＵＬ ＳＦを決定するように構成されるプロセッサを含む。肯定応答情報は、ＤＬまたは特定のＳＦのセットでＰＤＳＣＨまたはＳＰＳ ＰＤＳＣＨ解除のうち少なくとも一つの受信に応答する。ＵＥは、また肯定応答情報が、ＵＬ ＳＦで伝送される第１ＴＤＤ ＵＬ−ＤＬ構成におけるＤＬまたは特定のＳＦであるＤＬまたは特定のＳＦのセットの第１サブセット、及び第１サブセットにないＤＬまたは特定のＳＦを含むＤＬまたは特定のＳＦのセットの第２サブセットを決定するように構成されるプロセッサを含む。ＵＥは、さらにＵＬ ＳＦで資源の第１セット及び資源の第２セットを決定するように構成されるプロセッサを含む。資源の第１セットの資源は第１セットのＳＦに対応し、受信がＰＤＣＣＨによってスケジューリングされたり、ＡＲＯフィールドを用いてスケジューリングされる場合には第１オフセット、及び受信がＥＰＤＣＣＨによってスケジューリングされる場合には第２オフセットのうちいずれか一つを用いて決定される。資源の第２セットの資源は第２セットにあるＳＦに対応し、受信がＰＤＣＣＨによってスケジューリングされたり、ＡＲＯフィールドを用いてスケジューリングされる場合には第３オフセット、及び受信がＥＰＤＣＣＨによってスケジューリングされる場合には第２オフセットを用いて決定される。
【００１３】
第６実施形態において、基地局が提供される。基地局は、第１時間分割デュプレックス（ＴＤＤ）アップリンク−ダウンリンク(ＵＬ−ＤＬ)構成を表すシグナリング及び第２ＴＤＤ ＵＬ−ＤＬ構成を表すシグナリングをユーザ装置(ＵＥ)に伝送するように構成された送信機を含む。第２ＴＤＤ ＵＬ−ＤＬ構成の各ＵＬサブフレーム(ＳＦ)は、また第１ＴＤＤ ＵＬ−ＤＬ構成のＵＬ ＳＦである。基地局は、また第１ＴＤＤ ＵＬ−ＤＬ構成のＵＬ ＳＦにおいて、物理的ＵＬ共有チャンネル(ＰＵＳＣＨ)のＵＥによる伝送をスケジューリングし、少なくともバイナリ要素のフィールドを含むＤＬ制御情報(ＤＣＩ)フォーマットを搬送する制御チャンネルを、第１ＴＤＤ ＵＬ−ＤＬ構成のＤＬ ＳＦにおけるＵＥに伝送するように構成される送信機を含む。ＵＥは、ＵＬ ＳＦが、また第２ＴＤＤ ＵＬ−ＤＬ構成のＵＬ ＳＦである場合、ＰＵＳＣＨにおける肯定応答情報を含むことができる。ＵＥがＵＬ ＳＦで肯定応答情報を伝送できる場合、フィールドは、ＵＥが肯定応答情報を伝送するためにＤＬまたは特定のＳＦの数をＵＥに知らせるＤＬ割り当てインデックス(ＤＡＩ)の役割をする。ＵＥがＵＬ ＳＦで肯定応答情報を伝送できず、ＵＥがＤＬ及び特定のＳＦより多くのＵＬ ＳＦを有さないＴＤＤ ＵＬ−ＤＬ構成で動作する場合、フィールド値は常に０に設定される。
【００１４】
詳細な説明に入る前に、本特許明細書全体で使用される特定の単語及び語句の定義を説明する。用語「結合」及びその派生語は、二つ以上の要素間の任意の直接及び間接通信、これらの要素が互いに物理的に接触しているか否かを表す。用語「伝送する」、「受信する」及び「通信する」だけでなくその派生語は、直接及び間接通信の両方を含む。用語「含む」及びその派生語は制限のない包含を意味する。用語「または」は包括的であり、及び／またはを意味する。語句「関連する(ａｓｓｏｃｉａｔｅｄ ｗｉｔｈ)」及びその派生語は、「含み」、「含まれ」、「相互接続し」、「結合し」、「通信でき」、「協力し」、「インターリーブし」、「並び」、「近くにあり」、「するべきであり」、「有し」、「属性を有し」、「関係があり」等を意味する。用語「制御機」は少なくとも一つの動作を制御する任意の装置、システム、またはその部分を意味する。このような制御機は、ハードウェアまたはハードウェア及びソフトウェア及び／またはファームウェアの組み合わせにより具現することができる。任意の特定の制御機に関連する機能は、局部的であっても、遠隔的であっても、中央集中化されたり、分散され得る。語句「少なくとも一つ」が項目のリストと共に使用される場合、並べられた項目のうち一つ以上の相違する組み合わせが使用され、リスト内で一つの項目のみが必要であることを意味する。例えば、「Ａ、Ｂ及びＣのうち少なくとも一つ」は、次の組み合わせ「Ａ，Ｂ，Ｃ」、「Ａ及びＢ」、「Ａ及びＣ」、「Ｂ及びＣ」、及び「Ａ」、「Ｂ」、「Ｃ」のいずれかを一つを含む。
【００１５】
さらに、後述する様々な機能は、一つ以上のコンピュータプログラムによって具現されたり、支援され、このようなプログラムのそれぞれはコンピュータ読み取り可能なプログラムコードとして形成され、コンピュータ読み取り可能な媒体で実施される。用語「アプリケーション」及び「プログラム」は、適切なコンピュータ読み取り可能なプログラムコードで具現するのに適した一つ以上のコンピュータプログラム、ソフトウェア構成要素、命令語のセット、手続き、機能、客体、クラス、インスタンス、関連データ、またはその一部を表す。語句「コンピュータ読み取り可能なプログラムコード」は、ソースコード、客体コード、及び実行可能なコードを含む任意のタイプのコンピュータコードを含む。語句「コンピュータ読み取り可能な媒体」は、読み取り専用メモリ(ＲＯＭ)、ランダムアクセスメモリ(ＲＡＭ)、ハードディスクドライブ、コンパクトディスク(ＣＤ)、デジタルビデオディスク(ＤＶＤ)、または任意の異なるタイプのメモリ等のコンピュータによってアクセス可能な任意のタイプの媒体を含む。「非一時的」コンピュータ読み取り可能な媒体は、有線、無線、光学、または一時的な電気または他の信号を伝送する他の通信リンクを除く。非一時的コンピュータ読み取り可能な媒体は、データが永久的に保存できる媒体、及び再記録可能な光ディスクまたは消去可能なメモリ装置等のデータが保存され、後で上書きできる媒体を含む。
【００１６】
他の特定の単語及び語句に関する定義は本特許明細書全体で提供される。当業者は、多くの場合、このような定義が適用されることを理解するべきである。
【００１７】
本発明及び本発明の利点をより理解しやすくするために、添付図面に関して説明する。同一の参照番号は同一の部分を表す。
【図面の簡単な説明】
【００１８】
【図１】本発明に係る例示的な無線通信ネットワークを示す。
【図２】本発明に係る例示的なユーザ装置(ＵＥ)を示す。
【図３】本発明に係る例示的なｅＮｏｄｅＢ(ｅＮＢ)を示す。
【図４】本発明により、伝送時間間隔(ＴＴＩ)にわたる例示的なＰＵＳＣＨ伝送構造を示す。
【図５】本発明により、ＰＵＳＣＨでのデータ情報及びＵＣＩのための例示的なＵＥ送信機構造を示す。
【図６】本発明により、ＰＵＳＣＨでのデータ情報及びＵＣＩに関する例示的なｅＮＢ受信機構造を示す。
【図７】本発明により、共同符号化(ｊｏｉｎｔ ｃｏｄｉｎｇ)でＨＡＲＱ−ＡＣＫ伝送を行うための一つのＴＴＩスロットの例示的なＰＵＣＣＨフォーマット３構造を示す。
【図８】本発明により、ＰＵＣＣＨフォーマット３を用いてＨＡＲＱ−ＡＣＫ情報に関する例示的なＵＥ送信機のブロック図を示す。
【図９】本発明により、ＰＵＣＣＨフォーマット３を用いてＨＡＲＱ−ＡＣＫ情報に関する例示的なｅＮＢ受信機のブロック図を示す。
【図１０】本発明により、ＴＴＩの一つのスロットにおける例示的なＰＵＣＣＨフォーマット１ａ／１ｂ構造を示す。
【図１１】本発明に係るＰＵＣＣＨフォーマット１ａ／１ｂに関する例示的な送信機構造を示す。
【図１２】本発明に係るＰＵＣＣＨフォーマット１ａ／１ｂに関する例示的な受信機構造を示す。
【図１３】本発明に係る相違する柔軟性ＴＴＩで相違する干渉特性の一例を示す。
【図１４】本発明により、二つの相違するＴＤＤ ＵＬ−ＤＬ構成に関する同一のＵＬ ＴＴＩにおける例示的なＨＡＲＱ−ＡＣＫ伝送を示す。
【図１５】本発明により、それぞれのＨＡＲＱ−ＡＣＫ信号伝送のためのＰＵＣＣＨ資源を決定するために、従来のＴＤＤ ＵＬ−ＤＬ構成に関して、適応されたＴＤＤ ＵＬ−ＤＬ構成のＤＬ ＴＴＩの例示的なインデキシングを示す。
【図１６】本発明により、適応されたＴＤＤ ＵＬ−ＤＬ構成におけるそれぞれのＰＤＳＣＨ受信のＤＬ ＴＴＩインデックスによって、ＰＵＣＣＨ資源オフセットを用いてＨＡＲＱ−ＡＣＫ信号を伝送するためのＰＵＣＣＨ資源の例示的な決定を示す。
【図１７】それぞれのＤＬ ＴＴＩインデックスが、本発明により、それぞれの従来のＴＤＤ ＵＬ−ＤＬ構成に含まれているか否かによって、ＨＡＲＱ−ＡＣＫシグナリングのためのＰＵＣＣＨ資源の例示的な暗示的または明示的決定を示す。
【図１８】本発明により、関連するＵＬ ＰＣプロセスによってＰＵＳＣＨでＵＣＩをマルチプレキシングするか否かをＵＥによって判断する一例を示す。
【図１９】本発明に係るそれぞれのＴＴＩにより、ＰＵＳＣＨでＵＣＩをマルチプレキシングするか否かをＵＥによって判断する一例を示す。
【図２０】ＵＥが、本発明により、ＴＴＩのＰＵＳＣＨでＨＡＲＱ−ＡＣＫをマルチプレキシングするか否かによって、ＴＴＩでＰＵＳＣＨ伝送をスケジューリングするＤＣＩフォーマットに含まれるＵＬ ＤＡＩフィールドの例示的な使用を示す。
【図２１】ＨＡＲＱ−ＡＣＫが、単に、本発明によって予め決められたＵＬ ＴＴＩのＰＵＳＣＨでマルチプレキシングされる場合に効果的なバンドリング(ｂｕｎｄｌｉｎｇ)ウインドウサイズを示す。
【図２２】本発明に係るＵＣＩタイプ及びＴＴＩタイプにより、ＴＴＩで伝送されたＰＵＳＣＨへのＵＣＩをマルチプレキシングするための例示的なＵＥ決定を示す。
【図２３】本発明により、ＴＴＩの第１セットに対応する第１ＣＱＩ、ＴＴＩの第２セットに対応する第２ＣＱＩ、ＴＴＩの二つのセットに対応する単一ＰＭＩのうち同一のＰＵＣＣＨにおける例示的なマルチプレキシングを示す。
【図２４】本発明により、ＨＡＲＱ−ＡＣＫ、ＴＴＩの第１セットに関するＰ−ＣＳＩ、及びＴＴＩの第２セットに関するＰ−ＣＳＩのための例示的なＵＥ送信機のブロック図を示す。
【図２５】本発明により、ＨＡＲＱ−ＡＣＫ、ＴＴＩの第１セットに関するＰ−ＣＳＩ、及びＴＴＩの第２セットに関するＰ−ＣＳＩのための例示的なＮＢ受信機のブロック図を示す。
【図２６】本発明に係る最大の合計ペイロードにより、ＰＵＣＣＨフォーマット３に関する例示的な資源割り当てを示す。
【図２７】本発明により、２ＲＢを介して例示的なＰＵＣＣＨフォーマット３伝送を示す。
【図２８】本発明により、ＵＥが、適応されたＴＤＤ ＵＬ−ＤＬ構成で動作してから、従来のＴＤＤ ＵＬ−ＤＬ構成で動作するための例示的なＤＬまたはＵＬスケジューリング及びＨＡＲＱ−ＡＣＫ伝送を示す。
【図２９】本発明により、ＵＥ−特定のＤＬスケジューリングに関連するＰＤＣＣＨ検出に応答し、ＨＡＲＱ−ＡＣＫ情報がＵＥから伝送された他のＨＡＲＱ−ＡＣＫ情報に含まれるＵＥのグループに意図されたＰＤＣＣＨのＵＥによる検出または検出の不在に応答し、ＵＥからのＨＡＲＱ−ＡＣＫ情報の例示的な伝送を示す。
【図３０】本発明により、適応されたＴＤＤ ＵＬ−ＤＬ構成及び従来のＴＤＤ ＵＬ−ＤＬ構成としてのＴＤＤ ＵＬ−ＤＬ構成で動作するように構成されるＵＥによって、ＵＬインデックスまたはＵＬ ＤＡＩのうちいずれか一つでＰＵＳＣＨをスケジューリングするＤＣＩフォーマットにおけるフィールドの例示的な解釈を示す。
【発明を実施するための形態】
【００１９】
本出願は、２０１３年３月１３日に出願され、発明の名称が「適応的に構成されたＴＤＤ通信システムにおける肯定応答信号の伝送」である米国特許仮出願一連番号６１／７８０,２２７、２０１３年５月１８日に出願され、発明の名称が「適応的に構成されたＴＤＤ通信システムにおけるアップリンク制御情報の伝送」である米国特許仮出願一連番号６１／８２４,８５５、２０１３年９月１２日に出願され、発明の名称が「適応型ＴＤＤ通信システムにおけるアップリンク制御情報の伝送及び符号化」である米国特許仮出願一連番号６１／８７７,１２１、及び２０１３年１０月３１日に出願され、発明の名称が「適応型ＴＤＤ通信システムにおけるアップリンク制御情報の伝送及び符号化」である米国特許仮出願一連番号６１／８９８,２６９に対して優先権を主張する。上記特許仮出願は本明細書において、全面的に統合される。
【００２０】
図１〜図３０について、下記で説明する。本特許明細書において、本発明の原理を説明するために使用された様々な実施形態は単に例示的なものであり、本発明の範囲を制限するものではない。当業者は、本発明の原理が、任意の適切に配置された無線通信システムで具現されることを理解するべきである。
【００２１】
次の文書及び標準説明は、本明細書で十分に説明したように本発明に統合される。：３ＧＰＰ ＴＳ ３６.２１１ ｖ１１.１.０、「Ｅ−ＵＴＲＡ、物理的チャンネル及び変調」(ＲＥＦ１);３ＧＰＰ ＴＳ ３６.２１２ ｖ１１.１.０、「Ｅ−ＵＴＲＡ、マルチプレキシング及びチャンネル符号化」(ＲＥＦ２);３ＧＰＰ ＴＳ ３６.２１３ ｖ１１.１.０、「Ｅ−ＵＴＲＡ、物理的階層手続き」(ＲＥＦ３);及び３ＧＰＰ ＴＳ ３６.３３１ ｖ１１.１.０、「Ｅ−ＵＴＲＡ、無線資源制御(ＲＲＣ)プロトコル仕様」(ＲＥＦ４)。
【００２２】
本発明は、時間分割デュプレックス（ＴＤＤ）を利用する無線通信ネットワークにおける通信方向の適応に関する。無線通信ネットワークは、(基地局またはｅＮｏｄｅＢのような)伝送地点からユーザ装置(ＵＥ)に信号を搬送するダウンリンク(ＤＬ)を含む。無線通信ネットワークは、またＵＥからｅＮｏｄｅＢのような受信地点に信号を搬送するアップリンク(ＵＬ)を含む。
【００２３】
図１は、本発明に係る例示的な無線ネットワーク１００を示す。図１に示された無線ネットワーク１００の実施形態は単に説明するためのものである。無線ネットワーク１００の他の実施形態は本発明の範囲内で使用することができる。
【００２４】
図１に示されたように、無線ネットワーク１００は、ｅＮｏｄｅＢ(ｅＮＢ)１０１、ｅＮＢ１０２、及びｅＮＢ１０３を含む。ｅＮＢ１０１はｅＮＢ１０２及びｅＮＢ１０３と通信する。ｅＮＢ１０１は、またインターネット、専用ＩＰネットワーク、または他のデータネットワークのような少なくとも一つのインターネットプロトコル（ＩＰ）ネットワーク１３０と通信する。
【００２５】
ネットワークのタイプにより、他によく知られている用語は「基地局」または「アクセスポイント」のような「ｅＮｏｄｅＢ」または「ｅＮＢ」の代わりに使用することができる。便宜のために、用語「ｅＮｏｄｅＢ」及び「ｅＮＢ」は、本特許明細書において、無線アクセスを遠隔端末機に提供するネットワークインフラ構成要素を表すのに使用される。また、ネットワークタイプにより、他によく知られている用語は、「移動局」、「加入者ステーション」、「遠隔端末機」、「無線端末機」または「ユーザ装置」のような「ユーザ装置」または「ＵＥ」の代わりに使用することができる。便宜のために、用語「ユーザ装置」及び「ＵＥ」は、本特許明細書において、ＵＥが、（携帯電話またはスマートフォンのような）移動装置であるか、一般的に（デスクトップパソコンまたは自動販売機のような）固定装置であるか、無線でｅＮＢにアクセスする遠隔無線装備を表すのに使用される。
【００２６】
ｅＮＢ１０２は、ｅＮＢ１０２の通信可能領域１２０内の第１複数のユーザ装置(ＵＥ)のためのネットワーク１３０に無線広帯域アクセスを提供する。第１複数のＵＥは、小企業(ＳＢ)に位置し得るＵＥ１１１;企業(Ｅ)に位置し得るＵＥ１１２;ワイファイホットスポット(ＨＳ)に位置し得るＵＥ１１３;第１居住地(Ｒ)に位置し得るＵＥ１１４;第２居住地(Ｒ)に位置し得るＵＥ１１５;及びセルフォン、無線ラップトップ、無線ＰＤＡ等の移動装置(Ｍ)であるＵＥ１１６を含む。ｅＮＢ１０３は、ｅＮＢ１０３の通信可能領域１２５内の第２複数のＵＥのためのネットワーク１３０に無線広帯域アクセスを提供する。第２複数のＵＥはＵＥ１１５及びＵＥ１１６を含む。一部の実施形態において、ｅＮＢ１０１−１０３のうち一つ以上は互いに通信し、５Ｇ、ＬＴＥ、ＬＴＥ−Ａ、ＷｉＭＡＸ、または他の進歩した無線通信技術を利用してＵＥ１１１−１１６と通信することができる。
【００２７】
点線は、単に例示及び説明のためにほぼ円形で示される通信可能領域１２０及び１２５の概略的な範囲を表す。通信可能領域１２０及び１２５のように、ｅＮＢに関連する通信可能領域は、ｅＮＢの構成、及び天然及び人工障害物(ｎａｔｕｒａｌ ａｎｄ ｍａｎ−ｍａｄｅ ｏｂｓｔｒｕｃｔｉｏｎ)に関連する無線環境の変形によって不規則な形状を含む異なる形状を有することが明白に理解されるべきである。
【００２８】
下記で詳細に説明するように、（ｅＮＢ１０１−１０３及び／またはＵＥ１１１−１１６のような）ネットワーク１００の様々な構成要素は、ＴＤＤを活用できるネットワーク１００に肯定応答情報シグナリングを伝送することを支援する。
【００２９】
図１は、無線ネットワーク１００の一例を示しているが、図１に対して様々な変化を行うことができる。例えば、無線ネットワーク１００は、任意の適切な配置に多くのｅＮＢ及び多くのＵＥを含めることができる。また、ｅＮＢ１０１は、多くのＵＥと直接通信し、ネットワーク１３０への無線広帯域アクセスを、このようなＵＥに提供することができる。同様に、各ｅＮＢ１０２−１０３は、ネットワーク１３０と直接通信し、ネットワーク１３０への直接無線広帯域アクセスをＵＥに提供することができる。さらに、ｅＮＢ１０１、１０２及び／または１０３は、外部の電話ネットワークまたは他のタイプのデータネットワークのような他の外部ネットワーク、または付加的外部ネットワークへのアクセスを提供することができる。
【００３０】
図２は、本発明に係る例示的なＵＥ１１４を示す。図２に示されたＵＥ１１４の実施形態は単に説明するためのものであり、図１における他のＵＥは同一または類似する構成を有することができる。しかし、ＵＥは、様々な構成からなり、図２は、本発明の範囲をＵＥの任意の特定の具現によって制限しない。
【００３１】
図２に示されたように、ＵＥ１１４は、アンテナ２０５、無線周波数(ＲＦ)送受信機２１０、送信(ＴＸ)処理回路２１５、マイク２２０、及び受信(ＲＸ)処理回路２２５を含む。ＵＥ１１４は、またスピーカ２３０、メインプロセッサ２４０、入力／出力(Ｉ／Ｏ)インターフェース(ＩＦ)２４５、キーパッド２５０、ディスプレイ２５５、及びメモリ２６０を含む。メモリ２６０は、基本運営体制(ＯＳ)プログラム２６１及び一つ以上のアプリケーション２６２を含む。
【００３２】
ＲＦ送受信機２１０は、アンテナ２０５からｅＮＢまたは他のＵＥによって伝送された引込(ｉｎｃｏｍｉｎｇ)ＲＦ信号を受信する。ＲＦ送受信機２１０は、中間周波数(ＩＦ)または基底帯域信号を生成するために引込ＲＦ信号をダウン変換する。ＩＦまたは基底帯域信号は、基底帯域またはＩＦ信号をフィルタリング、デコーディング、及び／またはデジタル化することにより、処理された基底帯域信号を生成するＲＸ処理回路２２５に伝送される。ＲＸ処理回路２２５は、（音声データに関するもののように）処理された基底帯域信号をスピーカ２３０、または（ウェブブラウジングデータに関するもののように）追加処理のためのメインプロセッサ２４０に伝送する。
【００３３】
ＴＸ処理回路２１５は、マイクロフォン２２０からアナログまたはデジタル音声データを受信したり、メインプロセッサ２４０から（ウェブデータ、電子メール、または双方向ビデオゲームデータのような）他の引出(ｏｕｔｇｏｉｎｇ)基底帯域データを受信する。ＴＸ処理回路２１５は、処理された基底帯域またはＩＦ信号を生成するために引出基底帯域データをエンコーディング、マルチプレキシング、及び／またはデジタル化する。ＲＦ送受信機２１０は、ＴＸ処理回路２１５から処理された引出基底帯域またはＩＦ信号を受信し、基底帯域またはＩＦ信号をアンテナ２０５を介して伝送されるＲＦ信号にアップ変換する。
【００３４】
メインプロセッサ２４０は、一つ以上のプロセッサまたは他の処理装置を含むことができ、ＵＥ１１４の全体動作を制御するためにメモリ２６０に保存された基本ＯＳプログラム２６１を実行することができる。例えば、メインプロセッサ２４０は、よく知られた原理により、ＲＦ送受信機２１０、ＲＸ処理回路２２５、及びＴＸ処理回路２１５によって順方向チャンネル信号の受信、及び逆方向チャンネル信号の伝送を制御することができる。一部の実施形態において、メインプロセッサ２４０は少なくとも一つのマイクロプロセッサまたはマイクロ制御機を含む。
【００３５】
メインプロセッサ２４０は、またメモリ２６０に常駐する他のプロセス及びプログラムを実行することができる。メインプロセッサ２４０は、適応的に構成された時間分割デュプレックス（ＴＤＤ）通信システムにおいて、肯定応答信号を伝送することを支援する動作のような実行プロセスによって要求されるように、メモリ２６０にデータを移動させたり、メモリ２６０からデータを移動させることができる。一部の実施形態において、メインプロセッサ２４０は、ＯＳプログラム２６１に基づいたり、ｅＮＢ、他のＵＥ、またはオペレータから受信された信号に応答してアプリケーション２６２を実行するように構成される。メインプロセッサ２４０は、ラップトップコンピュータ及びハンドヘルドコンピュータのような他の装置に接続する能力をＵＥ１１４に提供するＩ／Ｏインターフェース２４５に結合される。Ｉ／Ｏインターフェース２４５は、このような補助装置(ａｃｃｅｓｓｏｒｉｅｓ)とメインプロセッサ２４０間の通信経路である。
【００３６】
メインプロセッサ２４０は、またキーパッド２５０及びディスプレイユニット２５５に結合される。ＵＥ１１４のオペレータはデータをＵＥ１１４に入力するためにキーパッド２５０を使用することができる。ディスプレイ２５５は、ウェブサイトのように、テキスト及び／または少なくとも制限されたグラフィックをレンダリング(ｒｅｎｄｅｒｉｎｇ)できる液晶ディスプレイまたは他のディスプレイである。ディスプレイ２５５はまたタッチスクリーンとなり得る。
【００３７】
メモリ２６０はメインプロセッサ２４０に結合される。メモリ２６０の部分はランダムアクセスメモリ(ＲＡＭ)を含むことができ、メモリ２６０の他の部分はフラッシュメモリまたは他の読み取り専用メモリ(ＲＯＭ)を含むことができる。
【００３８】
下記で詳細に説明するように、（ＲＦ送受信機２１０、ＴＸ処理回路２１５、及び／またはＲＸ処理回路２２５を用いて具現される）ＵＥ１１４の送信及び受信経路は、適応的に構成されたＴＤＤシステムにおいて、アップリンク及びダウンリンク適応のためのダウンリンクシグナリングを支援する。
【００３９】
図２は、ＵＥ１１４の一例を示しているが、図２に対して様々な変化を行うことができる。例えば、図２における様々な構成要素は組み合わせることができ、さらに細分化または省略することができ、付加的な構成要素は特定の必要によって追加することができる。特定の例として、メインプロセッサ２４０は、一つ以上の中央処理装置(ＣＰＵ)及び一つ以上のグラフィック処理装置(ＧＰＵ)のように多数のプロセッサに分割することができる。また、図２は、携帯電話またはスマートフォンとして構成されたＵＥ１１４を示しているが、ＵＥは他のタイプの移動または固定装置として動作するように構成することができる。さらに、図２の様々な構成要素は、相違するＲＦ構成要素がｅＮＢ１０１−１０３及び他のＵＥと通信するのに使用される場合のように複製され得る。
【００４０】
図３は、本発明に係る例示的なｅＮＢ１０２を示す。図３に示されたｅＮＢ１０２の実施形態は単に説明するためのものであり、図１の他のｅＮＢは同一または類似する構成を有することができる。しかし、ｅＮＢは様々な構成からなり、図３は本発明の範囲をｅＮＢの任意の特定の具現に制限しない。
【００４１】
図３に示されたように、ｅＮＢ１０２は、多数のアンテナ３０５ａ−３０５ｎ、多数のＲＦ送受信機３１０ａ−３１０ｎ、送信(ＴＸ)処理回路３１５、及び受信(ＲＸ)処理回路３２０を含む。ｅＮＢ１０２は、また制御機／プロセッサ３２５、メモリ３３０、及びバックホール(ｂａｃｋｈａｕｌ)またはネットワークインターフェース３３５を含む。
【００４２】
ＲＦ送受信機３１０ａ−３１０ｎは、アンテナ３０５ａ−３０５ｎからＵＥまたは他のｅＮＢによって伝送された信号のような引込ＲＦ信号を受信する。ＲＦ送受信機３１０ａ−３１０ｎは、ＩＦまたは基底帯域信号を生成するために引込ＲＦ信号をダウン変換する。ＩＦまたは基底帯域信号は、基底帯域またはＩＦ信号をフィルタリング、デコーディング、及び／またはデジタル化することによって処理された基底帯域信号を生成するＲＸ処理回路３２０に伝送される。ＲＸ処理回路３２０は、追加処理のために処理された基底帯域信号をメインプロセッサ２４０に伝送する。
【００４３】
ＴＸ処理回路３１５は、制御機／プロセッサ３２５から、（音声データ、ウェブデータ、電子メール、または双方向ビデオゲームデータのような）アナログまたはデジタルデータを受信する。ＴＸ処理回路３１５は、処理された基底帯域またはＩＦ信号を生成するために、引出基底帯域データをエンコーディング、マルチプレキシング、及び／またはデジタル化する。ＲＦ送受信機３１０ａ−３１０ｎは、ＴＸ処理回路３１５から処理された引出基底帯域またはＩＦ信号を受信し、基底帯域またはＩＦ信号をアンテナ３０５ａ−３０５ｎを介して伝送されるＲＦ信号にアップ変換する。
【００４４】
制御機／プロセッサ３２５は、一つ以上のプロセッサまたはｅＮＢ１０２の全体動作を制御する他の処理装置を含むことができる。例えば、制御機／プロセッサ３２５は、よく知られた原理により、ＲＦ送受信機３１０ａ−３１０ｎ、ＲＸ処理回路３２０、及びＴＸ処理回路３１５によって順方向チャンネル信号の受信及び逆方向チャンネル信号の伝送を制御することができる。制御機／プロセッサ３２５は、より改善された無線通信機能のような付加的な機能をさらに支援することができる。例えば、制御機／プロセッサ３２５は、多数のアンテナ３０５ａ−３０５ｎからの引出信号が希望する方向に引出信号が、効率的に調整するように、相違に加重されるビーム形成または指向性ルーティング動作を支援することができる。様々な異なる機能のうちいずれか一つは制御機／プロセッサ３２５によってｅＮＢ１０２に支援され得る。一部の実施形態において、制御機／プロセッサ３２５は少なくとも一つのマイクロプロセッサまたはマイクロ制御機を含む。
【００４５】
制御機／プロセッサ３２５は、また適応的に構成された時間分割デュプレックス（ＴＤＤ）通信システムにおいて、ダウンリンク伝送をスケジューリングするためのチャンネル状態情報を提供することを支援する基本ＯＳ及び動作のように、メモリ３３０に常駐するプログラム及び他のプロセスを実行することができる。制御機／プロセッサ３２５は、実行プロセスによって要求されるように、メモリ３３０にデータを移動させたり、メモリ３３０からデータを移動させることができる。
【００４６】
制御機／プロセッサ３２５は、またバックホールまたはネットワークインターフェース３３５に結合される。バックホールまたはネットワークインターフェース３３５は、ｅＮＢ１０２が、バックホール連結またはネットワークを介して他の装置またはシステムと通信できるようにする。インターフェース３３５は任意の適切な有線または無線連結を介して通信を支援することができる。例えば、ｅＮＢ１０２が、（５Ｇ、ＬＴＥまたはＬＴＥ−Ａを支援するように）セルラー通信システムの一部として具現される場合、インタフェース３３５は、ｅＮＢ１０２が、有線または無線バックホール連結を介して他のｅＮＢと通信できるようにする。ｅＮＢ１０２がアクセスポイントとして具現される場合、インタフェース３３５は、ｅＮＢ１０２が、有線または無線近距離通信網または（インターネットのような）より大きいネットワークに対する有線または無線連結を介して通信できるようにする。インターフェース３３５は、インターネットまたはＲＦ送受信機のように、有線または無線連結を介して通信を支援する任意の適切な構造を含む。
【００４７】
メモリ３３０は制御機／プロセッサ３２５に結合される。メモリ３３０の部分はＲＡＭを含むことができ、メモリ３３０の他の部分はフラッシュメモリまたは他のＲＯＭを含むことができる。
【００４８】
下記で詳細に説明するように、（ＲＦ送受信機３１０ａ−３１０ｎ、ＴＸ処理回路３１５、及び／またはＲＸ処理回路３２０を用いて具現される）ｅＮＢ１０２の送信及び受信経路は、適応的に構成されたＴＤＤシステムにおいて、アップリンク及びダウンリンク適応のためのダウンリンクシグナリングを支援する。
【００４９】
図３は、ｅＮＢ１０２の一例を示しているが、図３に対して様々な変化を行うことができる。例えば、ｅＮＢ１０２は、図３に示された多くのそれぞれの構成要素を含むことができる。特定の例として、アクセスポイントは多数のインターフェース３３５を含むことができ、制御機／プロセッサ３２５は相違するネットワークアドレス間のデータをルーティングするためのルーティング機能を支援することができる。他の特定の例として、ＴＸ処理回路３１５の単一インスタンス(ｓｉｎｇｌｅ ｉｎｓｔａｎｃｅ)及びＲＸ処理回路３２０の単一インスタンスを含むように示されているが、ｅＮＢ１０２は、（ＲＦ送信機１台当たり一つのような）多数のインスタンスをそれぞれを含むことができる。
【００５０】
一部の無線ネットワークにおいて、ＤＬ信号は、情報コンテンツを搬送するデータ信号、ＤＬ制御情報(ＤＣＩ)を搬送する制御信号及び基準信号(ＲＳ)を含む。ｅＮＢは、それぞれの物理的ＤＬ共有チャンネル(ＰＤＳＣＨ)を介してデータ情報を伝送する。ｅＮＢは、物理的ＤＬ制御チャンネル(ＰＤＣＣＨ)または向上されたＰＤＣＣＨ(ＥＰＤＣＣＨ)を介してＤＣＩを伝送する。ＰＤＣＣＨは一つ以上の制御チャンネル要素(ＣＣＥ)を介して送信されるが、ＥＰＤＣＣＨはＥＣＣＥを介して伝送される(また、ＲＥＦ１を参照)。ｅＮＢ１０２のようなｅＮＢは、ＵＥ−共通ＲＳ(ＣＲＳ)、チャンネル状態情報ＲＳ(ＣＳＩ−ＲＳ)、及び復調ＲＳ(ＤＭＲＳ)を含む多数のタイプのＲＳのうち一つ以上を伝送する。ＣＲＳは、全体ＤＬＢａｎｄＷｉｄｔｈ(ＢＷ)を介して効果的に伝送され、ＵＥ１１４のようなＵＥにより、ＰＤＳＣＨまたはＰＤＣＣＨを復調したり、測定を行うのに使用され得る。ｅＮＢ１０２は、またＣＲＳより時間及び／または周波数ドメインにおいて、低い密度でＣＳＩ−ＲＳを伝送することができる。ＤＭＲＳは、それぞれのＰＤＳＣＨまたはＰＤＣＣＨのＢＷでのみ伝送され、ＵＥ１１４は、ＰＤＳＣＨまたはＥＰＤＣＣＨで情報を一貫して復調するためにＤＭＲＳを使用することができる(また、ＲＥＦ１を参照)。
【００５１】
一部の無線ネットワークにおいて、ＵＬ信号は、情報コンテンツを搬送するデータ信号、ＵＬ制御情報(ＵＣＩ)を搬送する制御信号及びＲＳを含むことができる。ＵＥ１１４は、それぞれの物理的ＵＬ共有チャンネル(ＰＵＳＣＨ)または物理的ＵＬ制御チャンネル(ＰＵＣＣＨ)を介してデータ情報またはＤＣＩを伝送する。ＵＥ１１４が、同一の伝送時間間隔(ＴＴＩ)におけるデータ情報及びＵＣＩを伝送すれば、ＵＥ１１４はＰＵＳＣＨで両方をマルチプレキシングすることができる。ＵＣＩは、ＰＤＳＣＨでデータ伝送ブロック(ＴＢ)の正しい(ＡＣＫ)または正しくない(ＮＡＣＫ)検出を表すハイブリッド自動繰り返しｒｅＱｕｅｓｔＡＣＫｎｏｗｌｅｄｇｅｍｅｎｔ(ＨＡＲＱ−ＡＣＫ)情報、ＵＥ１１４がバッファにデータを有しているか否かを表すスケジューリング要請(ＳＲ)、及びｅＮＢ１０２がＵＥ１１４へのＰＤＳＣＨまたはＰＤＣＣＨ伝送のための適切なパラメータを選択できるようにするチャンネル状態情報(ＣＳＩ)を含む。ＵＥ１１４がＰＤＳＣＨをスケジューリングするＰＤＣＣＨを検出できなければ、ＵＥ１１４は、これをＤＴＸと称するＨＡＲＱ−ＡＣＫ状態を用いて表すことができる。ＤＴＸ及びＮＡＣＫは時々同一の値にマッピングされ得る(ＮＡＣＫ／ＤＴＸ値、また、ＲＥＦ３を参照)。ＵＬ ＲＳはＤＭＲＳ及びサウンディング(Ｓｏｕｎｄｉｎｇ)ＲＳ(ＳＲＳ)を含む。ＤＭＲＳはそれぞれのＰＵＳＣＨまたはＰＵＣＣＨのＢＷでのみ伝送される。ｅＮＢ１０２は、ＰＵＳＣＨまたはＰＵＣＣＨにおける情報の相関性復調のためにＤＭＲＳを利用することができる。ＳＲＳは、ＵＬ ＣＳＩをｅＮＢ１０２に提供するためにＵＥ１１４によって伝送される。
【００５２】
ＣＳＩ伝送は、例えば、無線資源制御(ＲＲＣ)シグナリングのような上位階層シグナリングにより、ＵＥ１１４に構成されるパラメータを有するＰＵＣＣＨにおける周期的(Ｐ−ＣＳＩ)、またはＰＵＳＣＨをスケジューリングするＰＤＣＣＨにより搬送されるＤＣＩフォーマットに含まれたＡ−ＣＳＩ要求フィールドによってトリガーされる際にはＰＵＣＣＨにおける非周期的(Ａ−ＣＳＩ)である(また、ＲＥＦ２を参照)。ＤＭＲＳは、それぞれのＰＵＳＣＨまたはＰＵＣＣＨのＢＷにのみ伝送され、ｅＮＢ１０２はＰＵＳＣＨまたはＰＵＣＣＨにおける情報を復調するためにＤＭＲＳを利用することができる。ＳＲＳは、ＵＬ ＣＳＩをｅＮＢ１０２に提供するためにＵＥ１１４によって伝送される。ＵＥ１１４からのＳＲＳ伝送は、上位階層シグナリングによってＵＥ１１４に構成される伝送パラメータを有する予め決められたインスタンスにおける周期的(Ｐ−ＳＲＳ)であるか、ＰＵＳＣＨまたはＰＤＳＣＨをスケジューリングするＰＤＣＣＨにより搬送されるＤＣＩフォーマットによってトリガーされる際には非周期的(Ａ−ＳＲＳ)である。(また、ＲＥＦ２を参照)。
【００５３】
ＵＥ１１４からのＣＳＩ報告はチャンネル品質表示子(ＣＱＩ)を含み、ＣＳＩ報告はまたプリコーディングマトリックス表示子(ＰＭＩ)を含むことができる。ＣＱＩは、ＵＥ１１４にＰＤＳＣＨを伝送のための変調及び符号化方式(ＭＣＳ)をｅＮＢ１０２で表す。ＰＭＩは、多重入力多重出力(ＭＩＭＯ)伝送方法によって多数のｅＮＢアンテナポートからＰＤＳＣＨ伝送の組み合わせを表す。ＵＥ１１４からのＲＩ報告は、ＰＤＳＣＨに支援される多数の空間に関するサービングｅＮＢに情報を提供する。表１は、ＰＵＣＣＨに伝送された４ビットＣＱＩ(１６インデックス値)に関する例示的な値を示す(また、ＲＥＦ３を参照)。表２は、変調次数(ｍｏｄｕｌａｔｉｏｎ ｏｒｄｅｒ)(Ｑｍ個)でＰＤＳＣＨをスケジューリングするＤＣＩフォーマットにおけるＭＣＳフィールドＩＭＣＳ、及びＰＤＳＣＨにおけるデータ伝送のための伝送ブロックサイズ(ＴＢＳ)インデックスＩＴＢＳに関するマッピングを表す。ＵＥ１１４が、高い信号対雑音（ａ ｈｉｇｈ Ｓｉｇｎａｌ−ｔｏ−Ｎｏｉｓｅ）及び干渉比(ＳＩＮＲ)を経験すれば、それは表１と類似する１６個のインデックス値を有するＣＱＩ表、及び表２と類似する変調及びＴＢＳインデックス表をｅＮＢ１０２によって構成することができるが、また、スペクトル効率に対する高い値を支援するために２５６ ＱＡＭ変調の使用を含むことができる。
【００５４】
【表１】
2019050626.tif 000003
【００５５】
【表２】
2019050626.tif 000004
【００５６】
ＤＭＲＳまたはＳＲＳ伝送は、それぞれのＺａｄｏｆｆ−Ｃｈｕ(ＺＣ)シーケンスの伝送を介して行うことができる(また、ＲＥＦ１を参照)。ＺＣシーケンスの相違するＣＳは、直交ＺＣシーケンスを提供することができ、同一のＰＲＢでそれぞれのＨＡＲＱ−ＡＣＫ信号及びＲＳの直交マルチプレキシングを達成するために相違するＵＥに割り当てられる。このような直交マルチプレキシングは、また直交カバーリングコード(Ｏｒｔｈｏｇｏｎａｌ Ｃｏｖｅｒｉｎｇ Ｃｏｄｅ)(ＯＣＣ)を用いて時間ドメイン内で行うことができる。このような方式で、後述するように、ＲＢ一つ当たりＰＵＣＣＨマルチプレキシング容量は、（より短い長さを有するＯＣＣによって決定される）３の因数だけ増加される。ＨＡＲＱ−ＡＣＫ信号またはＤＭＲＳ伝送に関するＲＢにおけるＰＵＣＣＨ資源ｎＰＵＣＣＨは、ＯＣＣ ｎｏｃ及びＣＳαの対によって定義される。ＰＵＣＣＨ ＲＢ内のすべての資源が使用される場合、すぐ次のＲＢの資源が使用される。
【００５７】
隣接するセルに対するそれぞれの干渉を制御して受信信頼性目標を達成し、適切なネットワーク動作を保障しつつ、関連する信号が、ｅＮＢ１０２で希望するＳＩＮＲで受信されるようにＰＵＳＣＨまたはＰＵＣＣＨ伝送電力が決定される。ＵＬ電力制御(ＰＣ)は、セル特定及びＵＥ特定のパラメータを有する開放ループ電力制御(ＯＬＰＣ)及び伝送電力制御(ＴＰＣ)命令でｅＮＢ１０２によって提供される閉鎖ループ電力制御(ＣＬＰＣ)訂正を含む(また、ＲＥＦ３を参照)。ＰＵＳＣＨ伝送がＰＤＣＣＨによってスケジューリングされる場合、ＴＰＣ命令はそれぞれのＤＣＩフォーマットに含まれる。ＴＰＣ命令は、また共同でＤＣＩフォーマット３／３ＡというＤＣＩフォーマット３またはＤＣＩフォーマット３Ａを搬送し、ＴＰＣ命令をＵＥのグループに提供する別途のＰＤＣＣＨによって提供され得る。ＤＣＩフォーマットは、循環重複検査(ＣＲＣ)ビットを含み、ＵＥ１１４は、ＣＲＣビットをスクランブリングするために使用されるそれぞれの無線ネットワーク臨時識別子(ＲＮＴＩ)からＤＣＩフォーマットタイプを識別する。ＤＣＩフォーマット３／３Ａに関し、ＲＮＴＩはＴＰＣ−ＲＮＴＩであり、ＵＥ１１４は上位階層シグナリングによって構成される。ＵＥ１１４からのＰＵＳＣＨ伝送またはＵＥ１１４へのＰＤＳＣＨ伝送をスケジューリングするＤＣＩフォーマットに関し、ＲＮＴＩはセルＲＮＴＩ(Ｃ−ＲＮＴＩ)である。付加的なＲＮＴＩタイプはまた存在する。ＳＲＳ伝送の電力はＰＵＳＣＨ伝送電力による。
【００５８】
図４は、本発明により、ＴＴＩにわたる例示的なＰＵＳＣＨ伝送構造を示す。図４に示されたＴＴＩにわたるＰＵＳＣＨ伝送構造４００の実施形態は単に説明するためのものである。他の実施形態は本発明の範囲内で使用することができる。
【００５９】
図４に示されたように、ＴＴＩは二つのスロットを含む一つのサブフレーム４１０に対応する。各スロット４２０は、データ情報ＵＣＩまたはＲＳを伝送するための
【００６０】
【数１】
2019050626.tif 000005
【００６１】
シンボル４３０を含む。各スロットの一部のＴＴＩシンボルはＤＭＲＳ４４０を伝送するために使用される。伝送ＢＷは資源ブロック(ＲＢ)と称される周波数資源ユニットを含む。各ＲＢは、
【００６２】
【数２】
2019050626.tif 000006
【００６３】
サブキャリアまたは資源要素(ＲＥ)を含み、ＵＥ１１４には、ＰＵＳＣＨ伝送ＢＷに関する合計
【００６４】
【数３】
2019050626.tif 000007
【００６５】
に関する
【００６６】
【数４】
2019050626.tif 000008
【００６７】
ＲＢ４５０が割り当てられる。最後のＴＴＩシンボルは、一つ以上のＵＥからＳＲＳ伝送４６０をマルチプレキシングするのに使用される。データ／ＵＣＩ／ＤＭＲＳ伝送に利用可能なＴＴＩシンボルの数は
【００６８】
【数５】
2019050626.tif 000009
【００６９】
であり、ここで、最後のＴＴＩシンボルがＳＲＳを伝送するために使用される場合には
【００７０】
【数６】
2019050626.tif 000010
【００７１】
であり、他の場合には
【００７２】
【数７】
2019050626.tif 000011
【００７３】
である。
【００７４】
図５は、ＰＵＳＣＨにおけるデータ情報及びＵＣＩのための例示的なＵＥ送信機構造を示す。図５に示されたＵＥ送信機５００の実施形態は単に説明するためのものである。他の実施形態は本発明の範囲内で使用することができる。特定の実施形態において、送信機５００はＵＥ１１４内に位置する。
【００７５】
図５に示されたように、符号化されたＣＳＩシンボル２０５及び符号化されたデータシンボル５１０はマルチプレクサ５２０によってマルチプレキシングされる。その後、符号化されたＨＡＲＱ−ＡＣＫシンボルは、データシンボル及び／またはＣＳＩシンボルを穿孔してマルチプレクサ５３０によって挿入される。符号化されたＲＩシンボルの伝送は、(図示されていない)符号化されたＨＡＲＱ−ＡＣＫシンボルに関するものと類似している。離散フーリエ変換(ＤＦＴ)は、ＤＦＴユニット５４０によって得られ、ＰＵＳＣＨ伝送ＢＷに対応するＲＥ５５０は選択器５５５によって選択され、逆高速フーリエ変換(ＩＦＦＴ)はＩＦＦＴユニット５６０によって実行され、出力はフィルタ５７０によってフィルタリングされ、電力増幅器(ＰＡ)５８０によって所定の電力を印加し、その後信号は伝送される（５９０）。簡略化のために、デジタル−アナログ変換機、フィルタ、増幅器及び送信機アンテナだけでなく、データシンボル及びＵＣＩシンボルのためのエンコーダ及び変調器のような追加的な送信機回路は簡略化のために省略される。
【００７６】
図６は、ＰＵＳＣＨでデータ情報及びＵＣＩに関する例示的なｅＮＢｒｅｃｅｉｖｅｒ構造を示す。図６に示されたｅＮＢ受信機６００の実施形態は単に説明するためのものである。他の実施形態は本発明の範囲内で使用することができる。特定の実施形態において、ｅＮＢ受信機６００はｅＮＢ１０２内に位置する。
【００７７】
図６に示されたように、受信された信号６１０はフィルタ６２０によってフィルタリングされ、高速フーリエ変換(ＦＦＴ)はＦＦＴユニット６３０によって適用され、選択器ユニット６４０は送信機によって使用されるＲＥ６５０を選択し、逆ＤＦＴ(ＩＤＦＴ)ユニットはＩＤＦＴ６６０を適用し、デマルチプレクサ６７０は符号化されたＨＡＲＱ−ＡＣＫシンボルを抽出して、データシンボル及びＣＳＩシンボルに関する対応するＲＥに消去(ｅｒａｓｕｒｅ)を配置し、最終的にデマルチプレクサ６８０は符号化されたデータシンボル６９０と符号化されたＣＳＩシンボル６９５を分離する。符号化されたＲＩシンボルの受信は、(図示されていない)符号化されたＨＡＲＱ−ＡＣＫシンボルに関するものと類似している。データ及びＵＣＩシンボルに関するチャンネル推定器、復調器及びデコーダのような追加的な受信機回路は簡略化のために図示されない。
【００７８】
ＰＵＣＣＨにおけるＨＡＲＱ−ＡＣＫ伝送、またはＰＵＣＣＨにおける共同ＨＡＲＱ−ＡＣＫ及びＰ−ＣＳＩ伝送のために、
【００７９】
【数８】
2019050626.tif 000012
【００８０】
ＨＡＲＱ−ＡＣＫビットのペイロードまたは
【００８１】
【数９】
2019050626.tif 000013
【００８２】
ＨＡＲＱ−ＡＣＫビット及び
【００８３】
【数１０】
2019050626.tif 000014
【００８４】
ビットのペイロードは、例えば、ブロックコードを用いてエンコーディングすることができる。対応するＰＵＣＣＨフォーマットはＰＵＣＣＨフォーマット３と称される。簡略化のために、次は、ＨＡＲＱ−ＡＣＫビットのみを考慮すれば、ブロックコードは
【００８５】
【数１１】
2019050626.tif 000015
【００８６】
リードーミュラー(ＲＭ)コードとなり得る(また、ＲＥＦ２を参照)。周波数分割デュプレックス(ＦＤＤ)システムの場合、一つまたは二つのＨＡＲＱ−ＡＣＫビットは、それぞれＰＵＣＣＨフォーマット１ａまたはＰＵＣＣＨフォーマット１ｂを用いて伝送することができるが、時間分割デュプレックスＴＤＤシステムの場合には、最大４のＨＡＲＱ−ＡＣＫビットが資源マルチプレキシングでＰＵＣＣＨフォーマット１ｂを用いて伝送することができる(また、ＲＥＦ３を参照)。
【００８７】
図７は、本発明により、共同符号化でＨＡＲＱ−ＡＣＫ伝送のための一つのＴＴＩスロットの例示的なＰＵＣＣＨフォーマット３の構造を示す。図７に示された送信機７００の実施形態は単に説明するためのものである。他の実施形態は本発明の範囲内で使用することができる。
【００８８】
図７に示されたように、それぞれ、例えば、
【００８９】
【数１２】
2019050626.tif 000016
【００９０】
ＲＭコードで穿孔された
【００９１】
【数１３】
2019050626.tif 000017
【００９２】
ＲＭコード及び(簡略化のために図示されていない)求積位相シフトキーイング(Ｑｕａｄｒａｔｕｒｅ Ｐｈａｓｅ−Ｓｈｉｆｔ Ｋｅｙｉｎｇ)を用いたエンコーディング及び変調後に、同一のＨＡＲＱ−ＡＣＫビット７１０のセットはＯＣＣ７３０の要素と掛け算され（７２０）、その後ＤＦＴプリコーディングされる（７４０）。例えば、ＨＡＲＱ−ＡＣＫビットを搬送するスロット一つ当たり５シンボルに関し、ＯＣＣは長さ５{ＯＣＣ(０)、ＯＣＣ(１)、ＯＣＣ(２)、ＯＣＣ(３)、ＯＣＣ(４)}を有し、{１、１、１、１、１}、または{１、ｅｘｐ(ｊ２π／５)、ｅｘｐ(ｊ４π／５)、ｅｘｐ(j６π／５)、ｅｘｐ(ｊ８π／５)}、または{１、ｅｘｐ(ｊ４π／５)、ｅｘｐ(ｊ８π／５)、ｅｘｐ(ｊ２π／５)、ｅｘｐ(ｊ６π／５)}、または{１、ｅｘｐ(ｊ６π／５)、ｅｘｐ(ｊ２π／５)、ｅｘｐ(ｊ８π／５)、ｅｘｐ(ｊ４π／５)}、または{１、ｅｘｐ(ｊ８π／５)、ｅｘｐ(ｊ６π／５)、ｅｘｐ(ｊ４π／５)、ｅｘｐ(ｊ２π／５)}のうちいずれか一つである。出力は、ＩＦＦＴ７５０を介して伝達されてから、ＴＴＩシンボル７６０にマッピングされる。以前の動作が線形である場合、これらの相対的順序は互いに変更され得る。ＰＵＣＣＨは一つのＴＴＩにわたって一つのＲＢで伝送される。結果として、２４エンコーディングされたＨＡＲＱ−ＡＣＫビットは各スロットで伝送され、１２ ＱＰＳＫシンボルにマッピングされる。同一または相違するＨＡＲＱ−ＡＣＫビットはＴＴＩの第２スロットで伝送され得る。ＨＡＲＱ−ＡＣＫ信号以外に、ＲＳは、ＨＡＲＱ−ＡＣＫ信号の相関性復調を可能にするために各スロットで伝送される。ＲＳは、ＩＦＦＴ７８０を介して伝達され、他のＴＴＩシンボル７９０にマッピングされる長さ１２ ＺＣシーケンス７７０から構成される。相違するＵＥからのＲＳのマルチプレキシングは、同一のＺＣシーケンスの相違するＣＳを利用することによって達成される。
【００９３】
図７におけるＰＵＣＣＨフォーマット３構造が、数ビットより大きいＨＡＲＱ−ＡＣＫペイロードを支援することはできるが、それは(ＯＣＣの長さによって決定される)最大５ ＵＥからのＨＡＲＱ−ＡＣＫ信号伝送がＲＢごとに受け入れられるときに大きいオーバーヘッドを必要とする。さらに、最大支援可能なＨＡＲＱ−ＡＣＫペイロード(または、ＨＡＲＱ−ＡＣＫ及びＰ−ＣＳＩペイロード)は、２２ビットより大きいペイロードの場合に生成されたコード率が大きすぎて受信が信頼できなくなったときに約２２ビットに制限される。約１２及び２１ビット間のＨＡＲＱ−ＡＣＫペイロード(または、ＨＡＲＱ−ＡＣＫ及びＰ−ＣＳＩペイロード)の場合、ＤＦＴの連続的な要素へのマッピングが、第１ＲＭコードの出力からの要素と第２ＲＭコードの出力からの要素間で、逐次的な方式で交互に起こり得る２重ＲＭコードが使用され得る(また、ＲＥＦ１を参照)。
【００９４】
図８は、本発明により、ＰＵＣＣＨフォーマット３を使用するＨＡＲＱ−ＡＣＫ情報に関する例示的なＵＥ送信機のブロック図を示す。図８に示されたＵＥ送信機８００の実施形態は単に説明するためのものである。他の実施形態は本発明の範囲内で使用することができる。特定の実施形態において、ＵＥ送信機８００はＵＥ１１４内に位置する。
【００９５】
図８に示されたように、ＨＡＲＱ−ＡＣＫ情報８０５はエンコーディングされて変調され（８１０）、その後、それぞれのＴＴＩシンボルに関するＯＣＣ８２５の要素と掛け算される（８２０）。ＤＦＴプリコーディング（８３０）後、割り当てられたＰＵＣＣＨ ＲＢのＲＥ８４０は選択され（８５０）、ＩＦＦＴは実行され（８６０）、最終的に循環プレフィックス(ＣＰ)８７０及びフィルタリング８８０は伝送された信号８９０に適用される。
【００９６】
図９は、本発明により、ＰＵＣＣＨフォーマット３を用いてＨＡＲＱ−ＡＣＫ情報に関する例示的なｅＮＢ受信機のブロック図を示す。図９に示されたｅＮＢ受信機９００の実施形態は単に説明するためのものである。他の実施形態は本発明の範囲内で使用することができる。特定の実施形態において、ｅＮＢ受信機９００はｅＮＢ１０２内に位置する。
【００９７】
図９に示されたように、受信された信号９１０はフィルタリングされ(９２０)、ＣＰは除去される(９３０)。その後、ｅＮＢ１０２受信機はＦＦＴ９４０を適用し、ＵＥ１１４送信機によって使用されるＲＥ９５０を選択し、ＩＤＦＴ９６０を適用し、それぞれのＴＴＩシンボルに関するＯＣＣ要素９７５と掛け算し(９７０)、各スロット９８０を介してＨＡＲＱ−ＡＣＫ情報を搬送するＴＴＩシンボルに関する出力を合算し、伝送されたＨＡＲＱ−ＡＣＫ情報ビット９９５の推定値を獲得するために、ＴＴＩの二つのスロット９９０を介して合算されたＨＡＲＱ−ＡＣＫ信号を復調してデコーディングする。
【００９８】
図１０は、本発明により、ＴＴＩの一つのスロットにおける例示的なＰＵＣＣＨフォーマット１ａ／１ｂ構造を示す。図１０に示されたＰＵＣＣＨフォーマット構造１０００の例は単に説明するためのものである。他の実施形態は本発明の範囲内で使用することができる。
【００９９】
図１０に示されたように、ＨＡＲＱ−ＡＣＫビット１０１０は、バイナリ位相シフトキーイング(ＢＰＳＫ)またはＱＰＳＫ変調を用いてＺＣシーケンス１０３０を変調する(１０２０)。変調されたＺＣシーケンスはＩＦＦＴ１０４０を実行した後で伝送される。ＲＳは変調されていないＺＣシーケンス１０５０を介して伝送される。
【０１００】
図１１は、本発明に係るＰＵＣＣＨフォーマット１ａ／１ｂに関する例示的な送信機構造を示す。図１１に示された送信機１１００の実施形態は単に説明するためのものである。他の実施形態は本発明の範囲内で使用することができる。特定の実施形態において、送信機１１００はＵＥ１１４内に位置する。
【０１０１】
図１１に示されたように、ＺＣシーケンスは周波数ドメイン１１１０で生成される。第１ＲＢ及び第２ＲＢは、それぞれ第１スロット及び第２スロットでＺＣシーケンスの送信１１３０のために選択され(１１２０)、ＩＦＦＴは実行され(１１４０)、ＣＳはフィルタリングされて(１１６０)伝送される(１１７０)出力(１１５０)に適用する。
【０１０２】
図１２は、本発明に係るＰＵＣＣＨフォーマット１ａ／１ｂに関する例示的な受信機構造を示す。図１２に示された受信機１２００の実施形態は単に説明するためのものである。他の実施形態は本発明の範囲内で使用することができる。特定の実施形態において、受信機１２００はｅＮＢ１０２内に位置する。
【０１０３】
図１２に示されたように、受信された信号１２１０はフィルタリングされ(１２２０)、ＣＳは復元され(１２３０)、ＦＦＴ１２４０は適用され、それぞれ第１スロット及び第２スロットの第１ＲＢ及び第２ＲＢ１２５０は選択され(１２６０)、信号はＺＣシーケンスの複製１２８０と互いに関係する(１２７０)。その後、出力１２９０は、ＲＳの場合、時間−周波数補間器のようなチャンネル推定ユニット、または伝送されたＨＡＲＱ−ＡＣＫビットに関する検出ユニットに伝達され得る。
【０１０４】
ＴＤＤ通信システムにおいて、一部のＴＴＩにおける通信方向はＤＬ内にあり、一部の他のＴＴＩにおける通信方向はＵＬ内にある。表３は、またフレーム周期と称される１０ ＴＴＩの周期(ＴＴＩは１ミリ秒(ｍｓｅｃ)の持続時間を有する)にわたって表すＵＬ−ＤＬ構成を挙げたものである。「Ｄ」はＤＬ ＴＴＩを表し、「Ｕ」はＵＬ ＴＴＩを表し、「Ｓ」はＤｗＰＴＳと称されるＤＬ伝送フィールド、保護区間(Ｇｕａｒｄ Ｐｅｒｉｏｄ)(ＧＰ)、及びＵｐＰＴＳと称されるＵＬ伝送フィールドを含む特定のＴＴＩを表す。いくつかの組み合わせは、全体の持続時間が一つのＴＴＩである条件による特定のＴＴＩにおける各フィールドの持続時間に存在する。
【０１０５】
【表３】
2019050626.tif 000018
【０１０６】
ＴＤＤシステムにおいて、多数のＤＬ ＴＴＩにおけるＰＤＳＣＨ受信に応答し、ＵＥ１１４からのＨＡＲＱ−ＡＣＫ信号伝送は同一のＵＬ ＴＴＩで伝送され得る。ＵＥから関連するＨＡＲＱ−ＡＣＫ信号伝送が、同一のＵＬ ＴＴＩにあるＤＬ ＴＴＩの数
【０１０７】
【数１４】
2019050626.tif 000019
【０１０８】
はサイズ
【０１０９】
【数１５】
2019050626.tif 000020
【０１１０】
のバンドリングウィンドウと称される。ＰＵＣＣＨ資源の決定は、ＰＤＳＣＨをスケジューリングするダウンリンク制御チャンネルまたは半永久的スケジューリングされた(ＳＰＳ)ＰＤＳＣＨの解除がＰＤＣＣＨの一つであるか、ＥＰＤＣＣＨの一つであるかによる(また、ＲＥＦ３を参照)。表４は、ＨＡＲＱ−ＡＣＫ信号伝送がＵＬ ＴＴＩ ｎにあるＤＬ ＴＴＩ
【０１１１】
【数１６】
2019050626.tif 000021
【０１１２】
を表し、
【０１１３】
【数１７】
2019050626.tif 000022
【０１１４】
である。
【０１１５】
【表４】
2019050626.tif 000023
【０１１６】
ダウンリンク関連セットインデックスＫ:
【０１１７】
【数１８】
2019050626.tif 000024
【０１１８】
ＥＰＤＣＣＨの場合に、ＴＴＩ ｍにおいて、それぞれのＥＰＤＣＣＨの検出に応答し、第１ＵＥアンテナポートからのＨＡＲＱ−ＡＣＫ信号伝送のためのＰＵＣＣＨ資源ｎＰＵＣＣＨの決定は、［数学式１(Ｍａｔｈ ＦｉｇｕＲＥ １)］に基づく(また、ＲＥＦ３を参照)。
【０１１９】
【数１９】
2019050626.tif 000025
【０１２０】
数学式１において、
【０１２１】
【数２０】
2019050626.tif 000026
【０１２２】
は、ＴＴＩにおいて、それぞれのＰＤＳＣＨまたはＳＰＳ ＰＤＳＣＨ解除をスケジューリングするＥＰＤＣＣＨの最低ＥＣＣＥインデックス
【０１２３】
【数２１】
2019050626.tif 000027
【０１２４】
であり、ここで、
【０１２５】
【数２２】
2019050626.tif 000028
【０１２６】
【数２３】
2019050626.tif 000029
【０１２７】
は、ＴＴＩにおいて、ＥＣＣＥの合計数
【０１２８】
【数２４】
2019050626.tif 000030
【０１２９】
であり、
【０１３０】
【数２５】
2019050626.tif 000031
【０１３１】
は、ｅＮＢ１０２により、上位階層シグナリングを介してＵＥ１１４に通知されたオフセットであり、
【０１３２】
【数２６】
2019050626.tif 000032
【０１３３】
は、ＥＰＤＣＣＨによって搬送されるＤＣＩフォーマットで２ビットを含む肯定応答資源オフセット(ＡＲＯ)フィールドの関数である。単純化のために、ＰＵＣＣＨ資源決定のための式は説明されない(また、ＲＥＦ３を参照)。
【０１３４】
ＤＬ ＴＴＩにおけるＰＤＣＣＨの場合、
【０１３５】
【数２７】
2019050626.tif 000033
【０１３６】
ＰＵＣＣＨフォーマット１ａ／１ｂ資源
【０１３７】
【数２８】
2019050626.tif 000034
【０１３８】
第１ＵＥからアンテナポートは［数学式２］のように決定される(また、ＲＥＦ３を参照)。
【０１３９】
【数２９】
2019050626.tif 000035
【０１４０】
数学式２において、
【０１４１】
【数３０】
2019050626.tif 000036
【０１４２】
は、ＴＴＩにおいて、それぞれのＰＤＳＣＨまたはＳＰＳ ＰＤＳＣＨ解除をスケジューリングするＰＤＣＣＨの最低ＣＣＥインデックス
【０１４３】
【数３１】
2019050626.tif 000037
【０１４４】
であり、ここで、
【０１４５】
【数３２】
2019050626.tif 000038
【０１４６】
ここで、
【０１４７】
【数３３】
2019050626.tif 000039
【０１４８】
は、すぐ下の整数に数字を四捨五入する「フロアー(ｆｌｏｏｒ)関数」であり、
【０１４９】
【数３４】
2019050626.tif 000040
【０１５０】
は、{０、１、２、３}から
【０１５１】
【数３５】
2019050626.tif 000041
【０１５２】
を決める値であり、
【０１５３】
【数３６】
2019050626.tif 000042
【０１５４】
は、ＤＬ動作帯域幅のＲＢの数であり、
【０１５５】
【数３７】
2019050626.tif 000043
【０１５６】
は、ｅＮＢ１０２により、システム情報ブロック(ＳＩＢ)のシグナリングを介してＵＥ１１４に通知されるオフセットである(また、ＲＥＦ３を参照)。
【０１５７】
表３において、ＴＤＤ ＵＬ−ＤＬ構成は、１フレーム当たりＤＬ ＴＴＩの４０％及び９０％がＤＬ ＴＴＩとなるように提供する(その他はＵＬ ＴＴＩとなるように提供する)。このように柔軟であるにもかかわらず、ＳＩＢシグナリングによって６４０ｍｓ以下ごとに頻繁にアップデートされたり、ＤＬキャリアアグリゲーション(Ｃａｒｒｉｅｒ Ａｇｇｒｅｇａｔｉｏｎ)及びＲＲＣシグナリングによる２次セルの場合にアップデートされる半静的ＴＤＤ ＵＬ−ＤＬ構成(また、ＲＥＦ３及びＲＥＦ４を参照)は、短期データトラフィック条件とよく一致しないことがある。本発明のその他の場合、このようなＴＤＤ ＵＬ−ＤＬ構成は、従来の(または、適応されていない)ＴＤＤ ＵＬ−ＤＬ構成と称され、それはセルの従来の(または、レガシー)ＵＥによって使用されると推定される。このような理由で、ＴＤＤ ＵＬ−ＤＬ構成の早い適応期間は、特に、連結されたＵＥの低いまたは中間の数に関してシステム処理率を向上させることができる。例えば、ＵＬトラフィックより多くのＤＬトラフィックがある場合、ＴＤＤ ＵＬ−ＤＬ構成は、より多くのＤＬ ＴＴＩを含めるように１０、２０、４０または８０ｍｓｅｃごとに適応され得る。ＴＤＤ ＵＬ−ＤＬ構成の早い適応のためのシグナリングは、ＰＤＣＣＨにおいて、ＤＣＩフォーマットのシグナリング、媒体アクセス制御(ＭＡＣ)シグナリング、またはＲＲＣシグナリングを含む様々なメカニズムによって提供され得る。
【０１５８】
従来のものとは異なる方式のＴＤＤ ＵＬ−ＤＬ構成の適応における動作制約(ｃｏｎｓｔｒａｉｎｔ)は、このような適応が認知できないＵＥの可能な存在である。このようなＵＥは従来のＵＥと称される。従来のＵＥが、それぞれのＣＲＳを用いてＤＬ ＴＴＩで測定を実行するため、このようなＤＬ ＴＴＩは、ＴＤＤ ＵＬ−ＤＬ構成のより早い適応によってＵＬ ＴＴＩまたは特定のＴＴＩに変更できない。しかし、ｅＮＢ１０２は、このようなＵＥが、このようなＵＬ ＴＴＩで任意の信号を送信しないように保障するため、ＵＬ ＴＴＩは従来のＵＥに影響を与えずにＤＬ ＴＴＩに変更され得る。さらに、すべてのＴＤＤ ＵＬ−ＤＬ構成に共通であるＵＬ ＴＴＩは、ｅＮＢ１０２がおそらく唯一のＵＬのものとしてこのようなＵＬ ＴＴＩを選択させるために存在する。表３のすべてのＴＤＤ ＵＬ−ＤＬ構成を含む一部の具現において、このようなＵＬ ＴＴＩはＴＴＩ＃２である。
【０１５９】
ＴＴＩが、従来のＴＤＤ ＵＬ−ＤＬ構成におけるＵＬ ＴＴＩであり、ＤＬ ＴＴＩに適応される場合にＴＴＩはＤＬ柔軟性ＴＴＩと称される。ＴＴＩが、適応されたＴＤＤ ＵＬ−ＤＬ構成において、ＤＬ ＴＴＩに適応できる従来のＴＤＤ ＵＬ−ＤＬ構成におけるＵＬ ＴＴＩである場合、ＴＴＩはＤＬ柔軟性ＴＴＩと称されるが、ＴＴＩは依然としてＵＬ ＴＴＩである。ＴＴＩが従来のＴＤＤ ＵＬ−ＤＬ構成におけるＤＬ ＴＴＩである場合、ＴＴＩはＤＬ固定ＴＴＩと称される。ＴＴＩがＴＤＤ ＵＬ−ＤＬ構成におけるＵＬ ＴＴＩであり、ＵＥがＰＤＳＣＨ受信に応答してＨＡＲＱ−ＡＣＫ情報を伝送するためのＵＬ ＴＴＩを決定するために使用する場合、ＴＴＩはＵＬ固定ＴＴＩと称される。従来の構成における特定のＴＴＩはＤＬ ＴＴＩにのみ適応され得る。
【０１６０】
上述したことを考慮すると、表５は、表３の各ＴＤＤ ＵＬ−ＤＬ構成に関する(「Ｆ」と表記された)柔軟性ＴＴＩを示す。明らかに、従来のＴＤＤ ＵＬ−ＤＬ構成におけるＤＬ ＴＴＩがＵＬ ＴＴＩに変更できない場合、すべてのＴＤＤ ＵＬ−ＤＬ構成は適応のために使用できない。例えば、ＴＤＤ ＵＬ−ＤＬ構成２が従来のものである場合、ＴＤＤ ＵＬ−ＤＬ構成５に対する適応のみがあり得る。従って、ＴＤＤ ＵＬ−ＤＬ構成に対する適応のための指示は、ＵＥ１１４により、例えば、ＵＬ ＴＴＩにおいて、従来のＴＤＤ ＵＬ−ＤＬ構成のＤＬ ＴＴＩを転換する場合、無効となり得る。無効指示は、例により、適応されたＴＤＤ ＵＬ−ＤＬ構成に対する指示を搬送するＤＣＩフォーマットのＵＥ１１４からの誤検出によって起こり得る。
【０１６１】
【表５】
2019050626.tif 000044
【０１６２】
ｅＮＢ１０２が、例えば、物理的階層シグナリングまたはＭＡＣ階層シグナリングを用いて、ＲＲＣシグナリングによって、より頻繁にＴＤＤ ＵＬ−ＤＬ構成を適応させることができる場合、(従来のＴＤＤ ＵＬ−ＤＬ構成のＵＬ ＴＴＩのみとなり得る)柔軟性ＴＴＩは、これがＲＲＣシグナリングによって構成される場合、従来のＵＥから任意の周期的なＵＬシグナリングを搬送することができない。これは、柔軟性ＴＴＩにおいて、従来のＵＥがＳＰＳ ＰＤＳＣＨに応答し、ＳＲＳ、またはＣＳＩ、またはＳＲ、またはＨＡＲＱ−ＡＣＫシグナリングの伝送のために構成できないことを意味する。さらに、基準ＴＤＤ ＵＬ−ＤＬ構成が、動的ＰＤＳＣＨ受信に応答し、ＨＡＲＱ−ＡＣＫシグナリングのために使用される場合、それぞれのＵＬ ＴＴＩは柔軟性ＴＴＩであってはならない。しかし、後述するように、ＵＥ１１４からの信号伝送によって経験される干渉がＵＬ固定ＴＴＩとは相違することがあり、ｅＮＢ１０２が、柔軟性ＴＴＩにおいて、ＵＥ１１４に関するそれぞれのＵＬ ＣＳＩを獲得するために必要であるため、ＵＥ１１４はＵＬ柔軟性ＴＴＩでＳＲＳを送信する必要がある。
【０１６３】
ｅＮＢ１０２は、例えば、表３からＴＤＤ ＵＬ−ＤＬ構成を表すための少なくとも３ビットを含むＰＤＣＣＨを用いて適応されたＴＤＤ ＵＬ−ＤＬ構成をシグナリングすることができる。ＰＤＣＣＨは、ＵＥ１１４共通空間またはＵＥ１１４専用空間のうちいずれか一つ及び一つ以上の予め決められたＴＴＩで伝送され得る。適応されたＴＤＤ ＵＬ−ＤＬ構成は、予め決められた数のＴＴＩにわたって依然として有効である。通常、ＵＥのグループまたはセル内のすべてのＵＥのために意図されたＰＤＣＣＨの場合、ＰＤＣＣＨが検出されたか否かをｅＮＢ１０２に知らせるためのＵＥ１１４からのＨＡＲＱ−ＡＣＫ伝送がない。結果として、適応されたＴＤＤ ＵＬ−ＤＬ構成を搬送するＰＤＣＣＨを検出していないＵＥ１１４の場合、ｅＮＢ１０２との通信は、ＵＥ１１４が、柔軟性ＴＴＩに対する方向(ＤＬまたはＵＬ)を間違ってしまい、柔軟性ＴＴＩがＵＬのものであることを不正確に推定する場合、ＰＤＳＣＨまたはＰＵＳＣＨ伝送をスケジューリングするＰＤＣＣＨを受信することに失敗し、柔軟性ＴＴＩがＤＬのものであることを不正確に推定する場合、不要にＰＤＣＣＨの検出を試みる。
【０１６４】
ＨＡＲＱ−ＡＣＫ伝送に影響を及ぼすそれぞれのＰＤＣＣＨの検出の漏れを防止するために、適応されたＴＤＤ ＵＬ−ＤＬ構成において、独立的なＨＡＲＱ−ＡＣＫ伝送タイミングを確立するために、ｅＮＢ１０２は、ＵＥ１１４がＨＡＲＱ−ＡＣＫ信号を伝送するために推定できる第１ＴＤＤ ＵＬ−ＤＬ基準構成で、ＵＥ１１４がＨＡＲＱ−ＡＣＫ信号を受信するために推定できる第２ＴＤＤ ＵＬ−ＤＬ基準構成をＵＥ１１４に知らせるためにより高い階層シグナリングを利用することができる。例えば、第１ＴＤＤ ＵＬ−ＤＬ基準構成は構成５となり得るが、第２ＴＤＤ ＵＬ−ＤＬ基準構成は構成０となり得る。次に、ＵＥ１１４は、常にＴＴＩ＃２でＨＡＲＱ−ＡＣＫ信号を伝送し、ＴＴＩ＃０またはＴＴＩ＃５でＨＡＲＱ−ＡＣＫ信号を受信する。
【０１６５】
ＵＥ１１４からＨＡＲＱ−ＡＣＫ情報を送信するための基準構成として、ＴＤＤ ＵＬ−ＤＬ構成５を利用し、ＵＥ１１４により、ＨＡＲＱ−ＡＣＫ情報を受信するための基準構成としてＴＤＤ ＵＬ−ＤＬ構成０を利用する利点は、ＵＥ１１４が、適応されたＵＬ−ＤＬ ＴＤＤ構成が従来のＵＬ−ＤＬ ＴＤＤ構成のＤＬのものと表したＴＴＩが、ＵＬのものに変更されない制限による表３からのいずれか一つになるようすることである。
【０１６６】
表４から、ＵＥ１１４は、サイズ
【０１６７】
【数３８】
2019050626.tif 000045
【０１６８】
を有するバンドリングウィンドウと称されるＤＬ ＴＴＩの数
【０１６９】
【数３９】
2019050626.tif 000046
【０１７０】
におけるＰＤＳＣＨ受信に応答し、同一のＵＬ ＴＴＩでＨＡＲＱ−ＡＣＫ情報を伝送することができる。ＵＬ−ＤＬ ＴＤＤ構成５を基準のものとして利用する結果は、ＨＡＲＱ−ＡＣＫ、Ｐ−ＣＳＩまたはＳＲが単にＴＴＩ＃２で伝送できることである。ＴＴＩ＃２が、またＵＥ１１４がＰ−ＳＲＳを伝送するＵＬ ＴＴＩのみである場合、ＰＵＣＣＨフォーマット３のマルチプレキシング容量は、Ｐ−ＳＲＳ伝送を収容するために、最後のＴＴＩシンボルの穿孔によってさらに制約され得る。
【０１７１】
ＵＥ１１４がＴＤＤ ＵＬ−ＤＬ構成５を推定するＨＡＲＱ−ＡＣＫペイロードを決定すれば、ＵＥ１１４が２データＴＢを搬送するＰＤＳＣＨ伝送モードで構成され、ＵＥ１１４が２重ＲＭコーディングを用いてＨＡＲＱ−ＡＣＫペイロードをエンコーディングする(ＵＥ１１４は、ＤＬ ＴＴＩにおいて、ＤＬ ＤＣＩフォーマットを受信するか否かに関係なく、各ＤＬ ＴＴＩに関するＨＡＲＱ−ＡＣＫ情報を生成する)場合、合計のＨＡＲＱ−ＡＣＫペイロードは１８ビットとなり得る。単一ＲＭコーディングによる２重ＲＭコーディングの問題点は、実際のＨＡＲＱ−ＡＣＫ情報が１２未満のビットを含む場合に存在する性能損失である。さらに、ＵＥ１１４が、ＴＤＤ ＵＬ−ＤＬ構成５に関連するＨＡＲＱ−ＡＣＫペイロードを決定し、またＰＵＣＣＨフォーマット３伝送でＰ−ＣＳＩをマルチプレキシングする必要がある場合、合計の組み合わされたペイロードは、一つのＲＢでＰＵＣＣＨフォーマット３によって支援できる最大ペイロードである２２ビットを超過することができる。次に、ＨＡＲＱ−ＡＣＫ空間ドメインバンドリングは、より小さいＨＡＲＱ−ＡＣＫペイロードに関する結果に適用する必要がある。ＨＡＲＱ−ＡＣＫ空間ドメインバンドリングで、ＵＥ１１４は、ＰＤＳＣＨにおける二つのデータＴＢが正確に受信される場合にのみＡＣＫを生成し、そうでなければＵＥ１１４がＮＡＣＫを生成する。ＨＡＲＱ−ＡＣＫ空間ドメインバンドリングの問題点は、ＵＥ１１４が、ＰＤＳＣＨで二つのデータＴＢのうち一つを正確に受信する場合にも、ＵＥ１１４はＮＡＣＫを報告することによってＤＬ処理率を減少させることである。さらに、ＨＡＲＱ−ＡＣＫバンドリングを有するか、または有さず、ＵＥ１１４が、またＰＵＣＣＨフォーマット３で固定ＤＬ ＴＴＩに関するＰ−ＣＳＩまたは柔軟性ＤＬ ＴＴＩに関するＰ−ＣＳＩをマルチプレキシングする場合、生成された合計のペイロードは大きくなり得るため、高いコーディング率及び悪い受信信頼性をもたらすおそれがある。上記した受信信頼性の問題は、ＵＥ１１４が、またＨＡＲＱ−ＡＣＫ及びＰ−ＣＳＩがそれぞれのキャリアまたはセルに提供される必要があるため、それぞれの最大ペイロードがさらに増加することで、ＤＬキャリアアグリゲーション(ＣＡ)または協力された多地点(ＣｏＭＰ)伝送と共に動作するために構成される場合、より悪化する。
【０１７２】
ＵＥ１１４からＰＵＳＣＨ伝送をスケジューリングするＵＬ ＤＣＩフォーマットは二つのビットで構成され、ＵＥ１１４がＰＵＳＣＨに関するＨＡＲＱ−ＡＣＫ情報を含めるべきそれぞれのＰＤＳＣＨ伝送またはＳＰＳ解除で多数のＤＬ ＴＴＩをＵＥ１１４に表すＵＬダウンリンク割り当てインデックス(ＵＬ ＤＡＩ)、または(ＵＥ１１４へのＰＤＳＣＨ伝送のみがＵＥ１１４へのＰＵＳＣＨ伝送と同一のＴＴＩでスケジューリングできる場合)ＴＤＤ ＵＬ−ＤＬ構成０の場合、それぞれのＰＵＳＣＨ伝送のための一つ以上のＵＬ ＴＴＩを表すＵＬインデックスフィールドのうち一つの役割をする(また、ＲＥＦ２を参照)。ＵＥ１１４が、それぞれのＰＵＳＣＨにＨＡＲＱ−ＡＣＫ情報を含めるための多数のＤＬ ＴＴＩに関するＵＬ ＤＡＩビットのマッピングは表６に示す。バンドリングウィンドウサイズ
【０１７３】
【数４０】
2019050626.tif 000047
【０１７４】
に関して、ＵＬ ＤＡＩフィールドは多数のＤＬ ＴＴＩにマッピングし、ＵＥ１１４は多数の検出されたＰＤＣＣＨに基づいてそれらのうち一つを選択することができる(また、ＲＥＦ３を参照)。
【０１７５】
【表６】
2019050626.tif 000048
【０１７６】
ＨＡＲＱ−ＡＣＫ情報の受信及び伝送のために、ＵＥ１１４によって使用されるＴＤＤ ＵＬ−ＤＬ構成のうち一つの可能な組み合わせは、適応されたＴＤＤ ＵＬ−ＤＬ構成を選択する際に最大の柔軟性を許容するため、それぞれＴＤＤ ＵＬ−ＤＬ構成０及びＴＤＤ ＵＬ−ＤＬ構成５である。本発明は、従来のＴＤＤ ＵＬ−ＤＬ構成がＨＡＲＱ−ＡＣＫ情報の受信のためにＵＥ１１４によって推定され、ＴＤＤ ＵＬ−ＤＬ構成がＨＡＲＱ−ＡＣＫ伝送のためにＵＬサブフレーム(及び情報ペイロード)を決定するために、ｅＮＢ１０２ないしＵＥ１１４によって構成されると推定する。しかし、ＴＤＤ ＵＬ−ＤＬ構成０は適応されたＴＤＤ ＵＬ−ＤＬ構成ではない場合があり、その後、ＵＬ ＤＣＩフォーマットのＵＬ ＤＡＩフィールドの不在により、ＵＥ１１４が、ＰＵＳＣＨでマルチプレキシングする必要のあるＨＡＲＱ−ＡＣＫペイロードは、それぞれのバンドリングウィンドウにおける各ＤＬ ＴＴＩがＰＤＳＣＨを搬送すると推定することによって決定される。ＴＤＤ ＵＬ−ＤＬ構成５が、ＨＡＲＱ−ＡＣＫ情報を伝送するためにＵＥ１１４によって推定されれば、バンドリングウィンドウサイズは９であり、合計のＨＡＲＱ−ＡＣＫペイロードで線形的にスケーリングする多数のＰＵＳＣＨ資源(また、ＲＥＦ２を参照)は、ＵＥ１１４が検出するＰＤＣＣＨの数が９よりかなり小さいとき、ＨＡＲＱ−ＡＣＫ情報を伝送するために不要に使用され得る。
【０１７７】
ＰＤＣＣＨが、例えば、ＵＥ−共通空間で伝送されるＤＣＩフォーマット１Ｃを搬送するＰＤＣＣＨのように(また、ＲＥＦ２を参照)、適応されたＴＤＤ ＵＬ−ＤＬ構成をセル内のＵＥに搬送するのに使用される場合、一部のＵＥは、ＰＤＣＣＨが伝送されるとき、不連続受信モード(ＤＲＸモード)になり得る。結果として、このようなＵＥは、適応されたＴＤＤ ＵＬ−ＤＬ構成を認知できず、おそらく相違するＴＤＤ ＵＬ−ＤＬ構成を用いて動作しなければならない。このようなＴＤＤ ＵＬ−ＤＬ構成は、上位階層シグナリングまたは従来のものによって構成されたものであり、その後、関連するＵＥは、適応されたＴＤＤ ＵＬ−ＤＬ構成に関する期間に従来のＵＥでスケジュールリングされ得る。従って、ＵＥ１１４は、同一のＰＵＣＣＨまたはＰＵＳＣＨで、適応されたＴＤＤ ＵＬ−ＤＬ構成でスケジューリングされたＰＤＳＣＨ受信に応答する第１ＨＡＲＱ−ＡＣＫ情報と、非適応されたＴＤＤ ＵＬ−ＤＬ構成でスケジューリングされたＰＤＳＣＨ受信に応答する第２ＨＡＲＱ−ＡＣＫ情報を伝送する必要がある。
【０１７８】
ＵＬ柔軟性ＴＴＩのＰＵＳＣＨ伝送電力は、ＵＬ固定ＴＴＩと相違する場合があるが、その理由は、前者の干渉は隣接するセルのＤＬ伝送またはＵＬ伝送の組み合わせで起こり得るが、後者の干渉は常に隣接するセルのＵＬ伝送で起り得るためである。ＵＥ１１４に関する二つの別途のＵＬ ＰＣプロセス:ＵＥ１１４がＵＬ−支配的干渉を経験するＵＬ固定ＴＴＩ及びＵＬ柔軟性ＴＴＩに使用するための第１ＵＬ ＰＣプロセスと、ＵＥ１１４がＤＬ−支配的干渉を経験するＵＬ柔軟性ＴＴＩに使用するための第２ＵＬ ＰＣプロセスを考慮することができる。それぞれのＵＬ ＰＣプロセスは、自体ＯＬＰＣプロセスまたは自体ＣＬＰＣプロセス、または両方を有することができる。
【０１７９】
図１３は、本発明に係る相違する柔軟性ＴＴＩで相違する干渉特性の一例を示す。図１３に示された相違する柔軟性ＴＴＩで表した干渉特性の実施形態は単に説明するためのものである。他の実施形態は本発明の範囲内で使用することができる。
【０１８０】
図１３に示されたように、ＴＤＤ ＵＬ−ＤＬ構成１は基準セル＃１（１３１０）に使用され、ＴＤＤ ＵＬ−ＤＬ構成２は干渉セル＃２（１３２０)に使用され、ＴＤＤ ＵＬ−ＤＬ構成３は干渉セル＃３(１３３０)に使用される。セル＃１(１３４０)、セル＃２(１３５０)、及びセル＃３(１３６０)の固定ＴＴＩ＃２において、ＵＬ伝送によって経験される干渉は統計的に同一であり、従来のＵＬ ＰＣプロセスを適用することができる。セル＃１(１３４２)の柔軟性ＴＴＩ＃３において、ＵＬ伝送によって経験される干渉は、柔軟性ＴＴＩ＃３が、セル＃２(１３５２)のＤＬ伝送及びセル＃３(１３６２)のＵＬ伝送のために使用される点で固定ＴＴＩ＃２とは相違する。従って、セル＃２に向けて位置するセル＃１におけるＵＥ１１４は、ＴＴＩ＃２とはかなり相違するＴＴＩ＃３における干渉を経験することができる。セル＃１(１３４４)の柔軟性ＴＴＩ＃７において、ＵＬ伝送によって経験される干渉は、柔軟性ＴＴＩ＃７が、セル＃２(１３５４)のＵＬ伝送及びセル＃３(１３６４)のＤＬ伝送のために使用される点で固定ＴＴＩ＃２または柔軟性ＴＴＩ＃３とは相違する。従って、セル＃３に向けて位置するセル＃１におけるＵＥ１１４は、ＴＴＩ＃２またはＴＴＩ＃３で経験された干渉とかなり相違する干渉を経験することができる。最終的に、セル＃１(１３４６)の柔軟性ＴＴＩ＃８において、ＵＬ伝送によって経験される干渉は、柔軟性ＴＴＩ＃８が、セル＃２(１３５６)及びセル＃３(１３６６)の両方のＤＬ伝送のために使用される点で、固定ＴＴＩ＃２、または柔軟性ＴＴＩ＃３、または柔軟性ＴＴＩ＃７とは異なる。従って、二つのＴＴＩタイプ(固定及び柔軟性)間に干渉変形が存在するだけでなく相違する柔軟性ＴＴＩにも干渉変形が存在する。
【０１８１】
ＵＬ固定ＴＴＩに関するＵＬ柔軟性ＴＴＩにおける大きな干渉変形の結果は、柔軟性ＵＬ ＴＴＩにおけるＰＵＳＣＨに伝送されたデータＴＢの受信信頼性が、固定ＵＬ ＴＴＩにおけるＰＵＳＣＨに伝送されたデータＴＢのものより悪化し得ることである。これは、ＨＡＲＱ再伝送から利得が得られるデータＴＢの伝送のための深刻な問題ではなく、より厳格な信頼性要求事項をもってＨＡＲＱ再伝送のための利得が得られないＰＵＳＣＨでのＵＣＩ伝送のための深刻な問題である。ＰＵＣＣＨにおけるＵＣＩのために、ＰＵＣＣＨにおけるＵＣＩが常にＵＬ固定ＴＴＩで伝送されるように基準ＴＤＤ ＵＬ−ＤＬ構成が利用され得る。
【０１８２】
柔軟性ＤＬ ＴＴＩにおけるＵＬ−支配的干渉の結果は、別途の干渉測定及びＣＳＩ報告が、ＤＬ−支配的干渉を有する固定ＤＬ ＴＴＩまたは柔軟性ＤＬ ＴＴＩに関するＣＳＩ報告に必要となることである。従って、ＵＥ１１４は、(ＣＳＩ−ＲＳを用いた)チャンネル測定及び(それぞれ二つのＣＳＩ−ＩＭを用いた)干渉測定のための少なくとも二つのＣＳＩプロセスを支援しなければならない。
【０１８３】
表４から、相違するＵＥがＴＤＤ ＵＬ−ＤＬ構成を相違であると理解すれば、それぞれのバンドリングウィンドウサイズもまた相違であり、従って、それぞれのバンドリングウィンドウ内の同一のＤＬ ＴＴＩのインデックスは相違することが観察される。ＵＥ１１４が、バンドリングウィンドウにおいて、それぞれのＤＬ ＴＴＩのインデックスからのＰＤＳＣＨの受信に応答し、ＨＡＲＱ−ＡＣＫ信号を伝送するためのＰＵＣＣＨ資源を決定する際に、これは、二つ以上の相違するＵＥが、それぞれのＨＡＲＱ−ＡＣＫ信号を伝送するために同一のＰＵＣＣＨ資源を利用するＰＵＣＣＨ資源衝突につながり得る。解決策(ｒｅｍｅｄｙ)は、ｅＮＢ１０２が、それぞれのＴＤＤ ＵＬ−ＤＬ構成(従来のものまたは適応されたもの)に利用される別途のＰＵＣＣＨ資源を構成することであるが、これはＰＵＣＣＨオーバーヘッドをかなり増加させ得る。
【０１８４】
図１４は、本発明により、二つの相違するＴＤＤ ＵＬ−ＤＬ構成に関する同一のＵＬ ＴＴＩにおける例示的なＨＡＲＱ−ＡＣＫ伝送を示す。図１４に示されたＨＡＲＱ−ＡＣＫ伝送の実施形態は単に説明するためのものである。他の実施形態は本発明の範囲内で使用することができる。
【０１８５】
図１４に示されたように、ＴＤＤ ＵＬ−ＤＬ構成１(
【０１８６】
【数４１】
2019050626.tif 000049
【０１８７】
のバンドリングウィンドウサイズ)は従来のもの１４１０であり、ＴＤＤ ＵＬ−ＤＬ構成１はＴＤＤ ＵＬ−ＤＬ構成２(
【０１８８】
【数４２】
2019050626.tif 000050
【０１８９】
のバンドリングウィンドウサイズ)１４２０に適応される。その後、適応ＴＤＤ ＵＬ−ＤＬ構成を支援する従来のＵＥに関するＴＴＩ＃５(１４３０)及びＵＥ１１４に関するＴＴＩ＃４(１４４０)は、それぞれのバンドリングウィンドウで同一のインデックスを有する。それぞれのＰＵＣＣＨ資源決定関数の他のすべてのパラメータが同一である場合、ＴＴＩ＃５でＰＤＳＣＨを受信する従来のＵＥ及びＴＴＩ＃４でＰＤＳＣＨを受信する適応ＴＤＤ ＵＬ−ＤＬ構成を支援するＵＥ１１４は、それぞれのＨＡＲＱ−ＡＣＫシグナリングのために、ＴＴＩ＃２(１４５０)で同一のＰＵＣＣＨ資源を利用することによって、ＰＵＣＣＨ資源の衝突及びＨＡＲＱ−ＡＣＫ信号の信頼できない受信につながる。
【０１９０】
本発明の実施形態は、適応ＴＤＤ ＵＬ−ＤＬ構成で動作するために構成されたＵＥ１１４からＵＣＩ伝送、特に、ＨＡＲＱ−ＡＣＫ伝送を支援するためのメカニズムを提供する。本発明の実施形態は、適応ＴＤＤ ＵＬ−ＤＬ構成で動作するために構成されたＵＥ１１４からのＨＡＲＱ−ＡＣＫ情報の伝送と、システム情報ブロックによってシグナリングされる非適応ＴＤＤ ＵＬ−ＤＬ構成で動作するＵＥ１１４からのＨＡＲＱ−ＡＣＫ情報の伝送間の資源衝突を防止するためのメカニズムを提供し、このとき、二つのＵＥは、ＨＡＲＱ−ＡＣＫマルチプレキシングでＰＵＣＣＨフォーマット１ｂを用いてＨＡＲＱ−ＡＣＫ情報を伝送する。本発明の実施形態は、またＵＥ１１４がＵＣＩタイプによってＰＵＳＣＨでＵＣＩマルチプレキシングし、従って、ＴＴＩでＵＥ１１４からＰＵＳＣＨ伝送をスケジューリングするＤＣＩフォーマットのフィールドを解析するために利用可能なＴＴＩを決定するためのメカニズムを提供する。さらに、本発明の実施形態は、ＰＵＣＣＨフォーマット３を用いて支援できるＵＣＩペイロードに関するサイズを拡張するためのメカニズムを提供する。さらに、本発明の実施形態は、ＵＥ１１４が、ＴＤＤ ＵＬ−ＤＬ構成を適応させるＤＣＩフォーマットを搬送するＰＤＣＣＨを検出できない場合、ＵＥ１１４及びｅＮＢ１０２が動作するためのメカニズムを提供する。また、本発明の実施形態は、ＵＥ１１４が、適応されたＴＤＤ ＵＬ−ＤＬ構成を表すＤＣＩフォーマットをＵＥのグループに搬送するＰＤＣＣＨに関する実際に漏れた検出をｅＮＢ１０２に知らせるためのメカニズムを提供する。最後に、本発明の実施形態は、ＴＤＤ ＵＬ−ＤＬ構成０が従来のものであり、適応されたＴＤＤ ＵＬ−ＤＬ構成を知らせるＤＣＩフォーマットを搬送するＰＤＣＣＨが漏れた場合、ＵＥ１１４によって動作するために推定されるとき、ｅＮＢ１０２が、ＰＵＳＣＨ伝送をスケジューリングするＤＣＩフォーマットにおけるフィールドを利用し、適応されたＴＤＤ ＵＬ−ＤＬ構成で動作するために構成されたＵＥ１１４が、このようなフィールドをＵＬ ＤＡＩフィールドまたはＵＬインデックスフィールドのうちいずれか一つに解釈するためのメカニズムを提供する。
【０１９１】
適応ＴＤＤ ＵＬ−ＤＬ構成で動作するために構成されたＵＥに関するＨＡＲＱ−ＡＣＫマルチプレキシングによるＰＵＣＣＨフォーマット１ａ／１ｂに関する資源
特定の実施形態において、従来のＴＤＤ ＵＬ−ＤＬ構成におけるＵＬ ＴＴＩのみが柔軟性ＴＴＩになり得ることを認知すれば、従来のＴＤＤ ＵＬ−ＤＬ構成のうち一つの適応だけは多くのＤＬ ＴＴＩ(及び少ないＵＬ ＴＴＩ)を明らかに有することができる。従って、ＨＡＲＱ−ＡＣＫが、適応されたＴＤＤ ＵＬ−ＤＬ構成に関して報告されるＤＬ ＴＴＩに対応するバンドリングウィンドウサイズ
【０１９２】
【数４３】
2019050626.tif 000051
【０１９３】
は、従来のＴＤＤ ＵＬ−ＤＬ構成に対応するバンドリングウィンドウサイズ
【０１９４】
【数４４】
2019050626.tif 000052
【０１９５】
と同一または大きく、すなわち
【０１９６】
【数４５】
2019050626.tif 000053
【０１９７】
である。それから、従来のＴＤＤ ＵＬ−ＤＬ構成で動作する従来のＵＥからのＨＡＲＱ−ＡＣＫ信号伝送と、適応されたＴＤＤ ＵＬ−ＤＬ構成で動作するＵＥ１１４からのＨＡＲＱ−ＡＣＫ信号伝送に関するＰＵＣＣＨ資源衝突は、［数学式１］に基づいて前述されたように同一のＵＬ ＴＴＩで発生することができる。
【０１９８】
第１接近法において、（同一のＵＬ ＴＴＩにおいて)上述したＰＵＣＣＨ資源衝突は、バンドリングウィンドウサイズ内であるが、バンドリングウィンドウサイズ
【０１９９】
【数４６】
2019050626.tif 000054
【０２００】
内にないＤＬ ＴＴＩを再インデキシングすることで防止することができる(それぞれのＨＡＲＱ−ＡＣＫ信号の
【０２０１】
【数４７】
2019050626.tif 000055
【０２０２】
伝送が同一のＵＬ ＴＴＩにあると推定される場合にのみ必要である)。バンドリングウィンドウサイズ
【０２０３】
【数４８】
2019050626.tif 000056
【０２０４】
におけるＤＬ ＴＴＩは、バンドリングウィンドウサイズ
【０２０５】
【数４９】
2019050626.tif 000057
【０２０６】
におけるＤＬ ＴＴＩのスーパーセットである。ＴＤＤ ＵＬ−ＤＬ構成の適応を支援するＵＥ１１４が、従来のＴＤＤ ＵＬ−ＤＬ構成及びＨＡＲＱ−ＡＣＫが適応されたＴＤＤ ＵＬ−ＤＬ構成で動作する場合に報告される必要のあるＴＴＩの数を全部知っているため、このような再インデキシングが可能である。従って、ＵＥ１１４は、バンドリングウィンドウサイズ
【０２０７】
【数５０】
2019050626.tif 000058
【０２０８】
におけるＤＬ ＴＴＩ内に含まれないバンドリングウィンドウサイズ
【０２０９】
【数５１】
2019050626.tif 000059
【０２１０】
におけるＤＬ ＴＴＩを知っている。
【０２１１】
ＨＡＲＱ−ＡＣＫ信号伝送のためのそれぞれのＰＵＣＣＨ資源を決定するためのＤＬ ＴＴＩのインデキシングは、従来のＴＤＤ ＵＬ−ＤＬ構成から決定されたＤＬ ＴＴＩと、適応されたＴＤＤ ＵＬ−ＤＬ構成への動作に対応し、従来のＴＤＤ ＵＬ−ＤＬ構成に含まれない追加的なＤＬ ＴＴＩが、従来のＴＤＤ ＵＬ−ＤＬ構成からＤＬ ＴＴＩが決定した後で元の順序にインデックスされる。バンドリングウィンドウサイズ
【０２１２】
【数５２】
2019050626.tif 000060
【０２１３】
に属するフレームにおけるＴＴＩのインデックスのセットを
【０２１４】
【数５３】
2019050626.tif 000061
【０２１５】
で表し、バンドリングウィンドウサイズ
【０２１６】
【数５４】
2019050626.tif 000062
【０２１７】
に属するフレームにおけるＴＴＩのインデックスを
【０２１８】
【数５５】
2019050626.tif 000063
【０２１９】
で表し、
【０２２０】
【数５６】
2019050626.tif 000064
【０２２１】
が
【０２２２】
【数５７】
2019050626.tif 000065
【０２２３】
のサブセットであれば、セット
【０２２４】
【数５８】
2019050626.tif 000066
【０２２５】
は共通要素を有さない二つのサブセット
【０２２６】
【数５９】
2019050626.tif 000067
【０２２７】
及び
【０２２８】
【数６０】
2019050626.tif 000068
【０２２９】
に分割され、ここで、
【０２３０】
【数６１】
2019050626.tif 000069
【０２３１】
は
【０２３２】
【数６２】
2019050626.tif 000070
【０２３３】
と同一であり、
【０２３４】
【数６３】
2019050626.tif 000071
【０２３５】
は
【０２３６】
【数６４】
2019050626.tif 000072
【０２３７】
にない
【０２３８】
【数６５】
2019050626.tif 000073
【０２３９】
のＴＴＩのすべてのインデックスを含む。その後、二つのバンドリングウィンドウが形成され、ここで、第１バンドリングウィンドウはサイズ
【０２４０】
【数６６】
2019050626.tif 000074
【０２４１】
を有し、第２バンドリングウィンドウはサイズ
【０２４２】
【数６７】
2019050626.tif 000075
【０２４３】
を有し、両方とも同一のＵＬ ＴＴＩにおけるＨＡＲＱ−ＡＣＫ信号伝送を有し、第１バンドリングウィンドウはサブセット
【０２４４】
【数６８】
2019050626.tif 000076
【０２４５】
のすべてのＴＴＩを含み、第２バンドリングウィンドウはサブセット
【０２４６】
【数６９】
2019050626.tif 000077
【０２４７】
のすべてのＴＴＩを含む。ＰＵＣＣＨ資源は、先に第１バンドリングウィンドウにおけるＴＴＩに関連するＨＡＲＱ−ＡＣＫ信号伝送のために割り当てられ、その後、第２バンドリングウィンドウにおけるＴＴＩに関連するＨＡＲＱ−ＡＣＫ信号伝送のために割り当てられる。そこで、ＰＤＣＣＨの場合、式１ａは［数学式３］のように修正される。
【０２４８】
【数７０】
2019050626.tif 000078
【０２４９】
【数７１】
2019050626.tif 000079
【０２５０】
におけるインデックスをＴＴＩに関し、
［数学式４］のように、
【０２５１】
【数７２】
2019050626.tif 000080
【０２５２】
【数７３】
2019050626.tif 000081
【０２５３】
におけるインデックスを有するＴＴＩに関し、
ここで、
【０２５４】
【数７４】
2019050626.tif 000082
【０２５５】
は
【０２５６】
【数７５】
2019050626.tif 000083
【０２５７】
のＴＴＩにおけるＣＣＥの合計数Ｉである。
【０２５８】
従って、ＴＤＤ ＵＬ−ＤＬ構成に関し、ＵＥ１１４は、ＨＡＲＱ−ＡＣＫ信号伝送のためにｅＮＢ１０２によって構成され、
【０２５９】
【数７６】
2019050626.tif 000084
【０２６０】
及びＨＡＲＱ−ＡＣＫ信号伝送のためのＵＬ ＴＴＩの決定は表４によるが、同一のＵＬ ＴＴＩで伝送されたＨＡＲＱ−ＡＣＫ情報ビットの順序は、先に
【０２６１】
【数７７】
2019050626.tif 000085
【０２６２】
にあるＤＬまたは特定のＴＴＩに関するものであり、その次が
【０２６３】
【数７８】
2019050626.tif 000086
【０２６４】
に関するものである。
【０２６５】
ＥＰＤＣＣＨの場合、フレームにおけるインデックスｊ及びバンドリングウィンドウにおけるインデックスｍを有するＴＴＩにおけるそれぞれのＰＤＣＣＨの検出に応答し、ＨＡＲＱ−ＡＣＫ信号伝送のためのＰＵＣＣＨ資源
【０２６６】
【数７９】
2019050626.tif 000087
【０２６７】
は、ｊが
【０２６８】
【数８０】
2019050626.tif 000088
【０２６９】
の要素である場合、［数学式１］のように決定される(ｍは第１バンドリングウィンドウにある)。ｊが
【０２７０】
【数８１】
2019050626.tif 000089
【０２７１】
の要素である場合(ｍは第２バンドリングウィンドウにある)、それは表記が［数学式５］と同一の［数学式２］のように決定され得る。
【０２７２】
【数８２】
2019050626.tif 000090
【０２７３】
図１５は、本発明により、それぞれのＨＡＲＱ−ＡＣＫ信号伝送のためのＰＵＣＣＨ資源を決定するために、従来のＴＤＤ ＵＬ−ＤＬ構成に関して適応されたＴＤＤ ＵＬ−ＤＬ構成のＤＬ ＴＴＩの例示的なインデキシングを示す。図１５に示されたインデキシングの実施形態は単に説明するためのものである。他の実施形態は本発明の範囲内で使用することができる。
【０２７４】
図１５に示されたように、ＴＤＤ ＵＬ−ＤＬ構成１(バンドリングウィンドウサイズ
【０２７５】
【数８３】
2019050626.tif 000091
【０２７６】
)が従来のもの１５１０であり、ＴＤＤ ＵＬ−ＤＬ構成１がＴＤＤ ＵＬ−ＤＬ構成２(バンドリングウィンドウサイズ
【０２７７】
【数８４】
2019050626.tif 000092
【０２７８】
)１５２０に適応され、ＨＡＲＱ−ＡＣＫ伝送タイミングがＴＤＤ ＵＬ−ＤＬ構成２に基づくと、ＤＬ ＴＴＩ＃５(１５３０)及びＤＬ ＴＴＩ＃６(１５４０)は、先にＵＬ ＴＴＩ＃２(１５５０)でそれぞれのＨＡＲＱ−ＡＣＫ伝送のためのＰＵＣＣＨ資源を決定するためにインデックスされる。一般的に、従来のＴＤＤ ＵＬ−ＤＬ構成におけるＤＬ ＴＴＩは、先に表４でＤＬ関連性インデキシング(ａｓｓｏｃｉａｔｉｏｎ ｉｎｄｅｘｉｎｇ)を用いてインデックスされる。それから、ＤＬ ＴＴＩ＃４(１５６０)及びＤＬ ＴＴＩ＃８(１５７０)はＤＬ ＴＴＩ＃５及びＤＬ ＴＴＩ＃６の後で逐次的にインデックスされる。従って、ＵＬ ＴＴＩ＃２におけるＰＵＣＣＨ資源決定のために、適応されたＴＤＤ ＵＬ−ＤＬ構成２に関するＤＬ ＴＴＩインデキシングは、(ＴＤＤ ＵＬ−ＤＬ構成２に関して)表４に示した{ＤＬ ＴＴＩ＃４、ＤＬ ＴＴＩ＃５、ＤＬ ＴＴＩ＃８、ＤＬ ＴＴＩ＃６}の従来のインデキシングの代わりに、{ＤＬ ＴＴＩ＃５、ＤＬ ＴＴＩ＃６、ＤＬ ＴＴＩ＃４、ＤＬ ＴＴＩ＃８}(１５８０)である。従って、適応されたＴＤＤ ＵＬ−ＤＬ構成で動作するように構成されたＵＥ１１４は、またＴＤＤ ＵＬ−ＤＬ構成によるＤＬ固定ＳＦに関するＨＡＲＱ−ＡＣＫ情報が、適応されたＴＤＤ ＵＬ−ＤＬ構成で動作するように構成されたＵＥによるＵＬ ＨＡＲＱ−ＡＣＫ伝送のために利用された後で、柔軟性ＳＦに関するＨＡＲＱ−ＡＣＫ情報が逐次的に配置される修正されたＤＬ関連性インデキシングで動作する。
【０２７９】
第２接近法において、上述したＰＵＣＣＨ資源衝突は、適応されたＴＤＤ ＵＬ−ＤＬ構成に含まれるが、従来のＴＤＤ ＵＬ−ＤＬ構成に含まれないＤＬ ＴＴＩに関連するＰＵＣＣＨ資源に関する相違するＮＰＵＣＣＨ値を利用することによって防止することができる。これは、ＥＰＤＣＣＨの場合、ＡＲＯフィールドがＰＵＣＣＨ資源オフセットで利用できるときＰＤＣＣＨの場合に特に適用可能である。
【０２８０】
第２接近法において、［数学式１］または［数学式２］によって説明されたように、ＰＵＣＣＨ資源決定のための従来の方法は利用されるが、第１接近法と類似するように、適応されたＴＤＤ ＵＬ−ＤＬ構成に関するサイズ
【０２８１】
【数８５】
2019050626.tif 000093
【０２８２】
のバンドリングウィンドウは二つのバンドリングウィンドウに分割される(両方とも同一の第１ＵＬ ＴＴＩでＨＡＲＱ−ＡＣＫ信号伝送を有する)。サイズ
【０２８３】
【数８６】
2019050626.tif 000094
【０２８４】
の第１バンドリングウィンドウは、従来のＴＤＤ ＵＬ−ＤＬ構成に含まれる同一の第１ＵＬ ＴＴＩでそれぞれのＨＡＲＱ−ＡＣＫ信号伝送を有するＴＴＩを含む。サイズ
【０２８５】
【数８７】
2019050626.tif 000095
【０２８６】
の第２バンドリングウィンドウは、従来のＴＤＤ ＵＬ−ＤＬ構成に含まれない同一の第１ＵＬ ＴＴＩでそれぞれのＨＡＲＱ−ＡＣＫ信号伝送を有するＴＴＩを含む。さらに、それぞれのＴＴＩが第１バンドリングウィンドウにある場合に第１構成されたＰＵＣＣＨ資源オフセット
【０２８７】
【数８８】
2019050626.tif 000096
【０２８８】
を利用し、それぞれのＴＴＩが第２バンドリングウィンドウにある場合には第２構成されたＰＵＣＣＨ資源オフセット
【０２８９】
【数８９】
2019050626.tif 000097
【０２９０】
を用いて、ＵＥ１１４はＰＤＳＣＨ受信(または、ＳＰＳ解除)に応答し、ＨＡＲＱ−ＡＣＫ信号伝送のためのＰＵＣＣＨ資源を決定する。従って、第２バンドリングウィンドウでＴＴＩに関する［数学式４］は下記のように修正される。:
【０２９１】
【数９０】
2019050626.tif 000098
【０２９２】
第１及び第２ＰＵＣＣＨ資源オフセット
【０２９３】
【数９１】
2019050626.tif 000099
【０２９４】
及び
【０２９５】
【数９２】
2019050626.tif 000100
【０２９６】
の両方は、
ｅＮＢ１０２ないしＳＩＢシグナリングによるか、上位階層シグナリングを介してＵＥ１１４に通知され得る。例えば、
【０２９７】
【数９３】
2019050626.tif 000101
【０２９８】
は、
ＲＥＦ３及びＲＥＦ４で説明したように通知され、
【０２９９】
【数９４】
2019050626.tif 000102
【０３００】
は、
上位階層シグナリングによってＵＥ１１４に構成され得る。代案として、
【０３０１】
【数９５】
2019050626.tif 000103
【０３０２】
のみが
ＵＥ１１４に通知され、
【０３０３】
【数９６】
2019050626.tif 000104
【０３０４】
は、
【０３０５】
【数９７】
2019050626.tif 000105
【０３０６】
から暗示的に決定される。
代案として、
【０３０７】
【数９８】
2019050626.tif 000106
【０３０８】
ここで、
【０３０９】
【数９９】
2019050626.tif 000107
【０３１０】
は、
上位階層シグナリングを用いてｅＮＢ１０２によってＵＥ１１４に通知される。従って、第１バンドリングウィンドウのＴＴＩまたは第２バンドリングウィンドウのＴＴＩに対応するＰＵＣＣＨ資源は、(ＥＰＤＣＣＨの場合)［数学式１］または(ＰＤＣＣＨの場合)［数学式２］のように決定され、
【０３１１】
【数１００】
2019050626.tif 000108
【０３１２】
は、
第１バンドリングウィンドウに利用され、
【０３１３】
【数１０１】
2019050626.tif 000109
【０３１４】
は、
第２バンドリングウィンドウに利用される。
【０３１５】
ＥＰＤＣＣＨの場合、ｅＮＢ１０２は、
【０３１６】
【数１０２】
2019050626.tif 000110
【０３１７】
及び
【０３１８】
【数１０３】
2019050626.tif 000111
【０３１９】
の同一の値を利用できたり、
【０３２０】
【数１０４】
2019050626.tif 000112
【０３２１】
を明示的に構成せず、
ある場合に、
【０３２２】
【数１０５】
2019050626.tif 000113
【０３２３】
が常に利用される。それから、
第１
【０３２４】
【数１０６】
2019050626.tif 000114
【０３２５】
ＴＴＩが、ＰＵＣＣＨ資源の同一のセットを利用するとき、適切なＡＲＯ値を選択するｅＮＢ１０２によって衝突が防止され得る。その場合、相違するＡＲＯマッピング関数は、第１バンドリングウィンドウ
【０３２６】
【数１０７】
2019050626.tif 000115
【０３２７】
のＴＴＩ、及び第２バンドリングウィンドウ
【０３２８】
【数１０８】
2019050626.tif 000116
【０３２９】
のＴＴＩに利用され得る。
【０３３０】
同一のバンドリングウィンドウ内において、ＵＥは、第１ＴＴＩにおけるＰＤＣＣＨ及び第２ＴＴＩにおけるＥＰＤＣＣＨを検出することができる。
【０３３１】
図１６は、本発明により、適応されたＴＤＤ ＵＬ−ＤＬ構成におけるそれぞれのＰＤＳＣＨ受信のＤＬ ＴＴＩインデックスにより、ＰＵＣＣＨオフセットを用いてＨＡＲＱ−ＡＣＫ信号伝送のためのＰＵＣＣＨ資源の例示的な決定を示す。図１６に示された実施形態は単に説明するためのものである。他の実施形態は本発明の範囲内で使用することができる。
【０３３２】
図１６に示されたように、ＴＤＤ ＵＬ−ＤＬ構成１(
【０３３３】
【数１０９】
2019050626.tif 000117
【０３３４】
のバンドリングウィンドウサイズ)は従来のものであり、それは、ＴＤＤ ＵＬ−ＤＬ構成２(
【０３３５】
【数１１０】
2019050626.tif 000118
【０３３６】
のバンドリングウィンドウサイズ)１６１０に適応され、ＨＡＲＱ−ＡＣＫ伝送タイミングはＴＤＤ ＵＬ−ＤＬ構成２に基づく。(ＴＤＤ ＵＬ−ＤＬ構成１に含まれる)ＤＬ ＴＴＩ#５(１６２０)及びＤＬ ＴＴＩ#６(１６３０)の場合、それぞれのＰＤＳＣＨ受信(または、ＳＰＳ解除)に応答し、ＵＥ１１４からのＨＡＲＱ−ＡＣＫ信号伝送のためのＵＬ ＴＴＩ#２(１６４０)のそれぞれのＰＵＣＣＨ資源は、第１ＰＵＣＣＨ資源オフセット
【０３３７】
【数１１１】
2019050626.tif 000119
【０３３８】
１６５０を用いて決定される。ＤＬ ＴＴＩ#４(１６６０)及びＤＬ ＴＴＩ#８(１６７０)(ＴＤＤ ＵＬ−ＤＬ構成１に含まれない)の場合、それぞれのＰＤＳＣＨ受信(または、ＳＰＳ解除)に応答し、ＵＥ１１４からのＨＡＲＱ−ＡＣＫ信号伝送のためのＵＬ ＴＴＩ#２(１６４０)のそれぞれのＰＵＣＣＨ資源は、ＵＥ１１４から明示的にシグナリングされたり、
【０３３９】
【数１１２】
2019050626.tif 000120
【０３４０】
からＵＥ１１４によって暗示的に決定され得る第２ＰＵＣＣＨ資源オフセット
【０３４１】
【数１１３】
2019050626.tif 000121
【０３４２】
(１６８０)を用いて決定される。
【０３４３】
従って、適応されたＴＤＤ ＵＬ−ＤＬ構成で動作するために構成されたＵＥ１１４は、ＨＡＲＱ−ＡＣＫマルチプレキシングを有するＰＵＣＣＨフォーマット１ｂを用いて、ＵＬ ＴＴＩにおけるＨＡＲＱ−ＡＣＫ情報を伝送するために、資源を決定するための二つのオフセットを利用することができる。従来のＴＤＤ ＵＬ−ＤＬ構成で動作するＵＥが、ＵＬ ＴＴＩにおけるＨＡＲＱ−ＡＣＫ情報を伝送するＴＴＩと同一のＴＴＩに対応する資源を決定するために、第１オフセットが使用される。従来のＴＤＤ ＵＬ−ＤＬ構成で動作するＵＥが、ＵＬ ＴＴＩにおけるＨＡＲＱ−ＡＣＫ情報を伝送するＴＴＩと相違するＴＴＩに対応する資源を決定するために、第２オフセットが使用される。
【０３４４】
第３接近法において、上述したＰＵＣＣＨ資源衝突は、従来のＴＤＤ ＵＬ−ＤＬ構成に含まれないＤＬ ＴＴＩに関する相違するＰＵＣＣＨ資源決定方法を利用することによって防止することができる。
【０３４５】
第１接近法または第２接近法と同様に、適応されたＴＤＤ ＵＬ−ＤＬ構成で構成されたＵＥ１１４からのＨＡＲＱ−ＡＣＫ情報の伝送に対応するサイズ
【０３４６】
【数１１４】
2019050626.tif 000122
【０３４７】
のバンドリングウィンドウは、二つのバンドリングウィンドウに分割される(両方とも同一の第１ＵＬ ＴＴＩでＨＡＲＱ−ＡＣＫ信号伝送を有する)。サイズ
【０３４８】
【数１１５】
2019050626.tif 000123
【０３４９】
の第１バンドリングウィンドウは、従来のＴＤＤ ＵＬ−ＤＬ構成に含まれる同一の第１ＵＬ ＴＴＩでそれぞれのＨＡＲＱ−ＡＣＫ信号伝送を有するＴＴＩを含む。サイズ
【０３５０】
【数１１６】
2019050626.tif 000124
【０３５１】
の第２バンドリングウィンドウは、従来のＴＤＤ ＵＬ−ＤＬ構成に含まれない同一の第１ＵＬ ＴＴＩでそれぞれのＨＡＲＱ−ＡＣＫ信号伝送を有するＴＴＩを含む。(ＥＰＤＣＣＨの場合)［数学式１］または(ＰＤＣＣＨの場合)［数学式２］で説明したように、ＰＵＣＣＨ資源決定のための従来の方法は、第１バンドリングウィンドウのＴＴＩに利用される。
【０３５２】
第２バンドリングウィンドウのＴＴＩの場合、ＰＵＣＣＨ資源は、(少なくとも従来のＴＤＤ ＵＬ−ＤＬ構成の第１ＤＬ ＴＴＩより早く発生するＤＬ ＴＴＩに関して)上位階層シグナリングにより、ＵＥ１１４に、以前に構成されたＰＵＣＣＨ資源のセットから明示的に表すことができる。同一または相違するＰＵＣＣＨ資源のうちいずれか一つは、相違するＤＬ ＴＴＩに関する上位階層シグナリングによって構成され得る。ＰＵＣＣＨ資源の指示は、それぞれのＰＤＳＣＨ(または、ＳＰＳ解除)をスケジューリングするＤＣＩフォーマットにおけるＡＲＯフィールドを介することができる。例えば、２ビットを含むＡＲＯフィールドに関し、四つの構成されたＰＵＣＣＨ資源のうち一つを表すことができる。通常、第２バンドリングウィンドウに含まれたＤＬ ＴＴＩの数が４未満である場合、それぞれのＰＵＣＣＨ資源の同一のセットは、２ビットのＡＲＯフィールドが４ＰＵＣＣＨ資源を表すために使用される場合、このようなすべてのＤＬ ＴＴＩに利用され得る。第２バンドリングウィンドウにおけるＴＴＩに対応するＰＵＣＣＨ資源を決定するために、ＡＲＯが、ＵＥ１１４によって暗示的に決定された資源に関するオフセットとして作用する第１バンドリングウィンドウにおけるＴＴＩに対応するＰＵＣＣＨ資源の決定とは異なって［数学式１］、ＡＲＯは、代わりにＰＵＣＣＨ資源を
【０３５３】
【数１１７】
2019050626.tif 000125
【０３５４】
で直接インデックスすることができ、
ここで、
【０３５５】
【数１１８】
2019050626.tif 000126
【０３５６】
は、
第３接近法により、上位階層シグナリングを介してｅＮＢ１０２によってＵＥ１１４に構成される多くても四つのＰＵＣＣＨ資源のうち一つでＰＵＣＣＨ資源に関するインデックスである。送信機ダイバーシティー(ｔｒａｎｓｍｉｔｔｅｒ ｄｉｖｅｒｓｉｔｙ)がＨＡＲＱ−ＡＣＫ信号伝送のために支援される場合、
【０３５７】
【数１１９】
2019050626.tif 000127
【０３５８】
は、
ＰＵＣＣＨ資源の対に関するインデックスである。
【０３５９】
図１７は、それぞれのＤＬ ＴＴＩインデックスが、本発明により、それぞれ従来のＴＤＤ ＵＬ−ＤＬ構成に含まれているか否かによって、ＨＡＲＱ−ＡＣＫシグナリングのためのＰＵＣＣＨ資源の例示的な暗示的または明示的決定を示す。図１７に示されたように、ＴＤＤ ＵＬ−ＤＬ構成１は、従来のＵＥに表した従来のものと推定され、それは、ＴＤＤ ＵＬ−ＤＬ構成２(１７１０)に適応され、ＨＡＲＱ−ＡＣＫ伝送タイミングはＴＤＤ ＵＬ−ＤＬ構成２に基づく。ＤＬ ＴＴＩ#５(１７２０)及びＤＬ ＴＴＩ#６(１７３０)(ＴＤＤ ＵＬ−ＤＬ構成１に含まれる)に関して、それぞれのＰＤＳＣＨ受信(または、ＳＰＳ解除)に応答し、ＵＥ１１４からのＨＡＲＱ−ＡＣＫ信号伝送のためのＵＬ ＴＴＩ#２(１７６０)のそれぞれのＰＵＣＣＨ資源は、例えば、式１のように、従来のＵＥ(方法１)１７２２及び１７３２に関しては同一の方法を用いて決定される。ＤＬ ＴＴＩ#４(１７４０)及びＤＬ ＴＴＩ#８(１７５０)(ＴＤＤ ＵＬ−ＤＬ構成１に含まれない)に関して、それぞれのＰＤＳＣＨ受信(または、ＳＰＳ解除)に応答し、ＵＥ１１４からのＨＡＲＱ−ＡＣＫ信号伝送のためのＵＬ ＴＴＩ#２(１７６０)のそれぞれのＰＵＣＣＨ資源は、相違する方法(方法２)を用いて決定される。このような相違する方法は、それぞれのＤＬ ＴＴＩでＰＤＳＣＨ(または、ＳＰＳ解除)をスケジューリングするＤＣＩフォーマットにおけるＡＲＯフィールドを用いて上位階層シグナリングによってＵＥ１１４に構成されたＰＵＣＣＨ資源のセットからＰＵＣＣＨ資源の指示を明示することができる。
【０３６０】
ＰＵＳＣＨにおけるＴＴＩ−依存ＵＣＩマルチプレキシング
特定の実施形態において、ＰＵＳＣＨでマルチプレキシングされたＵＣＩの検出信頼性を改善するための第１方法は、ＰＵＳＣＨ伝送のために使用されるＵＬ ＰＣプロセスと、このようなマルチプレキシングをリンクすることである。ＵＬ ＰＣプロセスが、ＵＬ固定ＴＴＩのように、ＴＴＩの第１セットでＰＵＳＣＨ伝送のために利用されるプロセス(以下、第１ＵＬ ＰＣプロセスと称される)である場合、ＵＥ１１４はＰＵＳＣＨでＵＣＩをマルチプレキシングする。ＵＬ ＰＣプロセスが、ＵＬ柔軟性ＴＴＩのように、ＴＴＩの第２セットでＰＵＳＣＨ伝送のために利用されるプロセス(以下、第２ＵＬ ＰＣプロセスと称される)と同一である場合、ＵＥ１１４は、ＰＵＳＣＨ伝送をスケジューリングするＤＣＩフォーマットに含まれたそれぞれのフィールドから明示的に、またはフレームにおけるそれぞれのＴＴＩに関する構成により、またはＰＵＳＣＨ伝送をスケジューリングするＤＣＩフォーマットに含まれたフィールドの値から暗示的に、ＰＵＳＣＨ伝送のために適用するＵＬ ＰＣプロセスを決定することができ、また相違する機能(例えば、奇数値が第１ＵＬ ＰＣプロセスと関連することがあり、偶数値が第２ＵＬ ＰＣプロセスと関連することもあるＰＳＣＨでＤＭＲＳ伝送のためのＣＳ及びおそらくＯＣＣを表すフィールド)を提供することができる。ＵＣＩは、ＨＡＲＱ−ＡＣＫまたはＰ−ＣＳＩまたはこれらの組み合わせを含むことができる。
【０３６１】
図１８は、本発明により、関連するＵＬ ＰＣプロセスによりＰＵＳＣＨでＵＣＩをマルチプレキシングするか否かをＵＥによって判断する一例を示す。フローチャートが一連の逐次的な段階を示しているが、明示的に言及しない限り、実行の特定の順序、同時よりは連続的にまたは重畳方式への段階またはその一部の実行、または介在または中間段階の生成なしに排他的に示された段階の実行に関するシーケンスから、いかなる推論もしてはいけない。図示された例に示されたプロセスは、例えば、移動局で伝送機チェーンによって具現される。
【０３６２】
図１８に示されたように、ＵＥ１１４は、ＵＬ ＴＴＩでＰＵＳＣＨをスケジューリングするＤＣＩフォーマットを搬送するＰＤＣＣＨを検出し、動作１８１０でそれぞれのＵＬ ＰＣを決定する。ＵＥ１１４は、またＰＵＳＣＨでマルチプレキシングするためにＨＡＲＱ−ＡＣＫまたはＰ−ＣＳＩのうちいずれか一つを有すると推定される。ＵＥ１１４は、ＵＬ ＰＣプロセスが動作１８２０で第１プロセスまたは第２プロセスであるかを検査する。ＰＵＳＣＨ伝送電力を決定するためのＵＬ ＰＣプロセスが、第１プロセスである場合、ＵＥ１１４は、動作１８３０でＰＵＳＣＨのＨＡＲＱ−ＡＣＫまたはＰ−ＣＳＩをマルチプレキシングし、そうでなければ、ＰＵＳＣＨ伝送電力を決定するためのＵＬ ＰＣプロセスが第２プロセスである場合、ＵＥ１１４は、動作１８４０でＰＵＳＣＨのＨＡＲＱ−ＡＣＫまたはＰ−ＣＳＩをマルチプレキシングしない。
【０３６３】
第２方法において、ＰＵＳＣＨでＨＡＲＱ−ＡＣＫまたはＰ−ＣＳＩマルチプレキシングに関して、ＵＥ１１４が任意のＰＵＳＣＨ伝送を有さない場合、ＰＵＳＣＨは、ＵＥ１１４がＨＡＲＱ−ＡＣＫまたはＰ−ＣＳＩを伝送するために使用するＰＵＣＣＨと同一のＴＴＩで伝送されなければ、このようなマルチプレキシングは、ＰＵＳＣＨ伝送のために使用されるＵＬ ＰＣプロセスに関係なく完全に禁止される。ＵＥ１１４が、ＰＵＳＣＨにおけるＵＣＩを伝送しない場合、その後の措置はＵＣＩタイプによる。ＨＡＲＱ−ＡＣＫ伝送の場合、ＵＥ１１４は、ＵＥ１１４がＰＵＳＣＨ伝送を有さず、ＰＵＣＣＨにおけるＨＡＲＱ−ＡＣＫを伝送する場合と同一の方式で進行することができる。
【０３６４】
図１９は、本発明に係るそれぞれのＴＴＩにより、ＰＵＳＣＨでＵＣＩをマルチプレキシングするか否かをＵＥによって判断する一例を示す。フローチャートが一連の逐次的な段階を示しているが、明示的に言及しない限り、実行の特定の順序、同時よりは連続的にまたは重畳方式への段階またはその一部の実行、または介在または中間段階の生成なしに排他的に示された段階の実行に関するシーケンスから、いかなる推論もしてはいけない。図示された例で示されたプロセスは、例えば、移動局で伝送機チェーンによって具現される。
【０３６５】
図１９に示されたように、ＵＥ１１４は、動作１９１０でＵＬ ＴＴＩにおけるＰＵＳＣＨをスケジューリングするＤＣＩフォーマットを搬送するＰＤＣＣＨを検出する。ＵＥ１１４は、その後、ＵＬ ＴＴＩが動作１９２０でＵＥ１１４がＰＵＳＣＨにおけるＨＡＲＱ−ＡＣＫまたはＰ−ＣＳＩを伝送できるＵＬ ＴＴＩであるかを判断する。ＵＬ ＴＴＩが、ＰＵＣＣＨでＵＥ１１４からのＨＡＲＱ−ＡＣＫまたはＰ−ＣＳＩ伝送を支援する場合、ＵＥ１１４は、動作１９３０でＰＵＳＣＨにおけるＨＡＲＱ−ＡＣＫまたはＰ−ＣＳＩをマルチプレキシングし、そうでなければ、ＵＬ ＴＴＩが、ＰＵＣＣＨでＵＥ１１４からのＨＡＲＱ−ＡＣＫまたはＰ−ＣＳＩ伝送を支援しない場合、ＵＥ１１４は、動作１９４０でＰＵＳＣＨにおけるＨＡＲＱ−ＡＣＫまたはＰ−ＣＳＩをマルチプレキシングしない。例えば、ＰＵＣＣＨにおけるＨＡＲＱ−ＡＣＫ信号の伝送を支援するＴＴＩはＵＬ固定ＴＴＩである場合があり、ＰＵＣＣＨにおけるＨＡＲＱ−ＡＣＫ信号伝送を支援しないＴＴＩはＵＬ柔軟性ＴＴＩである場合がある。
【０３６６】
ＰＵＳＣＨをスケジューリングし、ＵＥ１１４が、ＰＵＳＣＨにおけるＨＡＲＱ−ＡＣＫをマルチプレキシングするべきＰＤＳＣＨの数を表すＤＣＩフォーマットに含まれるＵＬ ＤＡＩフィールドは、ＨＡＲＱ−ＡＣＫがＰＵＳＣＨでマルチプレキシングされない場合に有用ではない。その場合、２ビットのＵＬ ＤＡＩフィールドの利用は、ＵＥ１１４が、検出されたＤＣＩフォーマットでフィールドの有効性があるか否かを判断する場合に、値を確認できるように２ビットのＵＬ ＤＡＩフィールドを常に０に設定するか、第２ＵＬ ＰＣプロセスのＣＬＰＣ構成要素によって使用されるＴＰＣビットの数を増加させ、第２ＵＬ ＰＣプロセスの正確性を向上させるために、追加的なＴＰＣフィールドとして２ビットのＵＬ ＤＡＩフィールドを使用することにより、またはＰＵＳＣＨ伝送に関連する任意の他の機能に対してあり得る。
【０３６７】
図２０は、ＵＥが、本発明により、ＴＴＩのＰＵＳＣＨでＨＡＲＱ−ＡＣＫをマルチプレキシングするか否かによって、ＴＴＩでＰＵＳＣＨ伝送をスケジューリングするＤＣＩフォーマットに含まれるＵＬ ＤＡＩフィールドの例示的な使用を示す。フローチャートが一連の逐次的な段階を示しているが、明示的に言及しない限り、実行の特定の順序、同時よりは連続的にまたは重畳方式への段階またはその一部の実行、または介在または中間段階の生成なしに排他的に示された段階の実行に関するシーケンスから、いかなる推論もしてはいけない。図示された例で示されたプロセスは、例えば、移動局で伝送機チェーンによって具現される。
【０３６８】
図２０に示されたように、ＵＥ１１４は、ＵＬ ＴＴＩにおけるＰＵＳＣＨをスケジューリングし、動作２０１０でＵＬ ＤＡＩフィールドを含むＤＣＩフォーマットを搬送するＰＤＣＣＨを検出する。ＵＥ１１４は、その後、ＵＬ ＴＴＩが、例えば、上述した方法のうち一つを用いて動作２０２０でＵＥ１１４がＰＵＳＣＨにおけるＨＡＲＱ−ＡＣＫをマルチプレキシングできるＵＬ ＴＴＩであるか否かを判断する。ＵＬ ＴＴＩが、ＰＵＣＣＨでＵＥ１１４からのＨＡＲＱ−ＡＣＫ信号伝送を支援する場合、ＵＥ１１４は、動作２０３０でＵＬ ＤＡＩフィールドの値によって、ＰＵＳＣＨでマルチプレキシングするためにＨＡＲＱ−ＡＣＫペイロードを決定し、そうでなければ、ＵＬ ＴＴＩが、ＰＵＣＣＨでＵＥ１１４からのＨＡＲＱ−ＡＣＫ信号伝送を支援しない場合、ＵＥ１１４は、ＰＵＳＣＨ伝送の閉ループ電力制御のためにＴＰＣビットの数を増加させ、動作２０４０でそれぞれの受信信頼性を向上させるために、ＤＣＩフォーマットに含まれるＴＰＣフィールドを補完するためにＵＬ ＤＡＩフィールドを使用する。代案として、ＵＬ ＤＡＩフィールド値は、ＵＥ１１４が、ＤＣＩフォーマットを有効なものとして追加的に考慮する前に確認できる「００」のような予め決められた値に設定され得る。代案として、ＵＬ ＤＡＩフィールド値はＰＵＳＣＨ伝送に関連する任意の他の機能のために使用することができる。
【０３６９】
ＰＵＳＣＨが、ＰＵＳＣＨと同一のＴＴＩで送信される場合にのみＨＡＲＱ−ＡＣＫがＰＵＳＣＨでマルチプレキシングされる場合、ＵＥ１１４は、ＰＵＳＣＨを伝送しないときにＨＡＲＱ−ＡＣＫ情報を伝送するために使用し、効果的なバンドリングウィンドウ 
【０３７０】
【数１２０】
2019050626.tif 000128
【０３７１】
は、上述したように、従来のもの
【０３７２】
【数１２１】
2019050626.tif 000129
【０３７３】
と相違する。また、ＵＬ ＤＡＩフィールドのマッピングは、効果的なバンドリングウィンドウサイズ 
【０３７４】
【数１２２】
2019050626.tif 000130
【０３７５】
を反映するべきである。
【０３７６】
適応されたＴＤＤ ＵＬ−ＤＬ構成で動作するように構成されたＵＥ１１４と、上述したように、従来のＴＤＤ ＵＬ−ＤＬ構成で動作するＵＥ１１５の間において、チャンネル選択でＰＵＣＣＨフォーマット１ｂを用いてＨＡＲＱ−ＡＣＫ情報の伝送に関する潜在的な資源衝突とは異なり、このような衝突は、ＨＡＲＱ−ＡＣＫ情報がＰＵＳＣＨで伝送される場合に発生しない。従って、適応ＴＤＤ ＵＬ−ＤＬ構成で動作するように構成されるＵＥ１１４の場合、ＨＡＲＱ−ＡＣＫ情報の順序は、ＴＴＩの第１セットに対応する第１ＨＡＲＱ−ＡＣＫ情報ビットを配置し、ＴＴＩの第２セットに対応する第２ＨＡＲＱ−ＡＣＫ情報ビットを配置することによって修正される必要がない。その代わりに、それぞれのＴＴＩに関するＨＡＲＱ−ＡＣＫ情報ビットの順序は、ＨＡＲＱ−ＡＣＫ情報の伝送のために、ＵＥ１１４に構成されるＴＤＤ ＵＬ−ＤＬ構成に関して表４に記載されたタイミングによる。
【０３７７】
図２１は、ＨＡＲＱ−ＡＣＫが、単に本発明により、予め決められたＵＬ ＴＴＩのＰＵＳＣＨでマルチプレキシングされる場合に、効果的なバンドリング(ｂｕｎｄｌｉｎｇ)ウインドウサイズを示す。図２１に示されたＰＵＳＣＨの実施形態は単に説明するためのものである。他の実施形態は本発明の範囲内で使用することができる。
【０３７８】
図２１に示されたように、ＴＤＤ ＵＬ−ＤＬ構成１は単に説明するために利用される(
【０３７９】
【数１２３】
2019050626.tif 000131
【０３８０】
のバンドリングウィンドウサイズ)。ＵＬ ＤＡＩフィールドの従来の使用において、ｅＮＢ１０２が、ＳＦ＃４(２１１０)でＵＥ１１４に関するＰＤＳＣＨ伝送をスケジューリングする場合、ｅＮＢ１０２は、ＳＦ＃８(２１２０)でＵＥ１１４からのそれぞれのＨＡＲＱ−ＡＣＫ伝送を予想する。従って、ｅＮＢ１０２が、ＳＦ＃８でＵＥ１１４に関するＰＤＳＣＨ伝送をスケジューリングする場合、それぞれのＤＣＩフォーマットで１の値を有するＵＬ ＤＡＩフィールドは、ＵＥ１１４が、ＳＦ＃４でＰＤＳＣＨ伝送(または、ＳＰＳ解除)のためのＨＡＲＱ−ＡＣＫをマルチプレキシングするべきであることを表す。同様に、ｅＮＢ１０２が、ＳＦ＃５(２１３０)及びＳＦ#６(２１３２)のいずれか一つまたは全部でＵＥ１１４に関するＰＤＳＣＨ伝送をスケジューリングする場合、ｅＮＢ１０２は、ＳＦ＃２(２１４０)でＵＥ１１４からのそれぞれのＨＡＲＱ−ＡＣＫ伝送を予想し、ｅＮＢ１０２が、ＳＦ＃２でＵＥ１１４に関するＰＤＳＣＨ伝送をスケジューリングする場合、それぞれのＤＣＩフォーマットでそれぞれ１または２の値を有するＵＬ ＤＡＩフィールドは、ＵＥ１１４が、ＰＵＳＣＨでＨＡＲＱ−ＡＣＫをマルチプレキシングするべきＰＤＳＣＨ(または、ＳＰＳ解除)の数を表す。ＳＦ＃８(２１６２)が、ＵＬ柔軟性ＴＴＩであると推定すれば、ＵＥ１１４は、ＳＦ＃８でＰＵＳＣＨ伝送におけるＨＡＲＱ−ＡＣＫマルチプレキシングを支援しない。その後、ｅＮＢ１０２は、ＵＥ１１４が、ＰＵＣＣＨでＨＡＲＱ−ＡＣＫを伝送できるＳＦ＃８の後で第１ＴＴＩでＵＥ１１４がＳＦ＃４でスケジューリングされたＰＤＳＣＨに関するＨＡＲＱ−ＡＣＫをマルチプレキシングすることを予想する。ＴＤＤ ＵＬ−ＤＬ構成１の例示的な場合、そのＵＬ ＴＴＩはＳＦ＃２である。従って、ｅＮＢ１０２が、ＳＦ＃４(２１５０)、ＳＦ＃５(２１５２)及びＳＦ#６(２１５４)のいずれか一つでＵＥ１１４に関するＰＤＳＣＨ伝送をスケジューリングする場合、ｅＮＢ１０２は、ＳＦ＃２(２１６０)でＵＥ１１４からのそれぞれのＨＡＲＱ−ＡＣＫ伝送を予想し、それが、ＳＦ＃２でＵＥ１１４に関するＰＤＳＣＨ伝送をスケジューリングする場合、ＳＦ＃４、ＳＦ＃５、及びＳＦ#６でスケジューリングされたＰＤＳＣＨ(または、ＳＰＳ解除)の数が、それぞれのＤＣＩフォーマットでそれぞれ１または２または３であるかによって、１または２または３の値を有するＵＬ ＤＡＩフィールドは、ＵＥ１１４が、ＰＵＳＣＨでＨＡＲＱ−ＡＣＫをマルチプレキシングするべきＰＤＳＣＨの数を表す。従って、適応されたＴＤＤ ＵＬ−ＤＬ構成で動作するように構成されたＵＥ１１４の場合、ＵＬ ＤＡＩフィールドの値に関するマッピングは、ＵＥ１１４が、ＨＡＲＱ−ＡＣＫの伝送のために利用可能なＵＬ ＴＴＩを決定するときに考慮する構成されたＴＤＤ ＵＬ−ＤＬ構成による。
【０３８１】
Ａ−ＣＳＩに関して、それぞれのＰＵＳＣＨで伝送が発生しない場合、それぞれのＡ−ＣＳＩペイロードがＰ−ＣＳＩを伝送するのに利用されるＰＵＣＣＨフォーマットによって支援されず、ＵＥ１１４が、次のＰＵＳＣＨ伝送で伝送するための他のＡ−ＣＳＩを有することができるとき、その後のＰＵＣＣＨで伝送が発生できない。従って、Ａ−ＣＳＩに関して、二つの代案が存在する。
【０３８２】
第１代案は、常にＰＵＳＣＨでＡ−ＣＳＩを伝送することである。Ａ−ＣＳＩコードワードがさらにＣＲＣを含むと推定される場合、ｅＮＢ１０２は、Ａ−ＣＳＩコードワードを不正確にデコーディングするか否かを判断することができる。ＰＵＳＣＨ伝送が第２ＵＬ ＰＣプロセスを利用する場合、ＰＵＳＣＨにおけるＡ−ＣＳＩ資源は、第１ＵＬ ＰＣプロセスを用いて同一のＰＵＳＣＨ伝送のためのそれぞれのものより大きくなり得る。従って、ＰＵＳＣＨにおけるＵＣＩのマルチプレキシングは、前述された条件下において、ＰＵＳＣＨでマルチプレキシングされていないＨＡＲＱ−ＡＣＫまたはＰ−ＣＳＩでＵＣＩタイプでさらに調整できるが、Ａ−ＣＳＩは、ＰＵＳＣＨ伝送をスケジューリングするＤＣＩフォーマットにおけるそれぞれのＡ−ＣＳＩ要求フィールドが、ＰＵＳＣＨ伝送でＡ−ＣＳＩをマルチプレキシングするべき場合、常にＰＵＳＣＨでマルチプレキシングされる。
【０３８３】
図２２は、本発明に係るＵＣＩタイプ及びＴＴＩタイプにより、ＴＴＩで伝送されたＰＵＳＣＨへのＵＣＩをマルチプレキシングするための例示的なＵＥ決定を示す。フローチャートが一連の逐次的な段階を示しているが、明示的に言及しない限り、実行の特定の順序、同時よりは連続的にまたは重畳方式への段階またはその一部の実行、または介在または中間段階の生成なしに排他的に示された段階の実行に関するシーケンスから、いかなる推論もしてはいけない。図示された例で示されたプロセスは、例えば、移動局で伝送機チェーンによって具現される。
【０３８４】
図２２に示されたように、ＵＥ１１４は、ＵＬ ＴＴＩにおけるＰＵＳＣＨをスケジューリングし、動作２２１０でＵＬ ＤＡＩフィールドを含むＤＣＩフォーマットを搬送するＰＤＣＣＨを検出する。ＵＥ１１４は、その後、ＵＬ ＴＴＩが、ＵＬ固定ＴＴＩであるか、ＰＵＳＣＨが動作２２２０で上述したように伝送できる第１ＵＬ ＰＣプロセスを利用するＵＬ ＴＴＩであるかを判断する。ＵＬ ＴＴＩが、ＵＬ固定ＴＴＩ(または、ＵＥ１１４が、ＰＵＣＣＨにおけるＨＡＲＱ−ＡＣＫを伝送できるＵＬ ＴＴＩ、または第１ＵＬ ＰＣプロセスを利用するＵＬ ＴＴＩ)である場合、ＵＥ１１４は、動作２２３０でＰＵＳＣＨにおけるＨＡＲＱ−ＡＣＫ及びＡ−ＣＳＩをマルチプレキシングし、そうでなければ、ＵＬ ＴＴＩが、ＵＬ固定ＴＴＩ(または、ＵＥ１１４が、ＰＵＣＣＨにおけるＨＡＲＱ−ＡＣＫを伝送できないＵＬ ＴＴＩ、または第２ＵＬ ＰＣプロセスを利用するＵＬ ＴＴＩ)ではない場合、ＵＥ１１４は動作２２４０でＰＵＳＣＨにおけるＡ−ＣＳＩのみをマルチプレキシングする。
【０３８５】
第２代案は、ＵＥ１１４が、常に第２ＵＬ ＰＣプロセスを利用するＰＵＳＣＨで、またはＰＵＣＣＨ伝送がＵＥ１１４に支援されないＵＬ ＴＴＩにＰＵＳＣＨ伝送がある場合に、Ａ−ＣＳＩ伝送をドロップ(ｄｒｏｐ)することである。その場合、ＰＵＳＣＨをスケジューリングするＤＣＩフォーマットに含まれる１ビットＡ−ＣＳＩ要求フィールドは使用されない。その場合、１ビットＡ−ＣＳＩ要求フィールドの利用は、ＵＥ１１４が、検出されたＤＣＩフォーマットにおいて、フィールドの有効性があるか否かを判断する場合に値を確認できるように、１ビットＡ−ＣＳＩ要求フィールドを常に０に設定したり、第２ＵＬ ＰＣプロセスのＣＬＰＣ構成要素によって使用されるＴＰＣビットの数を増加させ、第２ＵＬ ＰＣプロセスの正確性を向上させるために、ＴＰＣビットとして１ビットＡ−ＣＳＩ要求フィールドを使用することによって、またはＰＵＳＣＨ伝送に関連する任意の他の機能に関して、それを使用することによって行うことができる。この場合、ＵＥ１１４の動作は、図２０におけるＵＬ ＤＡＩフィールドに関して説明されたものと類似している。
【０３８６】
最後に、本発明の第１実施形態の様々な様態の以前の説明が、検出されたＰＤＣＣＨにおけるＤＣＩフォーマットによってスケジューリングされたＰＵＳＣＨを考慮したが、同一のＵＥの動作は、(適用可能な場合)ＰＵＳＣＨ再伝送がＰＨＩＣＨ検出によってトリガーされるときに存在し得る。ＳＰＳ ＰＵＳＣＨは、ＵＬ固定ＴＴＩにあると推定され、ＵＥ１１４は、ＳＰＳ ＰＵＳＣＨでＵＣＩをマルチプレキシングするための従来の方法によることができる。
【０３８７】
ＵＥが適応ＴＤＤ ＵＬ−ＤＬ構成で動作するために構成されたＰＵＣＣＨにおけるＵＣＩマルチプレキシング
特定の実施形態は、同一のＰＵＣＣＨで二つのＰ ＣＳＩ報告のマルチプレキシングを考慮する。これは、ＤＬ固定ＴＴＩに対応する第１Ｐ−ＣＳＩ及びＤＬ柔軟性ＴＴＩに対応する少なくとも第２Ｐ−ＣＳＩのＵＥ１１４と、ＰＵＣＣＨが、(例えば、ＵＬ固定ＴＴＩでのみ)Ｐ−ＣＳＩ報告のために存在し得るＵＬ ＴＴＩの制限からの報告を支援するための必要性から動機が与えられる。ＵＥ１１４は、二つの相違するＰＵＣＣＨでＵＣＩを同時に送信できないと推定される。
【０３８８】
ＵＥ１１４は、第１ＣＳＩを決定するためのＤＬまたは特定のＴＴＩの第１セット及び第２ＣＳＩを決定するためのＤＬまたは特定のＴＴＩの第２セットを、ｅＮＢ１０２によって構成することができ、ここで、構成は、ＤＬまたは特定のＴＴＩ(ＴＴＩ#２が常にＵＬ ＴＴＩである)であるＴＤＤ ＵＬ−ＤＬ構成における最大のＴＴＩを含むように、９ビットのビットマップを使用して可能になる。例えば、ビットマップは、{０ ０ １ １ ０ ０ １ １ ０}であり、ここで、「０」の値は第１セットのＴＴＩを表し、「１」の値は第２セットのＴＴＩを表す。代案として、ビットマップは、ｅＮＢ１０２が、ＨＡＲＱ−ＡＣＫ情報の伝送のための一つ以上のＵＬ ＴＴＩを決定するために、ＵＥ１１４に構成するＴＤＤ ＵＬ−ＤＬ構成のＤＬまたは特定のＴＴＩに関して同一の方式で定義することができる。
【０３８９】
ＤＬ固定ＴＴＩ及びＤＬ柔軟性ＴＴＩ間のＰ−ＣＳＩ差が、ＵＥ１１４によるＤＬ受信のために干渉を経験することによって、一つのＰＭＩが二つのＰ−ＣＳＩ報告に十分であり、ＤＬ柔軟性ＴＴＩに関するＰ−ＣＳＩまたはＤＬ固定ＴＴＩに関するＰ−ＣＳＩのうちいずれか一つがＰＭＩを含む必要がない。従って、(ＰＭＩがマルチプレキシングされるか否かを定義する(また、ＲＥＦ３を参照))Ｐ−ＣＳＩ報告モードは、ＤＬ固定ＴＴＩのセットのようなＴＴＩの第１セット及びＤＬ柔軟性ＴＴＩのセットのようなＴＴＩの第２セットに関して、別途で構成され得る。これは、相違するＵＬ ＴＴＩで発生するように、時間分割マルチプレキシング(ＴＤＭ)が、第１Ｐ−ＣＳＩ及び第２Ｐ−ＣＳＩの伝送のために使用されるか、または、この二つのＰ−ＣＳＩが同一のＰＵＣＣＨ(及び同一のＵＬ ＴＴＩ)でマルチプレキシングされるかに関係なく適用することができる。さらに、ＵＥ１１４は、ＴＴＩの第１セットまたはＴＴＩの第２セットでのみＰＭＩを計算したり、ＴＴＩの第１セットからの少なくとも一つのＴＴＩ及びＴＴＩの第２セットからの少なくとも一つのＴＴＩを用いてＰＭＩ計算を組み合わせることができる。
【０３９０】
そこで、ｅＮＢ１０２によってＵＥ１１４に構成されるＴＴＩの二つの相違するセットに対応する２つのＣＱＩと、ＤＬ固定ＴＴＩのセット及びＤＬ柔軟性ＴＴＩのセットのような二つのＤＬ ＴＴＩセットに対応する単一のＰＭＩの同一のＰＵＣＣＨにおけるマルチプレキシングを支援することが有利である。また、ＵＥ１１４に関するＣＳＩ報告タイプの構成によって、Ｐ−ＣＳＩ報告がそれぞれのＴＴＩの二つのセットに関する二つのＣＱＩのみを含むことが可能である。
【０３９１】
図２３は、本発明により、(ＤＬ固定ＴＴＩのセットのような)ＴＴＩの第１セットに対応する第１ＣＱＩ、(ＤＬ柔軟性ＴＴＩのような)ＴＴＩの第２セットに対応する第２ＣＱＩ、及びＴＴＩの二つのセットに対応する単一ＰＭＩのうち同一のＰＵＣＣＨにおける例示的なマルチプレキシングを示す。図２３に示されたＴＤＤ構成２３００の実施形態は単に説明するためのものである。他の実施形態は本発明の範囲内で使用することができる。
【０３９２】
図２３に示されたように、ＴＤＤ ＵＬ−ＤＬ構成１は説明するためにのみ使用される。ＵＥ１１４は、ＤＬ固定ＴＴＩ ＳＦ＃５(２３１０)で第１Ｐ−ＣＱＩを計算し、ＤＬ柔軟性ＴＴＩ ＳＦ＃４(２３２０)における第２Ｐ−ＣＱＩとＤＬ固定ＴＴＩ ＳＦ＃５及びＤＬ柔軟性ＴＴＩ ＳＦ＃４のうちいずれか一つまたは全部における単一ＰＭＩを計算し、ＵＬ ＴＴＩ ＳＦ＃２(２３３０)のＰＵＣＣＨに第１Ｐ−ＣＱＩ、第２Ｐ−ＣＱＩ及びＰＭＩを報告する。
【０３９３】
第２ＣＱＩが第１ＣＱＩより遥かに優れることから、ＤＬ柔軟性ＴＴＩにおけるＤＬ伝送が(通常、ＤＬ固定ＴＴＩにおけるＤＬ伝送によって経験されるＤＬ−支配的干渉より小さい)ＵＬ−支配的干渉を経験するので、第２ＣＱＩは、差等方式(ｄｉｆｆｅｒｅｎｔｉａｌ ｍａｎｎｅｒ)でより高いＣＱＩを表す最も大きい値を有する第１ＣＱＩに報告され得る。例えば、第２ＣＱＩは、第１ＣＱＩを表すのに使用される４のバイナリ要素の代わりに２のバイナリ要素によって表現でき、２のバイナリ要素は、第１ＣＱＩのインデックスと比較される第２ＣＱＩに関する１ないし３インデックスを表すのに使用され得る。従って、サブフレームの第２セットに関する第２ＣＱＩは、値の第２セット内の少なくとも一つの値が、表１におけるセットのように、サブフレームの第１セットに関する第１ＣＱＩに関する値の第１セットで最も大きい値より大きい値の第２セットを含むことができる。
【０３９４】
第１例において、二つのバイナリ要素を用いて第１ＣＱＩに関する第２ＣＱＩの差等報告のために、第１値は、第１ＣＱＩのインデックスより小さい(適用可能なとき)２の値であるインデックスを表すことができ、第２値、第３値及び第４値は、それぞれ第１ＣＱＩのインデックスと同一であり、より大きい２の値及びより大きい４の値となり得る。その後、表１を参照すると、インデックス４を表す第１ＣＱＩ値に関して、第２ＣＱＩ値は２、４、６または８のＣＱＩインデックスを表すことができる。第２例において、第２ＣＱＩに関して、第１値は、第１ＣＱＩに関するインデックスと同一のインデックスを表すことができ、第２値、第３値及び第４値は、それぞれ第１ＣＱＩのインデックスより(適用可能なとき、可能な最も大きい値に到達されない場合)大きい２の値、大きい４の値及び大きい６の値となり得る。その後、表１を参照すると、インデックス４を表す第１ＣＱＩ値に関して、第２ＣＱＩ値は４、６、８または１０のＣＱＩインデックスのうちいずれか一つを表すことができる。二つ以上のＰ−ＣＳＩを報告する場合、残りのＰ−ＣＳＩは第２Ｐ−ＣＳＩに関して上述したような方式で提供され得る。
【０３９５】
さらに、ＵＥ１１４は、相違する変調方式の支援を含むＤＬ固定ＴＴＩ及びＤＬ柔軟性ＴＴＩで相違するＰＤＳＣＨ伝送モードで構成され得る。例えば、ＤＬ固定ＴＴＩのようなＴＴＩの第１セットで、ＰＤＳＣＨ伝送は、第１伝送モードまたは６４直交振幅変調(ＱＡＭ)の最大変調次数を使用するように構成され得るが、ＤＬ柔軟性ＴＴＩのようなＴＴＩの第２セットで、ＵＥ１１４は、第２ＰＤＳＣＨ伝送モードまたは２５６ＱＡＭの最大変調次数を使用するように構成され得る。従って、ＴＴＩの第１セットでは、表１及び表２が利用されるが、ＴＴＩの第２セットでは、ｅＮＢ１０２が、表１及び表２または２５６ＱＡＭ変調に関する支援を含む修正された表１及び修正された表２のうちいずれか一つを利用するためにＵＥ１１４を構成することができる。
【０３９６】
単一Ｐ−ＣＳＩを伝送するために使用されたＰＵＣＣＨフォーマット(また、ＰＵＣＣＨ Ｆｏｒｍａｔ２と称される。また、ＲＥＦ１を参照)とＤＬ ＴＴＩの第１セットに関するＰ−ＣＳＩ及びＤＬ ＴＴＩの第２セットに関するＰ−ＣＳＩの両方をマルチプレキシングするための同一のＰＵＣＣＨフォーマットを利用する代わりに、二つのＰ−ＣＳＩのマルチプレキシングは、図７で説明されたような構造を有するＰＵＣＣＨフォーマット(ＰＵＣＣＨフォーマット３)で行うことができる。追加的に、ＨＡＲＱ−ＡＣＫ及び以前の２Ｐ−ＣＳＩのマルチプレキシングは、図７で説明されたものと同一のＰＵＣＣＨフォーマットによって支援され得る。
【０３９７】
図２４は、本発明により、ＨＡＲＱ−ＡＣＫ、ＴＴＩの第１セットに関するＰ−ＣＳＩ、及びＴＴＩの第２セットに関するＰ−ＣＳＩのための例示的なＵＥ送信機のブロック図を示す。図２４に示されたＵＥ送信機２４００の実施形態は単に説明するためのものである。他の実施形態は本発明の範囲内で使用することができる。特定の実施形態において、ＵＥ送信機２４００はＵＥ１１４に位置する。
【０３９８】
図２４に示されたように、図７の構造を推定すると、ＵＥ１１４の送信機は、ＨＡＲＱ−ＡＣＫビット２４０５及びＰ−ＣＳＩビット２４０８をエンコーディングして変調し(２４１０)、それぞれのＴＴＩシンボル２４２０に関するＯＣＣ２４２５の要素とエンコード及び変調されたビットを掛け算する。Ｐ−ＣＳＩビットは、ＰＭＩとＤＬ固定ＴＴＩに関するＣＱＩ及びＤＬ柔軟性ＴＴＩに関するＣＱＩを含む。ＤＦＴプリコーディングの後(２４３０)、ＵＥ１１４の送信機は、ＰＵＣＣＨ ＲＢ２４５０のＲＥ２４４０を選択し、ＩＦＦＴ２４６０を適用して、ＣＰ２４７０を挿入し、フィルタリング２４８０を適用して、信号２４９０を伝送する。
【０３９９】
図２５は、本発明により、ＨＡＲＱ−ＡＣＫ、ＴＴＩの第１セットに関するＰ−ＣＳＩ、及びＴＴＩの第２セットに関するＰ−ＣＳＩのための例示的なＮＢ受信機のブロック図を示す。図２５に示されたｅＮＢ受信機２５００の実施形態は単に説明するためのものである。他の実施形態は本発明の範囲内で使用することができる。特定の実施形態において、ｅＮＢ受信機２５００はｅＮＢ１０２に位置する。
【０４００】
図２５に示されたように、ｅＮＢ１０２受信機は、受信された信号２５１０をフィルタリングし(２５２０)、ＦＦＴ２５３０を適用して、ＵＥ１１４送信機によって使用されるＲＥ２５４０を選択し(２５４５)、IＤＦＴ２５５０を適用して、それぞれのシンボルに関するＯＣＣ要素２５６５と掛け算し(２５６０)、ＨＡＲＱ−ＡＣＫ信号及びＰ−ＣＳＩ信号２５７０を搬送するシンボルに関する出力を合算し、伝送されたＨＡＲＱ−ＡＣＫビット２５８５及びＰ−ＣＳＩビット２５８８を獲得するために合算されたＨＡＲＱ−ＡＣＫ信号及びＰ−ＣＳＩ信号２５８０を復調してデコーディングする。
【０４０１】
ＵＥ１１４に関するＰＤＳＣＨ伝送によって経験される干渉は、それぞれのＤＬ ＴＴＩが、固定ＤＬ ＴＴＩであるか柔軟性ＤＬ ＴＴＩであるかによって、干渉は通常それぞれのＴＴＩがＵＬのもので支配的干渉セルにある場合に後者に関するものより小さく、相違するＰＤＳＣＨ伝送ランクは、ＤＬ固定ＴＴＩ及びＤＬ柔軟性ＴＴＩにおけるＰＤＳＣＨ伝送の間に適用することができ、後者に関するランクは、前者に関するランクと同一または大きい。従って、ＵＥ１１４は、ＤＬ固定ＴＴＩ及びＤＬ柔軟性ＴＴＩに別途のＲＩを提供することができる。ＤＬ柔軟性ＴＴＩに関するＰ−ＣＳＩと類似するように、それぞれのＲＩは差等方式で提供され得る。例えば、単に１ビットは、同一のランクまたはすぐ上のランクが、ＤＬ柔軟性ＴＴＩでＰＤＳＣＨ伝送に適用できるか否かを表すＤＬ柔軟性ＴＴＩに関するＲＩ報告に利用され得る。例えば、ＤＬ固定ＴＴＩに関するＲＩ報告は、１、２または４の空間階層のＰＤＳＣＨ伝送ランクを表す２ビットで構成され、ＲＩ値は、１の空間階層を表す場合、ＤＬ柔軟性ＴＴＩに関するＲＩ報告は、１の空間階層または２の空間階層のうちいずれか一つのＰＤＳＣＨ伝送ランクを表す１ビットで構成され得る。ＴＤＤ ＵＬ−ＤＬ構成が、単にＴＴＩの制限された数に有効であることから、ＵＥ１１４は、ＴＤＤ ＵＬ−ＤＬ構成の有効期間内でＤＬ柔軟性ＴＴＩに関するＲＩを報告する必要がある。このようなＲＩ報告が伝送できるＵＬ ＴＴＩの数が制限されれば、同一のＰＵＣＣＨでＲＩ及びＰ−ＣＳＩ報告のマルチプレキシングを可能にすることが有利となる。従って、本発明の実施形態は、ＴＤＤ ＵＬ−ＤＬ構成の適応を支援するＵＥ１１４をより考慮し、ＤＬ固定ＴＴＩに関するＲＩ報告及びＤＬ柔軟性ＴＴＩに関するＲＩ報告は、同一のＰＵＣＣＨでマルチプレキシングされ、また、ＤＬ固定ＴＴＩまたはＤＬ柔軟性ＴＴＩに関するＰ−ＣＳＩ報告と共にマルチプレキシングされ得る。
【０４０２】
ＰＵＣＣＨフォーマット３に関するペイロードの支援拡大
特定の実施形態において、適応ＴＤＤ ＵＬ−ＤＬ構成で動作するために構成されたＵＥ１１４は、ＵＣＩペイロードによって、一つのＲＢまたは多数のＲＢを介して伝送されるように構成されるＰＵＣＣＨフォーマット３を利用することができる。
【０４０３】
例えば、少なくともＴＤＤ ＵＬ−ＤＬ構成５は、ＵＥ１１４が、ＨＡＲＱ−ＡＣＫ情報を提供する必要のあるＴＴＩを決定するために、ＵＥ１１４に構成されたり、少なくともＵＥ１１４がＨＡＲＱ−ＡＣＫと共にＰ−ＣＳＩを伝送する場合、ＵＥ１１４は、２ＲＢを介してＰＵＣＣＨフォーマット３を伝送するように構成され得る。２ＲＢを利用することにより、１ＲＢの代わりに、ＰＵＣＣＨフォーマット３の伝送に関して、それぞれの資源オーバーヘッドは２倍になるが、ターゲット受信信頼性が支援できるＵＣＩペイロードはまた実際に２倍になる。一般的に、ＰＵＣＣＨフォーマット３の構造を維持し、ＵＬ ＴＴＩでＵＥ１１４から単一ＰＵＣＣＨ伝送を維持しつつ、任意のＵＣＩをドロップしたり過度なＨＡＲＱ−ＡＣＫバンドリングを適用せず、ＰＵＣＣＨフォーマット３の伝送のために使用されるＲＢの数を変化させることは、類似する受信信頼性のために伝送されたＵＣＩペイロードの拡張性を許容する。
【０４０４】
図２６は、本発明に係る最大の合計ペイロードにより、ＰＵＣＣＨフォーマット３に関する例示的な資源割り当てを示す。フローチャートが一連の逐次的な段階を示しているが、明示的に言及しない限り、実行の特定の順序、同時よりは連続的にまたは重畳方式への段階またはその一部の実行、または介在または中間段階の生成なしに排他的に図示された段階の実行に関するシーケンスから、いかなる推論もしてはいけない。図示された例で示されたプロセスは、例えば、移動局で伝送機チェーンによって具現される。
【０４０５】
図２６に示されたように、ＵＥ１１４は、ＰＵＣＣＨで伝送するために、動作２６１０で合計ＵＣＩペイロードを決定する。このような決定は、ＵＥ１１４が、Ｐ−ＣＳＩ報告モードで構成され、ＨＡＲＱ−ＡＣＫ伝送のためのＴＤＤ ＵＬ−ＤＬ構成で構成されることによって、構成により半静的になり得る。ＵＣＩは、ＨＡＲＱ−ＡＣＫ、Ｐ−ＣＳＩ、またはＳＲを含む。ＨＡＲＱ−ＡＣＫに関して、ＴＤＤシステムにおける動作の場合、ＨＡＲＱ−ＡＣＫ伝送のために推定されたＴＤＤ ＵＬ−ＤＬ構成のおけるＤＬ ＴＴＩの数、またはＵＥ１１４がＤＬ ＣＡで動作する場合に構成されたＤＬキャリアの数から、ＵＥ１１４は、(ＰＤＳＣＨが一つのデータＴＢまたは二つのデータＴＢを搬送できるか否かに基づいて)構成されたＰＤＳＣＨ伝送モードからペイロードを決定する。ＵＣＩペイロード
【０４０６】
【数１２４】
2019050626.tif 000132
【０４０７】
が、例えば、２２ビットのように動作２６２０で予め決められた臨界値を超過しなければ、動作２６３０で一つのＲＢによるＰＵＣＣＨフォーマット３はｅＮＢ１０２によってＵＥ１１４に構成され、ＵＣＩエンコーディングは、
【０４０８】
【数１２５】
2019050626.tif 000133
【０４０９】
で穿孔された
【０４１０】
【数１２６】
2019050626.tif 000134
【０４１１】
ＲＭコードのような第１ＲＭコードによって行うことができる。ＵＣＩペイロードが臨界値を超過すると、動作２６４０で二つのＲＢによるＰＵＣＣＨフォーマット３はｅＮＢ１０２によってＵＥ１１４に構成され、ＵＣＩエンコーディングは、
【０４１２】
【数１２７】
2019050626.tif 000135
【０４１３】
ＲＭコードまたは２重
【０４１４】
【数１２８】
2019050626.tif 000136
【０４１５】
ＲＭコードで穿孔された
【０４１６】
【数１２９】
2019050626.tif 000137
【０４１７】
ＲＭコードのような第２ＲＭコードによって行うことができ、各
【０４１８】
【数１３０】
2019050626.tif 000138
【０４１９】
ＲＭコードは１ＲＢによって適用される。代案として、ＲＭコードの代わりに、従来のコードは、ＵＥ１１４が２つのＲＢによってＵＣＩを伝送する場合に使用され得る。例えば、ＵＥ１１４が、Ｐ−ＣＳＩなしでＨＡＲＱ−ＡＣＫを伝送する場合、ペイロードは予め決められた臨界値を超過しないことができるが、ＵＥ１１４が、ＨＡＲＱ−ＡＣＫ及びＰ−ＣＳＩを伝送する場合、ペイロードは予め決められた臨界値を超過し得る。従って、ＵＥ１１４は、第１ＵＣＩペイロードケースのために構成された第１ＰＵＣＣＨフォーマット３資源及び第２ＵＣＩペイロードケースのために構成された第２ＰＵＣＣＨフォーマット３を有することができる。
【０４２０】
(ＱＰＳＫ変調を有する)２重
【０４２１】
【数１３１】
2019050626.tif 000139
【０４２２】
ＲＭコードが２ＲＢによって使用され、各
【０４２３】
【数１３２】
2019050626.tif 000140
【０４２４】
ＲＭコードが１ＲＢによって適用される場合、１ＲＢでのみ伝送する第１ＵＥ１１４からのＰＵＣＣＨフォーマット３の伝送と、２ＲＢで伝送する第２ＵＥ１１５からのＰＵＣＣＨフォーマット３の伝送を同一のＲＢでマルチプレキシングすることが可能である。さらに、ＵＥ１１４が、(それぞれの決定されたＵＣＩペイロードに基づいて)２ＲＢによってＰＵＣＣＨフォーマット３の伝送を決定する場合、ＵＥ１１４は、２ＲＢによって適用可能なものであるとＤＬ ＤＣＩフォーマットにおけるそれぞれの資源の指示を解釈し、そうでなければ、ＵＥ１１４が、１ＲＢによってＰＵＣＣＨフォーマット３の伝送を決定する場合、ＵＥ１１４は、１ＲＢによって適用可能なものであるとＤＬ ＤＣＩフォーマットにおけるそれぞれの資源の指示を解釈する。
【０４２５】
図２７は、本発明により、２ＲＢによって例示的なＰＵＣＣＨフォーマット３の伝送を示す。図２７に示されたＰＵＣＣＨフォーマット３の伝送の例は単に説明するためのものである。他の実施形態は本発明の範囲内で使用することができる。
【０４２６】
図２７に示されたように、第１実現において、例えば、(０から始まる)偶数インデキシングＵＣＩビットを第１ＲＭコードに配置し、奇数インデキシングＵＣＩビットを第２ＲＭコードに配置することによって、ＵＥ１１４は、交代方式で第１ＲＭコード及び第２ＲＭコードで
【０４２７】
【数１３３】
2019050626.tif 000141
【０４２８】
情報ビットを分割する。
【０４２９】
その後、
【０４３０】
【数１３４】
2019050626.tif 000142
【０４３１】
ＵＣＩビットは第１
【０４３２】
【数１３５】
2019050626.tif 000143
【０４３３】
ＲＭコード２７１０及び
【０４３４】
【数１３６】
2019050626.tif 000144
【０４３５】
ＵＣＩビットは第２
【０４３６】
【数１３７】
2019050626.tif 000145
【０４３７】
ＲＭコード２７２０に配置され、
【０４３８】
【数１３８】
2019050626.tif 000146
【０４３９】
は数字をすぐ上の整数に四捨五入する天井関数(ｃｅｉｌｉｎｇ ｆｕｎｃｔｉｏｎ)であり、
【０４４０】
【数１３９】
2019050626.tif 000147
【０４４１】
は数字をすぐ下の整数に四捨五入する床関数(ｆｌｏｏｒ ｆｕｎｃｔｉｏｎ)である。ＱＰＳＫ変調及び二つのＲＢの各ＲＢにおけるＰＵＣＣＨフォーマット３の構造を用いてＵＥ１１４は、第１ＲＢ２７１５における第１ＲＭコードから２４エンコーディングされたＵＣＩビット及び第２ＲＢ２７２５における第２ＲＭコードから２４エンコーディングされたＵＣＩビットを伝送する。第２実現において、第１ 
【０４４２】
【数１４０】
2019050626.tif 000148
【０４４３】
ＲＭコード２７３０及び第２ 
【０４４４】
【数１４１】
2019050626.tif 000149
【０４４５】
ＲＭコード２７４０のエンコーディング及び変調されたビットは、交代方式２７３５、２７４５で２ＲＢのＲＥに配置される。第３実現において、ＵＥ１１４は、単一
【０４４６】
【数１４２】
2019050626.tif 000150
【０４４７】
ＲＭコード２７５０を用いて
【０４４８】
【数１４３】
2019050626.tif 000151
【０４４９】
ビットをエンコーディングし、ＱＰＳＫ変調及びＰＵＣＣＨフォーマット３構造を用いて２ＲＢ２７６０によってエンコーディング及び変調されたＵＣＩビットを伝送する。
【０４５０】
ＴＤＤ ＵＬ−ＤＬ構成を適応させたＤＣＩフォーマットを搬送するＰＤＣＣＨの漏れた検出
特定の実施形態において、適応されたＴＤＤ ＵＬ−ＤＬ構成で動作するＵＥ１１４は、新しい適応されたＴＤＤ ＵＬ−ＤＬ構成を表すＰＤＣＣＨを検出せず、ＰＤＣＣＨを伝送したｅＮＢ１０２はそのイベントを認知する。例えば、ｅＮＢ１０２は、ＵＥ１１４がＰＤＣＣＨ伝送のＴＴＩでＤＲＸモードにあることを認知することができる。
【０４５１】
適応されたＴＤＤ ＵＬ−ＤＬ構成で動作するＵＥ１１４が、新しい適応されたＴＤＤ ＵＬ−ＤＬ構成を表すＰＤＣＣＨを検出しなければ、ＵＥ１１４は、従来のＴＤＤ ＵＬ−ＤＬ構成、または(おそらくＤＬ受信及びＵＬ伝送に関して区分する)以前に構成されたＴＤＤ ＵＬ−ＤＬ構成のようなＴＤＤ ＵＬ−ＤＬ構成をＵＥ１１４に知らせ、またはＵＥ１１４が後で新しい適応されたＴＤＤ ＵＬ−ＤＬ構成を表す他のＰＤＣＣＨを検出するまでに各ＴＴＩで(ＴＴＩ#２を除く)ＰＤＣＣＨを検出し、(もし、あれば)それぞれのＤＬまたはＵＬスケジューリング割り当てによるための試みとして動作することができる。しかし、ＵＥ１１４が非適応されたＴＤＤ ＵＬ−ＤＬ構成で動作する場合、ＵＥ１１４が最後の適応されたＴＤＤ ＵＬ−ＤＬ構成の最後のＴＴＩの後で発生するＴＴＩで伝送する必要のある最後の適応されたＴＤＤ ＵＬ−ＤＬ構成の間、ＰＤＣＣＨ検出に対応する残留ＨＡＲＱ−ＡＣＫ情報があるときに、ＵＥ１１４は、ＨＡＲＱ−ＡＣＫ伝送に関して非適応されたＴＤＤ ＵＬ−ＤＬ構成によって動作しないことがある。
【０４５２】
上記の問題を解決するために、本発明のある実施形態は、適応されたＴＤＤ ＵＬ−ＤＬ構成で動作するＵＥ１１４のようなＵＥが、新しい適応されたＴＤＤ ＵＬ−ＤＬ構成を表すＰＤＣＣＨを検出せず、ＵＥ１１４が適応されたＴＤＤ ＵＬ−ＤＬ構成で動作するときのように、例えば、ＴＤＤ ＵＬ−ＤＬ構成のように、同一の基準ＴＤＤ ＵＬ−ＤＬ構成を用いてＨＡＲＱ−ＡＣＫ情報を続けて伝送することを考慮する。ＤＬまたはＵＬスケジューリングの目的であっても、ＵＥ１１４は、現在適応されたＴＤＤ ＵＬ−ＤＬ構成の最後のＴＴＩの後に従来のＴＤＤ ＵＬ−ＤＬ構成で動作する。以前の基準ＴＤＤ ＵＬ−ＤＬ構成の使用は常に適用できたり、単に非適応されたＴＤＤ ＵＬ−ＤＬ構成の第１ＵＬ ＴＴＩでのみ制限され得る。さらに、ｅＮＢ１０２受信機は、このような知識を利用してＵＥ１１４が、従来のＴＤＤ ＵＬ−ＤＬ構成のＵＬ ＴＴＩであるＤＬ ＴＴＩに対応する各位置にＨＡＲＱ−ＡＣＫコードワードのＮＡＣＫ／ＤＴＸ値を配置することを推定することで、ＨＡＲＱ−ＡＣＫコードワードの検出信頼性を向上させることができる。追加的に、ＰＵＣＣＨフォーマット３を用いて伝送されたＨＡＲＱ−ＡＣＫコードワードの検出信頼性を向上させるために、本発明の第１実施形態で説明されたように、ＵＥ１１４はＤＬ固定ＴＴＩに対応する第１ＨＡＲＱ−ＡＣＫ情報を配置し、(従来のＴＤＤ ＵＬ−ＤＬ構成のＵＬ ＴＴＩである)ＤＬ柔軟性ＴＴＩに対応する第２ＨＡＲＱ−ＡＣＫ情報を配置することによって、前者が実際のＨＡＲＱ−ＡＣＫ情報を搬送することができるが、後者はＮＡＣＫ／ＤＴＸのみを搬送できるときにＤＬ ＴＴＩの順序を並べ替えることができる。
【０４５３】
図２８は、本発明により、ＵＥ１１４が適応されたＴＤＤ ＵＬ−ＤＬ構成で動作してから、従来のＴＤＤ ＵＬ−ＤＬ構成で動作するための例示的なＤＬまたはＵＬスケジューリング及びＨＡＲＱ−ＡＣＫ伝送を示す。フローチャートが一連の逐次的な段階を示しているが、明示的に言及しない限り、実行の特定の順序、同時よりは連続的にまたは重畳方式への段階またはその一部の実行、または介在または中間段階の生成なしに排他的に図示された段階の実行に関するシーケンスから、いかなる推論もしてはいけない。図示された例で示されたプロセスは、例えば、移動局で伝送機チェーンによって具現される。
【０４５４】
図２８に示されたように、ＵＥ１１４が適応されたＴＤＤ ＵＬ−ＤＬ構成で動作する間、ＵＥ１１４は適応されたＴＤＤ ＵＬ−ＤＬ構成のＤＬ ＴＴＩにおけるＰＤＣＣＨをモニタリングし、動作２８１０で基準ＴＤＤ ＵＬ−ＤＬ構成に続いてＨＡＲＱ−ＡＣＫ情報を伝送する。適応されたＴＤＤ ＵＬ−ＤＬ構成の知られた有効期限からＵＥ１１４によって決定されたように、適応されたＴＤＤ ＵＬ−ＤＬ構成の最後のＴＴＩの後に、ＵＥ１１４は、動作２８２０で新しい適応されたＴＤＤ ＵＬ−ＤＬ構成を知らせるＰＤＣＣＨを検出したか否かを判断する。検出していなければ、ＵＥ１１４は従来のＴＤＤ ＵＬ−ＤＬ構成のＤＬ ＴＴＩまたはＴＴＩ#２を除くすべてのＴＴＩにおけるＰＤＣＣＨをモニタリングするが、動作２８３０で基準ＴＤＤ ＵＬ−ＤＬ構成に続いてＨＡＲＱ−ＡＣＫ情報を伝送しつづける。検出されたら、ＵＥ１１４は新しい適応されたＴＤＤ ＵＬ−ＤＬ構成のＤＬ ＴＴＩにおけるＰＤＣＣＨをモニタリングし、動作２８４０で基準ＴＤＤ ＵＬ−ＤＬ構成に続いてＨＡＲＱ−ＡＣＫ情報を伝送する。
【０４５５】
本実施形態は、ＵＥ１１４が、適応されたＴＤＤ ＵＬ−ＤＬ構成の一つ以上の有効期間を通じて適応されたＴＤＤ ＵＬ−ＤＬ構成を知らせるＰＤＣＣＨを検出しなかった場合に修正され得る。有効期間はＴＴＩの数またはフレームの数を含むことができる。適応されたＴＤＤ ＵＬ−ＤＬ構成に対応する残留ＨＡＲＱ−ＡＣＫ情報がない場合、ＵＥ１１４は非適応されたＴＤＤ ＵＬ−ＤＬ構成によるＨＡＲＱ−ＡＣＫ情報を伝送することができる。従って、非適応されたＴＤＤ ＵＬ−ＤＬ構成によって表４に記載されたように、ＵＥ１１４は、ＨＡＲＱ−ＡＣＫペイロード及びＨＡＲＱ−ＡＣＫ信号伝送のためのＵＬ ＴＴＩを決定することができる。ＵＥ１１４は、また適応されたＴＤＤ ＵＬ−ＤＬ構成に関連するＨＡＲＱ−ＡＣＫ情報を伝送するために第１ＰＵＣＣＨフォーマットを利用し、非適応されたＴＤＤ ＵＬ−ＤＬ構成に関連するＨＡＲＱ−ＡＣＫ情報を伝送するために第２ＰＵＣＣＨフォーマットを利用することができ、ここで、第１ＰＵＣＣＨフォーマットは第２ＰＵＣＣＨフォーマットと相違することがある。
【０４５６】
最後に、ＵＥ１１４が、非適応されたＴＤＤ ＵＬ−ＤＬ構成で動作してから適応されたＴＤＤ ＵＬ−ＤＬ構成で動作すれば、適応されたＴＤＤ ＵＬ−ＤＬ構成の第１ＵＬ ＴＴＩにおけるＨＡＲＱ−ＡＣＫ伝送は、ＨＡＲＱ−ＡＣＫペイロードの決定及びＨＡＲＱ−ＡＣＫ伝送のためのＰＵＣＣＨフォーマットの使用を含む非適応されたＴＤＤ ＵＬ−ＤＬ構成と同一の方法によることができる。適応されたＴＤＤ ＵＬ−ＤＬ構成のうち残りのＴＴＩに関して、ＨＡＲＱ−ＡＣＫ伝送は、例えば、ＴＤＤ ＵＬ−ＤＬ構成５のような基準ＴＤＤ ＵＬ−ＤＬ構成によることができる。例えば、ＵＥ１１４が適応されたＴＤＤ ＵＬ−ＤＬ構成のうちＤＬスケジューリングに対応するＨＡＲＱ−ＡＣＫ情報を伝送する場合、ＵＥ１１４はそれぞれのＴＤＤ ＵＬ−ＤＬ構成に関するバンドリングウィンドウサイズによってＨＡＲＱ−ＡＣＫペイロードを決定し、ＨＡＲＱ−ＡＣＫ情報を伝送するためにＰＵＣＣＨフォーマット３を利用することができる。対照的に、ＵＥ１１４が、非適応されたＴＤＤ ＵＬ−ＤＬ構成のうちＤＬスケジューリングに対応するＨＡＲＱ−ＡＣＫを伝送する場合、それは、非適応されたＴＤＤ ＵＬ−ＤＬ構成に関するバンドリングウィンドウサイズによってＨＡＲＱ−ＡＣＫペイロードを決定し、ＨＡＲＱ−ＡＣＫ情報を伝送するために、ＰＵＣＣＨフォーマット１ｂとマルチプレキシングするＨＡＲＱ−ＡＣＫを利用することができる。
【０４５７】
適応されたＴＤＤ ＵＬ−ＤＬ構成を知らせるＤＣＩフォーマットを搬送するＰＤＣＣＨの検出に関するＵＥからのＨＡＲＱ−ＡＣＫフィードバック
特定の実施形態において、ＵＥ１１４は、ｅＮＢ１０２から伝送されて適応されたＴＤＤ ＵＬ−ＤＬ構成を知らせるＤＣＩフォーマットを搬送するＰＤＣＣＨの検出に関するｅＮＢ１０２にＨＡＲＱ−ＡＣＫ情報を伝送する。
【０４５８】
適応されたＴＤＤ ＵＬ−ＤＬ構成に関する情報を搬送するＰＤＣＣＨがＵＥのグループによって検出され得るとき、ＵＥ１１４は、ＵＥ１１４がＰＵＣＣＨを検出したか否かをｅＮＢ１０２に知らせるＨＡＲＱ−ＡＣＫ情報を伝送するために、(ＵＥ１１４に固有の)ＰＵＣＣＨ資源を決定することができない。第１代案において、ＰＤＣＣＨは一つ以上の予め決められたＴＴＩに伝送され、ｅＮＢ１０２は上位階層シグナリングを用いてＰＵＣＣＨの検出(または、検出の不在)に応答し、ＨＡＲＱ−ＡＣＫ伝送のためのＰＵＣＣＨ資源をＵＥのグループ内の各ＵＥに明示的に構成することができる。
【０４５９】
第２代案において、ＵＥ１１４は、ｅＮＢ１０２からＤＬスケジューリングに関連するＰＤＣＣＨ検出に関するその後のＨＡＲＱ−ＡＣＫ情報と共に、このようなＨＡＲＱ−ＡＣＫ情報を含むことができる。例えば、上述したように、ＰＵＣＣＨフォーマット３を用いてＨＡＲＱ−ＡＣＫ情報を伝送する場合、ＵＥ１１４は、またＵＥ１１４が、現在ＴＤＤ ＵＬ−ＤＬ構成の適応を表すＰＤＣＣＨ、または、一般的に、ＤＣＩをＵＥのグループに搬送するＰＤＣＣＨを検出したか(ＡＣＫ)、検出に失敗したか(ＤＴＸ)をｅＮＢ１０２に知らせる一つのＨＡＲＱ−ＡＣＫ情報ビットを含むことができる。ＵＥ１１４は、例えば、第１位置または最後の位置のように、ＰＵＣＣＨフォーマット３によって搬送されたコードワードにおける予め決められた位置に、ＵＥのグループに関して意図されたＰＤＣＣＨの検出に関するＨＡＲＱ−ＡＣＫ情報ビットを伝送することができる。
【０４６０】
適応されたＴＤＤ ＵＬ−ＤＬ構成に関する情報を搬送するＰＤＣＣＨを検出したか否かに関するＨＡＲＱ−ＡＣＫ情報をｅＮＢ１０２に提供することによって、ＵＥ１１４は、ＵＥ１１４がＰＤＣＣＨを検出することに失敗した場合に処理率(ｔｈｒｏｕｇｈｐｕｔ)を改善することができ、例えば、ｅＮＢ１０２がＵＬ ＴＴＩでスケジューリング割り当てをＵＥ１１４に伝送することを防止することを分かった場合、ＵＥ１１４はＵＬ ＴＴＩとみなしたり、ＵＥ１１４はＵＬ方向にＴＴＩにおける推定されたＰＤＣＣＨをデコーディングすることに関連する電力消耗を防止することができる。
【０４６１】
図２９は、本発明により、ＵＥ−特定のＤＬスケジューリングに関連するＰＤＣＣＨ検出に応答し、ＨＡＲＱ−ＡＣＫ情報が、ＵＥから伝送された他のＨＡＲＱ−ＡＣＫ情報に含まれるＵＥのグループに意図されたＰＤＣＣＨのＵＥによる検出または検出の不在に応答し、ＵＥからのＨＡＲＱ−ＡＣＫ情報の例示的な伝送を示す。図２９に示された伝送の実施形態は単に説明するためのものである。他の実施形態は本発明の範囲内で使用することができる。
【０４６２】
図２９に示されたように、ＵＥ１１４は、ＵＥ１１４に関するそれぞれのＰＤＳＣＨ受信をスケジューリングするそれぞれのＰＤＳＣＨのＵＥ１１４による一つ以上の検出に応答し、ＰＵＣＣＨにＨＡＲＱ−ＡＣＫ情報ビットを伝送する。ＵＥ１１４は、ＵＥ１１４がＵＥ１１４−グループ共通ＰＤＣＣＨ２９１０を検出したか否かによって判断される値を有するＨＡＲＱ−ＡＣＫ情報ビットをＰＤＣＣＨ内に含む。ＵＥ１１４は、またＰＵＣＣＨ２９２０に応答して一つ以上のＨＡＲＱ−ＡＣＫ情報ビットをＰＤＣＣＨ内に含む。最後に、ＵＥ１１４は、またもしあれば(２９３０)、Ｐ−ＣＳＩまたはＳＲのような他のＵＣＩをＰＤＣＣＨ内にマルチプレキシングすることができる。
【０４６３】
本発明の第３実施形態の以前の実現が、ｅＮＢ１０２からＵＥのグループに伝送されたＰＤＣＣＨの検出に関するＨＡＲＱ−ＡＣＫ情報ビットが、またＰＤＳＣＨの受信に関するＨＡＲＱ−ＡＣＫ情報ビットを搬送するＰＵＣＣＨでＵＥ１１４によって伝送されることを考慮したが、ＨＡＲＱ−ＡＣＫ情報ビットは、代わりにＰ−ＣＳＩのみを搬送するＰＵＣＣＨでＵＥ１１４によって伝送でき、生成されたＰＵＣＣＨフォーマットはＰＵＣＣＨフォーマット２ａと称される(また、ＲＥＦ１を参照)。ＵＥ１１４が、またＰＤＳＣＨの受信結果に関するＨＡＲＱ−ＡＣＫ情報ビットを搬送する場合、ＵＥ１１４は、ＵＥ１１４が、またｅＮＢ１０２からＵＥのグループに伝送されたＰＤＣＣＨの検出に関するＨＡＲＱ−ＡＣＫ情報ビットを伝送するとき、ＨＡＲＱ−ＡＣＫ情報ビットにバンドリングを適用できることによって、それは、Ｐ−ＣＳＩと共にそれぞれ第２ビット及び第１ビットを用いてＨＡＲＱ−ＡＣＫ情報の二つのタイプを伝送し、生成されたＰＵＣＣＨフォーマットはＰＵＣＣＨフォーマット２ｂと称される(また、ＲＥＦ１を参照)。
【０４６４】
適応されたＴＤＤ ＵＬ−ＤＬ構成を知らせるＰＤＣＣＨの検出に関するＵＥ１１４からの肯定応答情報は、またＨＡＲＱ−ＡＣＫ情報を直接伝送せずに暗示することができる。上述したように、適応されたＴＤＤ ＵＬ−ＤＬ構成で動作するＵＥ１１４は、ＣＳＩの二つのタイプ；ＤＬ固定ＴＴＩ及びおそらく一部の柔軟性ＤＬ ＴＴＩのようなＴＴＩの第１構成されたセットに関する一つと、適応されたＴＤＤ ＵＬ−ＤＬ構成で残りのＤＬ柔軟性ＴＴＩのようなＴＴＩの第２構成されたセットに関する他の一つを報告することと推定される。これは、ＵＥ１１４によって経験される干渉条件が、干渉するセルが、そのＴＴＩをＤＬのものまたはＵＬのもので利用するか否かによってＤＬ ＴＴＩごとに異なるので必要である。ＵＥ１１４が、適応されたＴＤＤ ＵＬ−ＤＬ構成を知らせるＤＣＩフォーマットを搬送するＰＤＣＣＨを検出することに失敗すれば、ＵＥ１１４は適応されたものと相違する従来のＴＤＤ ＵＬ−ＤＬ構成(非適応)に戻る。ＵＥ１１４が、適応されたＴＤＤ ＵＬ−ＤＬ構成が分からないとき、ＵＥ１１４は、ＤＬ柔軟性ＴＴＩでＣＳＩを測定するために利用可能な資源が分からない場合があり(ＴＴＩのそれぞれのセットのＣＳＩ測定のための有効な資源を有さない)、このようなＣＳＩ報告をｅＮＢ１０２に提供することは不正確でする可能性が高い場合に有用ではなく、ＵＥ１１４は、とにかくＤＬ柔軟性ＴＴＩでＰＤＳＣＨ伝送がスケジューリングされていない従来のＴＤＤ ＵＬ−ＤＬ構成に続く。従って、ＵＥ１１４は、ＴＴＩの第２セットに関するＣＳＩ報告を範囲外の(Ｏｕｔ−Ｏｆ−Ｒａｎｇｅ)(ＯＯＲ)値のような予め決められた値に設定することができる。その後、ＥＮＢ１０２は、ＵＥ１１４がそれぞれの構成されたＴＤＤ ＵＬ−ＤＬ構成を知らせるＰＤＣＣＨを検出したか否かを判断するために、報告されたＣＳＩ値を利用することができる。さらに、ＵＥ１１４が、ｅＮＢ１０２が適応されたＴＤＤ ＵＬ−ＤＬ構成を知らせるＤＣＩフォーマットを搬送するＰＤＣＣＨを伝送するＤＬ ＴＴＩでＤＲＸモードにあるとき、ｅＮＢ１０２はＵＥ１１４がＤＣＩフォーマットを検出することに失敗したことを認知し、ＵＥ１１４が電力を保存して干渉を減少させるためにＴＴＩの第２セットに関するＣＳＩ伝送をパスすることができる。
【０４６５】
ＵＬインデックスフィールドまたはＵＬ ＤＡＩフィールドとしてのＤＣＩフォーマットフィールドの解釈
特定の実施形態において、適応されたＴＤＤ ＵＬ−ＤＬ構成と、ＵＥ１１４が、適応されたＴＤＤ ＵＬ−ＤＬ構成を知らせるＰＤＣＣＨを検出することに失敗する場合のように、非適応されたＴＤＤ ＵＬ−ＤＬ構成で動作するためのＴＤＤ ＵＬ−ＤＬ構成０で動作するために構成されたＵＥ１１４は、ＰＵＳＣＨをスケジューリングするＤＣＩフォーマットのフィールドをＵＬ ＤＡＩで解釈することができる。対照的に、適応されたＴＤＤ ＵＬ−ＤＬ構成で動作するために構成されず、ＴＤＤ ＵＬ−ＤＬ構成０で動作するＵＥ１１４は、常にＰＵＳＣＨをスケジューリングするＤＣＩフォーマットのフィールドをＵＬインデックスで解釈する。
【０４６６】
適応されたＴＤＤ ＵＬ−ＤＬ構成で動作するために構成されたＵＥ１１４の場合、常にフィールドをＵＬ ＤＡＩとして利用することは、ＰＵＳＣＨ伝送がＵＬ ＴＴＩのサブセットでのみスケジューリングできるという制限をもたらす。しかし、このような制限は、適応されたＴＤＤ ＵＬ−ＤＬ構成で動作するために構成されていないＵＥが、すべてのＵＬ ＴＴＩでスケジューリングできるとき、ＵＬセル処理率に重大な影響を及ぼすことができない。さらに、 適応されたＴＤＤ ＵＬ−ＤＬ構成で動作するために構成されたＵＥ１１４に関して上述したように、ＰＵＳＣＨは、ＵＥ１１４がＨＡＲＱ−ＡＣＫを伝送できるＵＬ ＴＴＩで伝送される場合、ＵＬ ＤＡＩはＰＵＳＣＨをスケジューリングするＤＣＩフォーマットでのみ必要とされ、ＰＵＳＣＨは、ＵＥ１１４がＨＡＲＱ−ＡＣＫを伝送しないＵＬ ＴＴＩで伝送される場合、ＵＬ ＤＡＩは必要とせず、フィールドはＴＤＤ ＵＬ−ＤＬ構成０が従来のＴＤＤ ＵＬ−ＤＬ構成である場合にＵＬインデックスの役割をすることができる。
【０４６７】
ｅＮＢ１０２は、適応されたＴＤＤ ＵＬ−ＤＬ構成で動作するために構成されたＵＥ１１４からのＰＵＳＣＨ伝送をスケジューリングし、ｅＮＢ１０２は、ＵＥ１１４が適応されたＴＤＤ ＵＬ−ＤＬ構成を表すＤＣＩフォーマットを搬送するＰＤＣＣＨを検出することを予想すれば、ｅＮＢ１０２は、少なくとも一部のＴＴＩにおいて、ＴＤＤ ＵＬ−ＤＬ構成０が従来のものである場合にはＵＬインデックス、及び任意の他のＴＤＤ ＵＬ−ＤＬ構成が従来のものである場合にはＵＬ ＤＡＩとしてＰＵＳＣＨをスケジューリングするＤＣＩフォーマットのフィールドを利用することができる。ＵＬ ＤＡＩフィールドの解釈は、ＨＡＲＱ−ＡＣＫ情報の伝送のためにＵＥ１１４に構成される基準ＴＤＤ ＵＬ−ＤＬ構成による。ｅＮＢ１０２は、ＵＥ１１４がＰＤＣＣＨを検出することを予想できなければ、例えば、ＵＥ１１４がＰＤＣＣＨ伝送のＤＬ ＴＴＩでＤＲＸにある場合、ｅＮＢ１０２及びＵＥ１１４は、いずれもＵＥ１１４がＴＤＤ ＵＬ−ＤＬ構成の適応の次の有効期間の間に従来のＴＤＤ ＵＬ−ＤＬ構成で動作することを認知している。その後、ＴＤＤ ＵＬ−ＤＬ構成０が従来のものであれば、フィールドは、(ＵＥ１１４がＨＡＲＱ−ＡＣＫ情報を送信しないＴＴＩでのみＵＬインデックスの役割をする代わりに)すべてのＴＴＩにおけるＵＬインデックスの役割をするものと推定され得る。適応されたＴＤＤ ＵＬ−ＤＬ構成で動作するために構成されず、ＴＤＤ ＵＬ−ＤＬ構成０で動作しないＵＥの場合、フィールドは常にＵＬ ＤＡＩで使用される。
【０４６８】
図３０は、本発明により、適応されたＴＤＤ ＵＬ−ＤＬ構成及び従来のＴＤＤ ＵＬ−ＤＬ構成としてのＴＤＤ ＵＬ−ＤＬ構成で動作するように構成されるＵＥにより、ＵＬインデックスまたはＵＬ ＤＡＩのうちいずれか一つとしてＰＵＳＣＨをスケジューリングするＤＣＩフォーマットにおけるフィールドの例示的な解釈を示す。フローチャートが一連の逐次的な段階を示しているが、明示的に言及しない限り、実行の特定の順序、同時よりは連続的にまたは重畳方式への段階またはその一部の実行、または介在または中間段階の生成なしに排他的に図示された段階の実行に関するシーケンスから、いかなる推論もしてはいけない。図示された例で示されたプロセスは、例えば、移動局で伝送機チェーンによって具現される。
【０４６９】
図３０に示されたように、適応されたＴＤＤ ＵＬ−ＤＬ構成で動作するために構成され、適応されたＴＤＤ ＵＬ−ＤＬ構成を表すＤＣＩフォーマットを搬送するＰＤＣＣＨを受信できるＵＥ１１４は、ＴＤＤ ＵＬ−ＤＬ構成０が動作３０１０で従来のＴＤＤ ＵＬ−ＤＬ構成であるか否かを判断する。その場合、ＰＵＳＣＨ伝送は、ＵＥ１１４がＨＡＲＱ−ＡＣＫ情報を伝送していないＵＬ ＴＴＩで行われる場合にはＵＬインデックス、及びＰＵＳＣＨの伝送は、ＵＥ１１４が動作３０２０でＨＡＲＱ−ＡＣＫ情報を伝送できるＵＬ ＴＴＩで行われる場合にはＵＬ ＤＡＩとして、ＵＥ１１４はＰＵＳＣＨをスケジューリングするＤＣＩフォーマットでフィールドを解析する。そうでない場合、動作３０３０でＰＵＳＣＨは、ＵＥ１１４がＨＡＲＱ−ＡＣＫ情報を伝送できるＵＬ ＴＴＩで伝送される場合にはＵＬ ＤＡＩフィールドとして、及びＰＵＳＣＨは、ＵＥ１１４がＨＡＲＱ−ＡＣＫ情報を伝送しないＵＬ ＴＴＩで伝送される場合には０のような予め決められた値を有することで、ＵＥ１１４はＰＵＳＣＨをスケジューリングするＤＣＩフォーマットでフィールドを解析する。
【０４７０】
本発明は、例示的な実施形態で説明されたが、様々な変更及び修正が当業者に提示され得る。本発明は、添付の特許請求の範囲内でこのような変更及び修正を含むものである。
【符号の説明】
【０４７１】
１００  無線ネットワーク
１０１，１０２，１０３  ｅＮｏｄｅＢ(ｅＮＢ) 
１１１〜１１６  ＵＥ
１２０，１２５  通信可能領域
１３０  インターネットプロトコル（ＩＰ）ネットワーク
【図１】
2019050626.tif 000152
【図２】
2019050626.tif 000153
【図３】
2019050626.tif 000154
【図４】
2019050626.tif 000155
【図５】
2019050626.tif 000156
【図６】
2019050626.tif 000157
【図７】
2019050626.tif 000158
【図８】
2019050626.tif 000159
【図９】
2019050626.tif 000160
【図１０】
2019050626.tif 000161
【図１１】
2019050626.tif 000162
【図１２】
2019050626.tif 000163
【図１３】
2019050626.tif 000164
【図１４】
2019050626.tif 000165
【図１５】
2019050626.tif 000166
【図１６】
2019050626.tif 000167
【図１７】
2019050626.tif 000168
【図１８】
2019050626.tif 000169
【図１９】
2019050626.tif 000170
【図２０】
2019050626.tif 000171
【図２１】
2019050626.tif 000172
【図２２】
2019050626.tif 000173
【図２３】
2019050626.tif 000174
【図２４】
2019050626.tif 000175
【図２５】
2019050626.tif 000176
【図２６】
2019050626.tif 000177
【図２７】
2019050626.tif 000178
【図２８】
2019050626.tif 000179
【図２９】
2019050626.tif 000180
【図３０】
2019050626.tif 000181
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
無線通信システムの端末の方法において、
第１ＵＬ／ＤＬ（ｕｐｌｉｎｋ／ｄｏｗｎｌｉｎｋ）設定に関する情報を受信する段階と、
適応的に（ａｄａｐｔｉｖｅｌｙ）設定されるＴＤＤ（ｔｉｍｅ  ｄｉｖｉｓｉｏｎ  ｄｕｐｌｅｘ）システムのための設定情報を受信する段階と、
第１適応的ＵＬ／ＤＬ設定情報を受信する段階と、
前記第１適応的ＵＬ／ＤＬ設定を用いて動作する段階と、
前記端末が第２適応的ＵＬ／ＤＬ設定情報を受信できない場合、前記第１ＵＬ／ＤＬ設定を用いて動作する段階と、を含むことを特徴とする方法。
【請求項２】
前記適応的に設定されるＴＤＤシステムのための設定情報は、前記端末がＨＡＲＱ−ＡＣＫを伝送するための基準設定である第２ＵＬ／ＤＬ設定を含むことを特徴とする、請求項１に記載の方法。
【請求項３】
前記端末が前記第２適応的ＵＬ／ＤＬ設定情報を受信できなかった場合、前記第２ＵＬ／ＤＬ設定に基づき、前記ＨＡＲＱ−ＡＣＫ情報を基地局に伝送する段階をさらに含むことを特徴とする、請求項２に記載の方法。
【請求項４】
前記第１ＵＬ／ＤＬ設定に関する情報は、システム情報ブロック（ｓｙｓｔｅｍ  ｉｎｆｏｒｍａｔｉｏｎ  ｂｌｏｃｋ）を介して受信されることを特徴とする、請求項１に記載の方法。
【請求項５】
前記第１適応的ＵＬ／ＤＬ設定情報及び前記第２適応的ＵＬ／ＤＬ設定情報は、ＤＣＩ（ｄｏｗｎｌｉｎｋ  ｃｏｎｔｒｏｌ  ｉｎｆｏｒｍａｔｉｏｎ）フォーマット１Ｃを用いて受信されることを特徴とする、請求項１に記載の方法。
【請求項６】
無線通信システムの端末の方法において、
送受信部と、
第１ＵＬ／ＤＬ（ｕｐｌｉｎｋ／ｄｏｗｎｌｉｎｋ）設定に関する情報を受信し、適応的に（ａｄａｐｔｉｖｅｌｙ）設定されるＴＤＤ（ｔｉｍｅ  ｄｉｖｉｓｉｏｎ  ｄｕｐｌｅｘ）システムのための設定情報を受信し、第１適応的ＵＬ／ＤＬ設定情報を受信し、前記第１適応的ＵＬ／ＤＬ設定を用いて動作し、前記端末が第２適応的ＵＬ／ＤＬ設定情報を受信できない場合、前記第１ＵＬ／ＤＬ設定を用いて動作するように制御する前記送受信部と連結された制御部と、を含むことを特徴とする端末。
【請求項７】
前記適応的に設定されるＴＤＤシステムのための設定情報は、前記端末がＨＡＲＱ−ＡＣＫを伝送するための基準設定である第２ＵＬ／ＤＬ設定を含むことを特徴とする、請求項６に記載の端末。
【請求項８】
前記制御部は、前記端末が前記第２適応的ＵＬ／ＤＬ設定情報を受信できなかった場合、前記第２ＵＬ／ＤＬ設定に基づき、前記ＨＡＲＱ−ＡＣＫ情報を基地局に伝送するようにさらに制御することを特徴とする、請求項７に記載の端末。
【請求項９】
前記第１ＵＬ／ＤＬ設定に関する情報は、システム情報ブロック（ｓｙｓｔｅｍ  ｉｎｆｏｒｍａｔｉｏｎ  ｂｌｏｃｋ）を介して受信されることを特徴とする、請求項６に記載の端末。
【請求項１０】
前記第１適応的ＵＬ／ＤＬ設定情報及び前記第２適応的ＵＬ／ＤＬ設定情報は、ＤＣＩ（ｄｏｗｎｌｉｎｋ  ｃｏｎｔｒｏｌ  ｉｎｆｏｒｍａｔｉｏｎ）フォーマット１Ｃを用いて受信されることを特徴とする、請求項６に記載の端末。